(57)【要約】    【課題】  不正器具を用いた不正行為を防止する。    【解決手段】  遊技機10は、メダル投入口41に投入されたメダルを一定方向へ誘導するメダル通路61と、メダル通路61の途中に設けた第１フォトセンサー66と、メダル通路61の途中における第１フォトセンサー66よりも下流側に設けた第２フォトセンサー67とを備える。第１フォトセンサー66及び第２フォトセンサー67は、それぞれ、光を発する発光部と、発光部から発せられた光を受ける受光部とを備える。第１フォトセンサー66及び第２フォトセンサー67の少なくとも一方は、受光部による光の検出を可能としたまま、発光部の発光を止めることが可能とされる。遊技機10は、発光部の発光を制御する発光制御手段150と、発光制御手段150により発光部の発光が止められているときに当該発光部に対応する受光部が光を検出すると異常と判定する異常判定手段160とを備える。    【選択図】  図１
2006068342.tif 000002
【特許請求の範囲】
【請求項１】
メダル投入口に投入されたメダルを一定方向へ誘導するためのメダル通路と、
メダル通路の途中の所定位置に設けた第１フォトセンサーと、
メダル通路の途中における第１フォトセンサーよりも下流側の所定位置に設けた第２フォトセンサーとを備えた遊技機であって、
第１フォトセンサー及び第２フォトセンサーは、それぞれ、光を発する発光部と、発光部から発せられた光を受ける受光部とを備えるとともに、メダル通路を通るメダルによって、発光部から受光部への光路を遮られるように形成され、
第１フォトセンサー及び第２フォトセンサーの少なくとも一方は、受光部による光の検出を可能としたまま、発光部の発光を止めることが可能に形成され、
遊技機は、
発光部の発光を制御するための発光制御手段と、
発光制御手段により発光部の発光が止められているときに当該発光部に対応する受光部が光を検出すると異常と判定する異常判定手段とを備えたことを特徴とする遊技機。
【請求項２】
第１フォトセンサーの発光部から受光部への光路、及び第２フォトセンサーの発光部から受光部への光路は、メダル通路を通る１枚のメダルによって、同時に遮られ得るように形成され、
発光制御手段は、第１フォトセンサー又は第２フォトセンサーのいずれか一方の発光部の発光を止めていたときに、発光している発光部に対応する受光部が光を検出しなくなると、即時又は所定時間内に、発光を止めていた発光部を発光させ、
異常判定手段は、発光制御手段が発光を止めていた発光部を発光させたときに、当該発光部に対応する受光部が光を検出しているか否かに基づいて、異常か否かを判定することを特徴とする請求項１記載の遊技機。
【請求項３】
発光制御手段は、第１フォトセンサーの発光部の発光を止めていたときに、第２フォトセンサーの受光部が光を検出しなくなると、即時又は所定時間内に、発光を止めていた第１フォトセンサーの発光部を発光させ、
異常判定手段は、発光制御手段が発光を止めていた第１フォトセンサーの発光部を発光させたときに、第１フォトセンサーの受光部が光を検出すると、異常と判定することを特徴とする請求項２記載の遊技機。
【請求項４】
発光制御手段は、第１フォトセンサーの発光部の発光を止めかつ第２フォトセンサーの発光部を発光させた状態でメダル投入口からのメダルの投入を待つ制御を、常時、実行することを特徴とする請求項３記載の遊技機。
【請求項５】
発光制御手段は、第１フォトセンサーの発光部の発光を止めかつ第２フォトセンサーの発光部を発光させた状態でメダル投入口からのメダルの投入を待つ制御、又は第１フォトセンサー及び第２フォトセンサーの双方の発光部を発光させた状態でメダル投入口からのメダルの投入を待つ制御のいずれか一方を、遊技が１回行われる毎に、乱数値に基づいて、選択して実行することを特徴とする請求項３記載の遊技機。
【請求項６】
発光制御手段は、第１フォトセンサーの発光部の発光を止めかつ第２フォトセンサーの発光部を発光させた状態でメダル投入口からのメダルの投入を待つ制御と、第１フォトセンサー及び第２フォトセンサーの双方の発光部を発光させた状態でメダル投入口からのメダルの投入を待つ制御とを、メダルが１枚検出される毎に、交互に切り換えて実行することを特徴とする請求項３記載の遊技機。
【請求項７】
発光制御手段は、第１フォトセンサーの発光部の発光を止めかつ第２フォトセンサーの発光部を発光させた状態でメダル投入口からのメダルの投入を待つ制御と、第１フォトセンサー及び第２フォトセンサーの双方の発光部を発光させた状態でメダル投入口からのメダルの投入を待つ制御とを、メダル１枚の検出に要する時間よりも短い間隔で、交互に切り換えて実行することを特徴とする請求項３記載の遊技機。
【発明の詳細な説明】
【技術分野】
【０００１】
本発明は、遊技機に関し、更に詳しくは、メダル投入口から投入されたメダルが、メダル通路の途中に設けた２個のフォトセンサーで検出される遊技機に関するものである。
【背景技術】
【０００２】
従来から、メダルを遊技媒体として投入して遊技を行う遊技機が提供されている。
このような遊技機として、例えば、スロットマシンがある。
また、スロットマシンは、所定枚数のメダルの投入を条件に、スタートスイッチを操作すると、３個すべての回転リールの回転が開始し、ストップスイッチを操作すると、当該ストップスイッチに対応した回転リールの回転が停止し、３個すべての回転リールの回転が停止したときに、所定の図柄が有効な入賞ライン上に揃うと、入賞となり、入賞態様に応じた所定枚数のメダルが払い出される遊技機である。
また、スロットマシンでは、スタートスイッチが操作されると、メダルの投入枚数が確定されて、メダルの投入枚数に応じた本数の入賞ラインが有効になるとともに、メダルの投入枚数に応じた当選確率で役の抽選が行われ、この役の抽選の結果に基づいて、回転リールの停止制御が行われる。
【０００３】
具体的には、スロットマシンの内部には、メダル投入口に投入されたメダルを下方へ誘導するためのメダル通路が設けられている。また、メダル通路は、ホッパーユニットのメダルタンクへ連通している。また、メダル通路の途中からは、メダル返却通路が分岐している。また、メダル返却通路は、メダル返却口へ連通している。また、メダル通路からメダル返却通路が分岐する分岐部には、メダルセレクターが設けられている。また、メダルセレクターは、規格外のメダルを選別してメダル返却通路へ誘導するとともに、メダル投入不可に設定されているときにメダル投入口から投入されたメダルをメダル返却通路へ誘導するためのものである。また、メダル通路の途中であって、メダルセレクターよりも下流側には、メダルセンサーが設けられている。また、メダルセンサーは、メダルの通過を検出してメダル検出信号を出力するためのものである。また、スロットマシンの制御装置は、メダル投入口から投入されたメダルの枚数をメダル検出信号に基づいてカウントするためのメダルカウント手段を備えている。
【０００４】
そして、メダル投入口から投入されたメダルが、メダル通路を流下し、メダルセレクターを通過して、メダルセンサーを通過すると、メダル検出信号が出力される。そして、このメダル検出信号に基づいてメダルカウント手段がカウント動作を行うことにより、メダル投入口から投入されたメダルの枚数がカウントされる。なお、メダルセンサーを通過したメダルは、メダル通路をさらに流下して、ホッパーユニットのメダルタンクに貯留される。
一方、スロットマシンの前面には、操作によりスタート信号を出力するスタートスイッチが設けられている。また、スロットマシンの制御装置は、役の抽選を行うための役抽選手段と、遊技を制御するための遊技制御手段とを備えている。また、遊技制御手段は、スタート信号の入力を契機に、メダルの投入枚数を確定させて、メダルの投入枚数に応じた本数の入賞ラインを有効にする。また、役抽選手段は、スタート信号の入力を契機に、メダルの投入枚数に応じた役抽選テーブルを取得し、この取得した役抽選テーブルを用いて役の抽選を行う。また、遊技制御手段は、スタート信号の入力を契機に、回転リールの回転を開始させるとともに、役の抽選の結果とストップスイッチが操作されたときの回転リールの回転位置とに基づいて、回転リールの停止制御を行う。そして、すべての回転リールの回転が停止したときに、所定の図柄が有効な入賞ライン上に揃うと、入賞と判定し、ホッパーユニットを駆動させて、入賞態様に応じた所定枚数のメダルを払い出す。
【０００５】
ここで、スロットマシンでは、メダルの投入の煩わしさから遊技者を解放するため、クレジット機能を設けている。また、クレジット機能は、次のようなものである。遊技の開始に先立ち、ある程度まとまった枚数のメダルをメダル投入口にあらかじめ投入しておくと、これらのメダルがメダルセンサーによって検出され、このとき出力されるメダル検出信号に基づいて、クレジットメダルカウント手段がカウント動作を行う。つまり、メダルがクレジットされる。また、クレジットメダルカウント手段のカウント値は、スロットマシンの前面に設けた７セグメントＬＥＤに表示される。また、メダルがクレジットされているときに、スロットマシンの前面に設けたベットスイッチを操作すると、メダル投入口からのメダルの投入に代えて、クレジットされているメダルが投入されるとともに、クレジットされているメダルを投入した分だけ、クレジットメダルカウント手段のカウント値が減算される。また、７セグメントＬＥＤには、減算後のカウント値が表示される。そして、クレジットされているメダルを投入した場合にも、メダル投入口からメダルを投入した場合と同様に、遊技を行うことができる。また、クレジットメダルカウント手段のカウント値が０になる前に遊技を終えたいときには、スロットマシンの前面に設けた精算スイッチを操作する。そうすると、クレジットされているメダルが払い出されるとともに、クレジットメダルカウント手段のカウント値が０になる。
【０００６】
またここで、メダルセンサーは、メダルの進路方向に沿って並列に設けた２個のフォトセンサーから構成されている。メダル通路の上流側に設けられるのが第１フォトセンサーであり、また、下流側に設けられるのが第２フォトセンサーである。第１フォトセンサーの光路が先に遮られ、その直後に第２フォトセンサーの光路が遮られれば、メダルの進行方向は正常であるが、第２フォトセンサーの光路が先に遮られ、その直後に第１フォトセンサーの光路が遮られると、メダルの進行方向は異常である。
このように、スロットマシンでは、メダルセンサーを２個のフォトセンサーで構成することにより、メダルの通過のみならず、メダルの進行方向をも検出可能にしている。そして、糸を括り付けたメダルをメダル投入口から投入し、糸を操ることでメダルがメダルセンサーの前後を往復するようにして、クレジットメダルカウント手段のカウント値を不正に加算する行為の防止を図っている（特許文献１参照）。
【特許文献１】特開平７−１０８０８１号公報
【発明の開示】
【発明が解決しようとする課題】
【０００７】
しかし、近年、細長い板状部材の先端付近に、フォトセンサーの発光部から発せられる光と同質の光を発するＬＥＤを複数個並べた不正器具を用いて、クレジットメダルカウント手段のカウント値を不正に加算する行為が発覚した。
具体的には、各フォトセンサーは、それぞれ、光を発する発光部と、発光部から発せられた光を受ける受光部とを有するが、この不正器具は、ＬＥＤが発した光を、発光部が発した光と誤認させて、各フォトセンサーに誤作動を起こさせるものである。この不正器具の使用方法は、次のようなものである。まず、各ＬＥＤを発光させた状態で、板状部材の先端付近を、メダル投入口からメダル通路に挿入し、各フォトセンサーの発光部と受光部との間に位置させる。このとき、各ＬＥＤを、各フォトセンサーの受光部方向に向け、各ＬＥＤが発した光が、各フォトセンサーの受光部に届くようにする。そうすると、各フォトセンサーの発光部と受光部との間に、光を遮る異物が挿入されているものの、各フォトセンサーは、発光部と受光部との間に光を遮るものはないと誤認する。そして、この状態で、上流側のものから順に、ＬＥＤを一時的に消灯させる。そうすると、まず、第１フォトセンサーの受光部に、発光部が発した光も、ＬＥＤが発した光も届かなくなり、その直後に、第２フォトセンサーの受光部に、発光部が発した光も、ＬＥＤが発した光も届かなくなる。その後、上流側のものから順に、ＬＥＤを再び発光させることにより、第１フォトセンサーの受光部にも、第２フォトセンサーの受光部にも、ＬＥＤが発した光が届く。これにより、あたかも上流側から下流側へ向けてメダルが通過したかのような状態が作り出されて、クレジットメダルカウント手段のカウント値が不正に加算されてしまう。
【０００８】
そして、この不正器具を用いた不正行為の防止が早急に求められている。
（請求項１）
そこで、請求項１記載の発明は、第１フォトセンサー又は第２フォトセンサーのいずれか一方について、受光部による光の検出を可能としたまま、発光部の発光を止めるとともに、発光部の発光を止めているときに、当該発光部に対応する受光部が光を検出すると、異常と判定することにより、不正器具を用いた不正行為を防止できるようにした遊技機を提供することを目的とする。
（請求項２）
また、請求項２記載の発明は、請求項１記載の発明の目的に加え、第１フォトセンサー又は第２フォトセンサーのいずれか一方の発光部の発光を止めていたときに、発光している発光部に対応する受光部が光を検出しなくなると、即時又は所定時間内に、発光を止めていた発光部を発光させ、このとき、当該発光部に対応する受光部が光を検出しているか否かに基づいて、異常か否かを判定することにより、不正器具を用いた不正行為と、糸を括り付けたメダルでクレジット数を不正に増加させる不正行為とを同時に防止できるようにした遊技機を提供することを目的とする。
【０００９】
（請求項３）
また、請求項３記載の発明は、請求項２記載の発明の目的に加え、第１フォトセンサーの発光部の発光を止めていたときに、第２フォトセンサーの受光部が光を検出しなくなると、即時又は所定時間内に、第１フォトセンサーの発光部を発光させ、このとき、第１フォトセンサーの受光部が光を検出すると、異常と判定することにより、比較的簡単な構成で、上記２つの不正行為を同時に防止可能な遊技機を提供することを目的とする。
（請求項４）
また、請求項４記載の発明は、請求項３記載の発明の目的に加え、第１フォトセンサーの発光部の発光を止めかつ第２フォトセンサーの発光部を発光させた状態でメダル投入口からのメダルの投入を待つ制御を、常時、実行することにより、不正行為の防止を図りつつも、制御装置の負担を軽減するようにした遊技機を提供することを目的とする。
【００１０】
（請求項５）
また、請求項５記載の発明は、請求項３記載の発明の目的に加え、第１フォトセンサーの発光部の発光を止めかつ第２フォトセンサーの発光部を発光させた状態でメダル投入口からのメダルの投入を待つ制御、又は第１フォトセンサー及び第２フォトセンサーの双方の発光部を発光させた状態でメダル投入口からのメダルの投入を待つ制御のいずれか一方を、遊技が１回行われる毎に、乱数値に基づいて、選択して実行することにより、第１フォトセンサーの発光部の発光又は消灯のパターンと不正器具のＬＥＤの発光又は消灯のパターンとを同期させることを困難にして、不正行為のより一層の防止を図った遊技機を提供することを目的とする。
【００１１】
（請求項６）
また、請求項６記載の発明は、請求項３記載の発明の目的に加え、第１フォトセンサーの発光部の発光を止めかつ第２フォトセンサーの発光部を発光させた状態でメダル投入口からのメダルの投入を待つ制御と、第１フォトセンサー及び第２フォトセンサーの双方の発光部を発光させた状態でメダル投入口からのメダルの投入を待つ制御とを、メダルが１枚検出される毎に、交互に切り換えて実行することにより、第１フォトセンサーの発光部の発光又は消灯のパターンと不正器具のＬＥＤの発光又は消灯のパターンとを同期させることを困難にして、不正行為のより一層の防止を図った遊技機を提供することを目的とする。
【００１２】
（請求項７）
また、請求項７記載の発明は、請求項３記載の発明の目的に加え、第１フォトセンサーの発光部の発光を止めかつ第２フォトセンサーの発光部を発光させた状態でメダル投入口からのメダルの投入を待つ制御と、第１フォトセンサー及び第２フォトセンサーの双方の発光部を発光させた状態でメダル投入口からのメダルの投入を待つ制御とを、メダル１枚の検出に要する時間よりも短い間隔で、交互に切り換えて実行することにより、第１フォトセンサーの発光部の発光又は消灯のパターンと不正器具のＬＥＤの発光又は消灯のパターンとを同期させることを困難にして、不正行為のより一層の防止を図った遊技機を提供することを目的とする。
【課題を解決するための手段】
【００１３】
（請求項１）
請求項１記載の発明は、メダル投入口41に投入されたメダルを一定方向へ誘導するためのメダル通路61と、メダル通路61の途中の所定位置に設けた第１フォトセンサー66と、メダル通路61の途中における第１フォトセンサー66よりも下流側の所定位置に設けた第２フォトセンサー67とを備えた遊技機10であって、第１フォトセンサー66及び第２フォトセンサー67は、それぞれ、光を発する発光部と、発光部から発せられた光を受ける受光部とを備えるとともに、メダル通路61を通るメダルによって、発光部から受光部への光路を遮られるように形成され、第１フォトセンサー66及び第２フォトセンサー67の少なくとも一方は、受光部による光の検出を可能としたまま、発光部の発光を止めることが可能に形成され、遊技機10は、発光部の発光を制御するための発光制御手段150と、発光制御手段150により発光部の発光が止められているときに当該発光部に対応する受光部が光を検出すると異常と判定する異常判定手段160とを備えたことを特徴とする。
【００１４】
ここで、「メダル通路61」は、メダル投入口41に投入されたメダルを一定方向へ誘導するためのものである。メダル通路61のメダル投入口41側が、上流側であり、また、メダル通路61のメダル投入口41とは反対側が、下流側である。そして、メダル通路61は、メダル投入口41に投入されたメダルを、上流側から下流側へ向けて、一定方向へ誘導するように形成されている。また、メダル通路61は、メダル投入口41から斜め下方へ向けて一直線状に傾斜するように形成してもよく、また、途中で適宜屈曲させて比較的緩やかに傾斜する部分や水平方向に向かう平坦な部分などを有するように形成してもよい。
また、「第１フォトセンサー66」は、メダル通路61の途中の所定位置に設けられる。
【００１５】
また、「第２フォトセンサー67」は、メダル通路61の途中における第１フォトセンサー66よりも下流側の所定位置に設けられる。
これにより、上流側から下流側へ向けてメダル通路61を通るメダルは、先に第１フォトセンサー66を通過し、その後に第２フォトセンサー67を通過する。
また、第１フォトセンサー66は、光を発する発光部と、発光部から発せられた光を受ける受光部とを備える。
また、第２フォトセンサー67も同様に、発光部と受光部とを備える。
また、第１フォトセンサー66は、メダル通路61を通るメダルによって、発光部から受光部への光路を遮られる。例えば、発光部と受光部とで、メダル通路61を両側から挟むようにする。そして、メダル通路61を通るメダルが、発光部と受光部との間を通るようにする。そうすると、メダル通路61を通るメダルによって、発光部から受光部への光路が遮られる。
【００１６】
また、第２フォトセンサー67も同様に、メダル通路61を通るメダルによって、発光部から受光部への光路を遮られる。
また、第１フォトセンサー66及び第２フォトセンサー67の少なくとも一方は、受光部による光の検出を可能としたまま、発光部の発光を止めることが可能に形成される。
「少なくとも一方」であるので、第１フォトセンサー66についてのみ、受光部による光の検出を可能としたまま、発光部の発光を止めることが可能に形成してもよく、また、第２フォトセンサー67についてのみ、受光部による光の検出を可能としたまま、発光部の発光を止めることが可能に形成してもよく、また、第１フォトセンサー66及び第２フォトセンサー67の双方について、受光部による光の検出を可能としたまま、発光部の発光を止めることが可能に形成してもよい。
【００１７】
また、「発光部の発光を止めることが可能」とは、発光部の光を消すことが可能という意味であり、更に換言すれば、発光部を消灯させることが可能、あるいは発光部の機能をＯＦＦにすることが可能という意味である。
また、「受光部による光の検出を可能としたまま、発光部の発光を止めることが可能」とは、受光部が光を検出し続けるようにしたまま、発光部の光を消すことが可能という意味であり、更に換言すれば、受光部の機能を生かしたまま、発光部を機能を停止させることが可能、あるいは受光部の機能をＯＮにしたまま、発光部の機能をＯＦＦにすることが可能という意味である。
【００１８】
また、「発光制御手段150」は、発光部の発光を制御するためのものである。
例えば、第１フォトセンサー66のみが発光部の発光を止められるように形成されている場合には、発光制御手段150は、第１フォトセンサー66の発光部についてのみ、発光させたり、発光を止めたりする。
また、例えば、第２フォトセンサー67のみが発光部の発光を止められるように形成されている場合には、発光制御手段150は、第２フォトセンサー67の発光部についてのみ、発光させたり、発光を止めたりする。
また、例えば、第１フォトセンサー66及び第２フォトセンサー67の双方が発光部の発光を止められるように形成されている場合には、発光制御手段150は、第１フォトセンサー66の発光部について、発光させたり、発光を止めたりするとともに、第２フォトセンサー67の発光部についても、発光させたり、発光を止めたりする。ただこの場合、発光制御手段150は、第１フォトセンサー66の発光部の発光を止めるときには、第２フォトセンサー67の発光部は発光させ、第２フォトセンサー67の発光部の発光を止めるときには、第１フォトセンサー66の発光部は発光させる。つまり、発光制御手段150は、一方の発光部の発光を止めるときには、他方の発光部は発光させる。したがって、発光制御手段150は、第１フォトセンサー66の発光部の発光と第２フォトセンサー67の発光部の発光とを同時に止めることはない。すなわち、発光制御手段150は、双方の発光部の光を同時に消すことはない。
【００１９】
また、発光制御手段150は、発光部を発光させるか、又は発光部の発光を止めるかを、例えば、乱数を用いた抽選等によってランダムに決定することができる。また、発光制御手段150は、例えば、メダルが１枚投入される毎に、発光部の発光と発光停止とを交互に切り換えてもよく、また、遊技が１回行われる毎に、発光部の発光と発光停止とを交互に切り換えてもよく、また、所定時間毎に、発光部の発光と発光停止とを交互に切り換えてもよい。なお、発光部の発光停止とは、発光部の発光を止めることを意味する。
また、発光制御手段150は、第１フォトセンサー66又は第２フォトセンサー67のいずれの発光部の発光を止めるかについても、例えば、乱数を用いた抽選等によってランダムに決定することができる。また、発光制御手段150は、例えば、メダルが１枚投入される毎に、第１フォトセンサー66の発光部の発光停止と第２フォトセンサー67の発光部の発光停止とを交互に切り換えてもよく、また、遊技が１回行われる毎に、第１フォトセンサー66の発光部の発光停止と第２フォトセンサー67の発光部の発光停止とを交互に切り換えてもよく、また、所定時間毎に、第１フォトセンサー66の発光部の発光停止と第２フォトセンサー67の発光部の発光停止とを交互に切り換えてもよい。
【００２０】
また、「異常判定手段160」は、発光制御手段150が発光部の発光を止めているときに、当該発光部に対応する受光部が光を検出すると、異常と判定するためのものである。
またここで、本発明では、「異常」とは、故障やエラーに限られず、「不正器具がメダル投入口41からメダル通路61に挿入されている状態」なども含む趣旨である。つまり、本発明では、異常判定手段160は、「不正器具がメダル投入口41からメダル通路61に挿入されている状態」も、「異常」と判定する。
例えば、発光制御手段150が第１フォトセンサー66の発光部の発光を止めているときに、第１フォトセンサー66の受光部が光を検出すると、異常判定手段160は、異常と判定する。
【００２１】
また、例えば、発光制御手段150が第２フォトセンサー67の発光部の発光を止めているときに、第２フォトセンサー67の受光部が光を検出すると、異常判定手段160は、異常と判定する。
つまり、第１フォトセンサー66の発光部の発光を止められているときには、第１フォトセンサー66の受光部は通常であれば光を検出しないはずであり、第１フォトセンサー66の受光部が光を検出すると、異常である。そして、異常判定手段160は、第１フォトセンサー66の発光部の発光を止められているときに、第１フォトセンサー66の受光部が光を検出すると、不正器具を用いた不正行為が行われているとして、異常と判定する。
【００２２】
また、第２フォトセンサー67の発光部が発光を止められているときについても同様である。
また、第１フォトセンサー66の発光部が発光を止められ、かつ、第２フォトセンサー67の発光部が発光しているときには、第１フォトセンサー66によって、不正器具を用いた不正行為の検出が可能であるとともに、第２フォトセンサー67によって、メダルの通過の検出が可能である。
また、第１フォトセンサー66の発光部が発光し、かつ、第２フォトセンサー67の発光部が発光を止められているときには、第１フォトセンサー66によって、メダルの通過の検出が可能であるとともに、第２フォトセンサー67によって、不正器具を用いた不正行為の検出が可能である。
【００２３】
また、第１フォトセンサー66及び第２フォトセンサー67の双方の発光部が発光させられているときには、従来と同様にして、第１フォトセンサー66及び第２フォトセンサー67によって、メダルの通過の検出と、メダルの進行方向の検出とが可能である。つまり、第１フォトセンサー66の受光部が先に発光部からの光を遮られ、その直後に第２フォトセンサー67の受光部が発光部からの光を遮られれば、メダルの進行方向は正常である。そして、メダルカウント手段170又はクレジットメダルカウント手段180は、第１フォトセンサー66の受光部が先に発光部からの光を遮られ、その直後に第２フォトセンサー67の受光部が発光部からの光を遮られると、１枚のメダルが正常な進行方向で通過したとして、カウント値を１つ加算する。このとき、不正器具による不正行為は検出できない。
【００２４】
そして、例えば、第１フォトセンサー66の発光部の発光を止め、かつ、第２フォトセンサー67の発光部を発光させる状態と、第１フォトセンサー66の発光部を発光させ、かつ、第２フォトセンサー67の発光部の発光を止める状態と、第１フォトセンサー66の発光部と第２フォトセンサー67の発光部との双方を発光させる状態とを、ランダムに、あるいは所定のパターンで切り換えることにより、メダルの通過を検出しつつ、不正器具を用いた不正行為を防止でき、更には、糸を括り付けたメダルでクレジット数を不正に増加させる不正行為をも防止できる。
また、異常判定手段160は、異常と判定したときに、例えば、異常検出信号を出力する。そして、異常検出信号に基づいて、例えば、異常報知手段165が、スピーカ36から警報音を鳴らしたり、ランプ35を点滅させて、異常を報知することができる。また、異常検出信号に基づいて、例えば、遊技制御手段110が、遊技を停止させることにより、不正行為が続行されるのを防止できる。また、異常検出信号に基づいて、例えば、払出制御手段が、ホッパーユニット70の駆動を停止させることにより、メダルが払い出されるのを防止できる。また、異常検出信号を、ホールコンピュータへ送信することにより、遊技機10の管理者に不正行為を知らせることもできる。
【００２５】
また、異常判定手段160は、異常と判定したときに、自ら、スピーカ36から警報音を鳴らしたり、ランプ35を点滅させて、異常を報知したり、遊技を停止させて、不正行為が続行されるのを防止したり、ホッパーユニット70の駆動を停止させて、メダルが払い出されるのを防止するようにしてもよい。
このように、第１フォトセンサー66又は第２フォトセンサー67のいずれか一方の発光部の発光を止め、このとき、当該発光部に対応する受光部が光を検出すると、異常と判定することにより、ハードウエア構成は、従来の遊技機10と同様に、第１フォトセンサー66及び第２フォトセンサー67の２個であっても、主としてソフトウエア制御により、不正器具を用いた不正行為を防止できる。
【００２６】
（請求項２）
請求項２記載の発明は、請求項１記載の発明を限定したものであって、第１フォトセンサー66の発光部から受光部への光路、及び第２フォトセンサー67の発光部から受光部への光路は、メダル通路61を通る１枚のメダルによって、同時に遮られ得るように形成され、発光制御手段150は、第１フォトセンサー66又は第２フォトセンサー67のいずれか一方の発光部の発光を止めていたときに、発光している発光部に対応する受光部が光を検出しなくなると、即時又は所定時間内に、発光を止めていた発光部を発光させ、異常判定手段160は、発光制御手段150が発光を止めていた発光部を発光させたときに、当該発光部に対応する受光部が光を検出しているか否かに基づいて、異常か否かを判定することを特徴とする。
【００２７】
ここで、例えば、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、ランダムに、あるいは所定のパターンで切り換えることにより、メダルの通過を検出しつつ、不正器具を用いた不正行為を防止でき、更には、糸を括り付けたメダルでクレジット数を不正に増加させる不正行為をも防止できるものの、不正器具を用いた不正行為と、糸を括り付けたメダルでクレジット数を不正に増加させる不正行為とを、同時に検出することはできない。
【００２８】
また、例えば、第２フォトセンサー67の発光部の発光を止め、かつ、第１フォトセンサー66の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、ランダムに、あるいは所定のパターンで切り換えることにより、メダルの通過を検出しつつ、不正器具を用いた不正行為を防止でき、更には、糸を括り付けたメダルでクレジット数を不正に増加させる不正行為をも防止できるものの、不正器具を用いた不正行為と、糸を括り付けたメダルでクレジット数を不正に増加させる不正行為とを、同時に検出することはできない。
【００２９】
そこで、本発明では、第１フォトセンサー66又は第２フォトセンサー67のいずれか一方の発光部の発光を止めていたときに、発光している発光部に対応する受光部が光を検出しなくなると、即時又は所定時間内に、発光を止めていた発光部を発光させ、このとき、当該発光部に対応する受光部が光を検出しているか否かに基づいて、異常か否かを判定することにより、不正器具を用いた不正行為と、糸を括り付けたメダルでクレジット数を不正に増加させる不正行為とを同時に防止できるようにしている。
ここで、第１フォトセンサー66の発光部から受光部への光路を「第１光路」とし、また、第２フォトセンサー67の発光部から受光部への光路を「第２光路」とする。
【００３０】
第１フォトセンサー66及び第２フォトセンサー67は、第１光路及び第２光路の位置を、メダル通路61におけるメダルの中心が通る位置からずらして配置されている。これにより、例えば、メダル投入口41から３枚のメダルが連続して投入されて、これら３枚のメダルが切れ目なく連続してメダル通路61を流下したときにも、投入されたメダルが１枚であると誤認することなく、３枚であると正しく検出できるようにしている。つまり、メダルは円形であるから、第１光路及び第２光路の位置を、メダルの中心が通る位置と一致させると、複数枚のメダルが切れ目なく連続してメダル通路61を流下したときに、第１光路及び第２光路が遮られっぱなしの状態となり、投入されたメダルが１枚であると誤認してしまうが、第１光路及び第２光路の位置を、メダルの中心が通る位置からずらすと、複数枚のメダルが切れ目なく連続してメダル通路61を流下しても、第１光路及び第２光路は遮られっぱなしの状態にはならず、複数枚であると正しく検出できるのである。
【００３１】
また、第１フォトセンサー66及び第２フォトセンサー67は、互いに接近して配置されており、これにより、メダル通路61を通る１枚のメダルによって、第１光路及び第２光路が同時に遮られるようにしている。なお、第１光路と第２光路との間の距離は、メダルの直径よりも小さく設定されることはもちろんであるが、上述したように、第１光路及び第２光路の位置を、メダルの中心が通る位置からずらしていることから、そのずれの分も考慮して設定される。具体的には、例えば、メダルの半径を「ｒ」とし、第１光路及び第２光路の位置を、メダルの中心が通る位置から「（１／２）×ｒ」ずらすときには、第１光路と第２光路との間の距離は、「（√３）×ｒ」よりも小さく設定される。
【００３２】
また、発光制御手段150は、第１フォトセンサー66又は第２フォトセンサー67のいずれか一方の発光部の発光を止めていたときに、発光している発光部に対応する受光部が光を検出しなくなると、即時又は所定時間内に、発光を止めていた発光部を発光させる。
具体的には、発光制御手段150は、第１フォトセンサー66の発光部の発光を止めていたときに、第２フォトセンサー67の受光部が光を検出しなくなると、即時又は所定時間内に、発光を止めていた第１フォトセンサー66の発光部を発光させる。
また、発光制御手段150は、第２フォトセンサー67の発光部の発光を止めていたときに、第１フォトセンサー66の受光部が光を検出しなくなると、即時又は所定時間内に、発光を止めていた第２フォトセンサー67の発光部を発光させる。
【００３３】
また、「所定時間」は、第１フォトセンサー66の発光部の発光を止める場合には、メダル通路61を上流側から下流側へ向けて誘導されるメダルが、第２光路を遮りはじめてから、第１光路を遮り終えるまでの時間である。つまり、メダル通路61を上流側から下流側へ向けて誘導されるメダルは、まず、第１光路を遮りはじめ、その後、第１光路を遮り続けたまま、第２光路を遮りはじめ、その後しばらくの間、第１光路と、第２光路とを双方とも遮り続け、その後、第１光路を遮り終えるが、第２光路を遮り続け、その後、第２光路を遮り終える。そして、第２光路を遮りはじめてから、第１光路を遮り終えるまでが、所定時間である。換言すれば、メダル通路61を上流側から下流側へ向けて誘導されるメダルは、第１光路を遮り、かつ、第２光路は遮らない状態と、第１光路を遮り、かつ、第２光路も遮る状態と、第１光路は遮らず、かつ、第２光路を遮る状態と、をつくり出す。そして、第１光路を遮り、かつ、第２光路も遮る状態の継続時間が、所定時間である。
【００３４】
また、「所定時間」は、第２フォトセンサー67の発光部の発光を止める場合には、メダル通路61を上流側から下流側へ向けて誘導されるメダルが、第１光路を遮りはじめてから、第２光路を遮りはじめる直前までの時間である。つまり、第１光路の遮断開始後、第２光路の遮断開始前までが、所定時間である。更に換言すれば、第１光路を遮り、かつ、第２光路は遮らない状態の継続時間が、所定時間である。
また、所定時間は、いずれの場合にも、メダル通路61の傾斜角度や、メダルの大きさや、第１フォトセンサー66及び第２フォトセンサー67の取付位置などの諸条件によって変動する。
【００３５】
また、異常判定手段160は、発光制御手段150が発光部を発光へ切り換えたときに、当該発光部に対応する受光部が光を検出しているか否かに基づいて、異常か否かを判定する。
具体的には、異常判定手段160は、発光制御手段150が、発光を止めていた第１フォトセンサー66の発光部を発光させたときに、第１フォトセンサー66の受光部が光を検出すると、異常と判定する。
また、異常判定手段160は、発光制御手段150が、発光を止めていた第２フォトセンサー67の発光部を発光させたときに、第２フォトセンサー67の受光部が光を検出しないと、異常と判定する。
【００３６】
つまり、仮に、メダル通路61を上流側から下流側へ向けて誘導されるメダルが、第２光路を遮りはじめ、これにより、発光制御手段150が第１フォトセンサー66の発光部を発光停止から発光へ切り換えたときには、当該メダルは、第１光路を遮り終える前であることから、第１フォトセンサー66の受光部は光を検出しないはずであり、第１フォトセンサー66の受光部が光を検出すると、異常である。そして、異常判定手段160は、第１フォトセンサー66の発光部が発光停止から発光へ切り換えられたときに、第１フォトセンサー66の受光部が光を検出すると、糸を括り付けられたメダルがメダル通路61を上方へ向けて誘導されているなどとして、異常と判定する。
【００３７】
また、仮に、メダル通路61を上流側から下流側へ向けて誘導されるメダルが、第１光路を遮り、これにより、発光制御手段150が第２フォトセンサー67の発光部を発光停止から発光へ切り換えたときには、当該メダルは、第２光路を遮る前であることから、第２フォトセンサー67の受光部は光を検出するはずであり、第２フォトセンサー67の受光部が光を検出しないと、異常である。そして、異常判定手段160は、第２フォトセンサー67の発光部が発光停止から発光へ切り換えられたときに、第２フォトセンサー67の受光部が光を検出しないと、糸を括り付けられたメダルがメダル通路61を上方へ向けて誘導されているなどとして、異常と判定する。
【００３８】
このように、第１フォトセンサー66又は第２フォトセンサー67のいずれか一方の発光部の発光を止めていたときに、発光している発光部に対応する受光部が光を検出しなくなると、即時又は所定時間内に、発光を止めていた発光部を発光させ、このとき、当該発光部に対応する受光部が光を検出しているか否かに基づいて、異常か否かを判定することにより、不正器具を用いた不正行為と、糸を括り付けたメダルでクレジット数を不正に増加させる不正行為とを同時に防止できる。
つまり、第１フォトセンサー66の発光部の発光を止めていたときに、第２フォトセンサー67の受光部が光を検出しなくなると、即時又は所定時間内に、第１フォトセンサー66の発光部を発光させ、このとき、第１フォトセンサー66の受光部が光を検出すると、異常と判定することにより、ハードウエア構成は、従来の遊技機10と同様に、第１フォトセンサー66及び第２フォトセンサー67の２個であっても、主としてソフトウエア制御により、不正器具を用いた不正行為と、糸を括り付けたメダルでクレジット数を不正に増加させる不正行為とを同時に防止できる。
【００３９】
また、第２フォトセンサー67の発光部の発光を止めていたときに、第１フォトセンサー66の受光部が光を検出しなくなると、即時又は所定時間内に、第２フォトセンサー67の発光部を発光させ、このとき、第２フォトセンサー67の受光部が光を検出しないと、異常と判定することにより、ハードウエア構成は、従来の遊技機10と同様に、第１フォトセンサー66及び第２フォトセンサー67の２個であっても、主としてソフトウエア制御により、不正器具を用いた不正行為と、糸を括り付けたメダルでクレジット数を不正に増加させる不正行為とを同時に防止できる。
（請求項３）
請求項３記載の発明は、請求項２記載の発明を限定したものであって、発光制御手段150は、第１フォトセンサー66の発光部の発光を止めていたときに、第２フォトセンサー67の受光部が光を検出しなくなると、即時又は所定時間内に、発光を止めていた第１フォトセンサー66の発光部を発光させ、異常判定手段160は、発光制御手段150が発光を止めていた第１フォトセンサー66の発光部を発光させたときに、第１フォトセンサー66の受光部が光を検出すると、異常と判定することを特徴とする。
【００４０】
つまり、請求項３記載の発明は、請求項２記載の発明における、第１フォトセンサー66の発光部の発光を止める場合の制御に限定したものである。
このように、第１フォトセンサー66の発光部の発光を止めていたときに、第２フォトセンサー67の受光部が光を検出しなくなると、即時又は所定時間内に、第１フォトセンサー66の発光部を発光させ、このとき、第１フォトセンサー66の受光部が光を検出すると、異常と判定することにより、比較的簡単な構成で、上記２つの不正行為を同時に防止できる。
つまり、第１フォトセンサー66の発光部の発光を止めるようにすると、第１フォトセンサー66が主として不正行為を検知する役割を担うとともに、第２フォトセンサー67が主としてメダルの枚数をカウントする役割を担うこととなる。そうすると、メダルがメダル通路61を上流側から下流側へ向けて流下したときに、まず主として第１フォトセンサー66の信号によって不正行為でないことを確認し、その後に主として第２フォトセンサー67の信号によってメダルの枚数のカウントができるので、複雑な制御や構成を要することなく、上記２つの不正行為を同時に防止しつつ、メダル投入口41から投入されたメダルの枚数をカウントできるのである。
【００４１】
（請求項４）
請求項４記載の発明は、請求項３記載の発明を限定したものであって、発光制御手段150は、第１フォトセンサー66の発光部の発光を止めかつ第２フォトセンサー67の発光部を発光させた状態でメダル投入口41からのメダルの投入を待つ制御を、常時、実行することを特徴とする。
つまり、遊技機10としてのスロットマシンでは、１回の遊技が終了してからその次にスタートスイッチ43が操作されるまでは、メダル投入可に設定される。また、メダル投入可に設定されていて、かつ、メダル投入口41からメダルが投入されるのを待っている状態が、メダル投入待ち状態である。そして、本発明では、メダル投入待ち状態においては、第１フォトセンサー66の発光部は、常時、発光しておらず、かつ、第２フォトセンサー67の発光部は、常時、発光している。もちろん、メダル投入口41からメダルが投入され、当該メダルによって第２光路が遮られて、第２フォトセンサー67の受光部が光を検出しなくなると、上述したように、第１フォトセンサー66の発光部が発光する。
【００４２】
このように、第１フォトセンサー66の発光部の発光を止め、かつ、第２フォトセンサー67の発光部を発光させた状態で、メダル投入口41からのメダルの投入を待つ制御を、常時、実行することにより、不正行為の防止を図りつつも、制御装置の負担を軽減できる。
（請求項５）
請求項５記載の発明は、請求項３記載の発明を限定したものであって、発光制御手段150は、第１フォトセンサー66の発光部の発光を止めかつ第２フォトセンサー67の発光部を発光させた状態でメダル投入口41からのメダルの投入を待つ制御、又は第１フォトセンサー66及び第２フォトセンサー67の双方の発光部を発光させた状態でメダル投入口41からのメダルの投入を待つ制御のいずれか一方を、遊技が１回行われる毎に、乱数値に基づいて、選択して実行することを特徴とする。
【００４３】
つまり、本発明では、メダル投入待ち状態においては、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とが実行される。そして、本発明では、これら２つの制御のうちのいずれか一方が、遊技が１回行われる毎に、乱数値に基づいて、選択されて実行される。
例えば、ある１回の遊技が終了して、メダル投入可に設定されると、上記２つの制御のうちのいずれか一方が、乱数値に基づいて選択される。このとき、例えば、第１フォトセンサー66の発光部の発光を止め、かつ、第２フォトセンサー67の発光部を発光させた状態で、メダル投入口41からのメダルの投入を待つ制御が選択されたとする。そうすると、この制御は、その後にスタートスイッチ43が操作されてメダル投入不可に設定されるまで継続する。その後、このスタートスイッチ43の操作により開始された遊技が終了して、メダル投入可に設定されると、再び、上記２つの制御のうちのいずれか一方が、乱数値に基づいて選択される。このとき、例えば、第１フォトセンサー66及び第２フォトセンサー67の双方の発光部を発光させた状態で、メダル投入口41からのメダルの投入を待つ制御が選択されたとする。そうすると、この制御は、その後にスタートスイッチ43が操作されてメダル投入不可に設定されるまで継続する。
【００４４】
このように、第１フォトセンサー66の発光部の発光を止め、かつ、第２フォトセンサー67の発光部を発光させた状態で、メダル投入口41からのメダルの投入を待つ制御、又は第１フォトセンサー66及び第２フォトセンサー67の双方の発光部を発光させた状態で、メダル投入口41からのメダルの投入を待つ制御のいずれか一方を、遊技が１回行われる毎に、乱数値に基づいて、選択して実行することにより、第１フォトセンサー66の発光部の発光又は消灯のパターンと、不正器具のＬＥＤの発光又は消灯のパターンとを同期させることが困難になる。これにより、不正行為のより一層の防止が図れる。
（請求項６）
請求項６記載の発明は、請求項３記載の発明を限定したものであって、発光制御手段150は、第１フォトセンサー66の発光部の発光を止めかつ第２フォトセンサー67の発光部を発光させた状態でメダル投入口41からのメダルの投入を待つ制御と、第１フォトセンサー66及び第２フォトセンサー67の双方の発光部を発光させた状態でメダル投入口41からのメダルの投入を待つ制御とを、メダルが１枚検出される毎に、交互に切り換えて実行することを特徴とする。
【００４５】
つまり、本発明でも、メダル投入待ち状態においては、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とが実行される。そして、本発明では、これら２つの制御が、メダルが１枚検出される毎に、交互に切り換えられて実行される。
例えば、ある１枚のメダルの検出が、第１フォトセンサー66の発光部の発光を止め、かつ、第２フォトセンサー67の発光部を発光させた状態で行われたとする。そうすると、その次に投入されるメダルの検出は、第１フォトセンサー66及び第２フォトセンサー67の双方の発光部を発光させた状態で行われる。
【００４６】
例えば、メダル投入可に設定されてメダル投入待ち状態になってから、スタートスイッチ43が操作されて遊技が開始されるまでの間に、１０枚のメダルが投入されたとすると、上記２つの制御が交互に１０回切り換えられる。
このように、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、メダルが１枚検出される毎に、交互に切り換えて実行することにより、第１フォトセンサー66の発光部の発光又は消灯のパターンと、不正器具のＬＥＤの発光又は消灯のパターンとを同期させることが困難になる。これにより、不正行為のより一層の防止が図れる。
【００４７】
（請求項７）
請求項７記載の発明は、請求項３記載の発明を限定したものであって、発光制御手段150は、第１フォトセンサー66の発光部の発光を止めかつ第２フォトセンサー67の発光部を発光させた状態でメダル投入口41からのメダルの投入を待つ制御と、第１フォトセンサー66及び第２フォトセンサー67の双方の発光部を発光させた状態でメダル投入口41からのメダルの投入を待つ制御とを、メダル１枚の検出に要する時間よりも短い間隔で、交互に切り換えて実行することを特徴とする。
つまり、本発明でも、メダル投入待ち状態においては、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とが実行される。そして、本発明では、これら２つの制御が、メダル１枚の検出に要する時間よりも短い間隔で、交互に切り換えられて実行される。
【００４８】
例えば、メダル投入口41から投入されたメダルがメダル通路61を流下して、メダルセレクター63まで到達するまでの間にも、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とが、何度も交互に切り換えられる。
このように、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、メダル１枚の検出に要する時間よりも短い間隔で、交互に切り換えて実行することにより、第１フォトセンサー66の発光部の発光又は消灯のパターンと、不正器具のＬＥＤの発光又は消灯のパターンとを同期させることが困難になる。これにより、不正行為のより一層の防止が図れる。
【発明の効果】
【００４９】
（請求項１）
請求項１記載の発明によれば、第１フォトセンサー又は第２フォトセンサーのいずれか一方の発光部の発光を止め、このとき、発光を止めた発光部に対応する受光部が光を検出すると、異常と判定することにより、不正器具を用いた不正行為を防止できる遊技機を提供できる。
（請求項２）
請求項２記載の発明によれば、第１フォトセンサー又は第２フォトセンサーのいずれか一方の発光部の発光を止めていたときに、発光している発光部に対応する受光部が光を検出しなくなると、即時又は所定時間内に、発光を止めていた発光部を発光させ、このとき、当該発光部に対応する受光部が光を検出しているか否かに基づいて、異常か否かを判定することにより、不正器具を用いた不正行為と、糸を括り付けたメダルでクレジット数を不正に増加させる不正行為とを同時に防止可能な遊技機を提供できる。
【００５０】
（請求項３）
また、請求項３記載の発明によれば、第１フォトセンサーの発光部の発光を止めていたときに、第２フォトセンサーの受光部が光を検出しなくなると、即時又は所定時間内に、第１フォトセンサーの発光部を発光させ、このとき、第１フォトセンサーの受光部が光を検出すると、異常と判定することにより、比較的簡単な構成で、上記２つの不正行為を防止可能な遊技機を提供できる。
（請求項４）
また、請求項４記載の発明によれば、第１フォトセンサーの発光部の発光を止めかつ第２フォトセンサーの発光部を発光させた状態でメダル投入口からのメダルの投入を待つ制御を、常時、実行することから、不正行為の防止を図りつつも、制御装置の負担の軽減が図れる遊技機を提供できる。
【００５１】
（請求項５）
また、請求項５記載の発明によれば、第１フォトセンサーの発光部の発光を止めかつ第２フォトセンサーの発光部を発光させた状態でメダル投入口からのメダルの投入を待つ制御、又は第１フォトセンサー及び第２フォトセンサーの双方の発光部を発光させた状態でメダル投入口からのメダルの投入を待つ制御のいずれか一方を、遊技が１回行われる毎に、乱数値に基づいて、選択して実行することから、第１フォトセンサーの発光部の発光又は消灯のパターンと不正器具のＬＥＤの発光又は消灯のパターンとを同期させることが困難になるので、不正行為のより一層の防止が図れる遊技機を提供できる。
【００５２】
（請求項６）
また、請求項６記載の発明によれば、第１フォトセンサーの発光部の発光を止めかつ第２フォトセンサーの発光部を発光させた状態でメダル投入口からのメダルの投入を待つ制御と、第１フォトセンサー及び第２フォトセンサーの双方の発光部を発光させた状態でメダル投入口からのメダルの投入を待つ制御とを、メダルが１枚検出される毎に、交互に切り換えて実行することから、第１フォトセンサーの発光部の発光又は消灯のパターンと不正器具のＬＥＤの発光又は消灯のパターンとを同期させることが困難になるので、不正行為のより一層の防止が図れる遊技機を提供できる。
【００５３】
（請求項７）
また、請求項７記載の発明によれば、第１フォトセンサーの発光部の発光を止めかつ第２フォトセンサーの発光部を発光させた状態でメダル投入口からのメダルの投入を待つ制御と、第１フォトセンサー及び第２フォトセンサーの双方の発光部を発光させた状態でメダル投入口からのメダルの投入を待つ制御とを、メダル１枚の検出に要する時間よりも短い間隔で、交互に切り換えて実行することから、第１フォトセンサーの発光部の発光又は消灯のパターンと不正器具のＬＥＤの発光又は消灯のパターンとを同期させることが困難になるので、不正行為のより一層の防止が図れる遊技機を提供できる。
【発明を実施するための最良の形態】
【００５４】
（第１の実施の形態）
（図面の説明）
図１ないし図８は、本発明の第１の実施の形態を示すものである。
図１は、遊技機10のブロック図、図２は、遊技機10の正面図、図３は、メダル処理ユニット60の正面図、図５は、メダルが第１フォトセンサー66及び第２フォトセンサー67を通過する様子を示す概念図、図６は、メダル検出信号のタイムチャート、図７及び図８は、メダル検出処理のフローチャートである。
（遊技機10）
図２に示すように、本実施の形態に係る遊技機10は、スロットマシンである。
【００５５】
また、図２に示すように、スロットマシンは、前面に開口部を有する箱型の筐体20を備えている。また、筐体20の前面には、開口部を塞ぐ前扉30を備えている。また、筐体20の内部には、３個の回転リール51を横並びに設けたリールユニット50を備えている。また、前扉30のほぼ中央には、各回転リール51の周囲に付されている図柄を透視可能な図柄透視窓31が設けられている。
また、図柄透視窓31は、各回転リール51の前方に位置しており、３個すべての回転リール51の回転が停止した際には、縦３列横３行に配列した合計９個の図柄が透視可能となるように形成されている。また、図柄透視窓31を通して透視可能となる縦３列横３行の図柄配列は、「出目」などと呼ばれる。
【００５６】
また、本実施の形態では、左側の回転リール51の回転が停止した際に図柄透視窓31を通して透視可能となる３個の図柄を上から順にそれぞれ「左リール上図柄」「左リール中図柄」「左リール下図柄」とし、また、中央の回転リール51の回転が停止した際に図柄透視窓31を通して透視可能となる３個の図柄を上から順にそれぞれ「中リール上図柄」「中リール中図柄」「中リール下図柄」とし、また、右側の回転リール51の回転が停止した際に図柄透視窓31を通して透視可能となる３個の図柄を上から順にそれぞれ「右リール上図柄」「右リール中図柄」「右リール下図柄」としている。
また、本実施の形態では、第１から第５までの５本の入賞ラインを設けている。具体的には、左リール中図柄と中リール中図柄と右リール中図柄とを通るのが「第１入賞ライン」であり、また、左リール上図柄と中リール上図柄と右リール上図柄とを通るのが「第２入賞ライン」であり、また、左リール下図柄と中リール下図柄と右リール下図柄とを通るのが「第３入賞ライン」であり、また、左リール下図柄と中リール中図柄と右リール上図柄とを通るのが「第４入賞ライン」であり、また、左リール上図柄と中リール中図柄と右リール下図柄とを通るのが「第５入賞ライン」である。
【００５７】
また、図２に示すように、図柄透視窓31の下方には、前扉30の前面から前方へ向けて突出する操作部40が設けられている。そして、操作部40の上面右側には、メダルを投入するためのメダル投入口41が設けられ、また、操作部40の上面左側には、クレジットされているメダルを投入するためのベットスイッチ42が設けられ、また、操作部40の前面右側には、クレジットされているメダルを払い出すための精算スイッチ45が設けられ、また、操作部40の前面左側には、回転リール51の回転を開始させるためのスタートスイッチ43が設けられ、また、操作部40の前面中央には、回転リール51の回転を停止させるための３個のストップスイッチ44が横並びに設けられている。
【００５８】
また、前扉30の下部中央には、メダルを払い出すためのメダル払出口32、及びメダルを返却するためのメダル返却口33が設けられているとともに、これらの下方には、これらから排出されたメダルを受け止めて貯留するためのメダル受け皿34が設けられている。
また、前扉30の上部には、演出などに用いられるランプ35が設けられ、また、メダル払出口32及びメダル返却口33の両側には、効果音などを鳴らすためのスピーカ36が設けられている。
また、前扉30の裏側には、メダル投入口41に投入されたメダルを処理するためのメダル処理ユニット60が備えられ、また、筐体20の内部には、遊技機10を制御するための制御装置100、及びメダルを払い出すためのホッパーユニット70が備えられている。
【００５９】
（制御装置100）
制御装置100は、遊技機10を制御するためのものである。
また、制御装置100は、ＣＰＵ、ＲＡＭ、ＲＯＭ、及びＩ／Ｏなどを備えたマイクロコンピュータを用いて構成されている。
また、図１に示すように、制御装置100の入力手段としては、スタートスイッチ43、ストップスイッチ44、ベットスイッチ42、精算スイッチ45、及びメダルセンサー65などが接続されている。
また、図１に示すように、制御装置100の出力手段としては、リールユニット50、ホッパーユニット70、及びメダル処理ユニット60などが接続されている。
【００６０】
また、制御装置100は、ＣＰＵがＲＯＭに記憶された所定のプログラムを実行することにより、発光制御手段150、異常判定手段160、異常報知手段165、メダルカウント手段170、クレジットメダルカウント手段180、遊技制御手段110、役抽選手段120、停止制御手段130、及び入賞判定手段140などとして機能する。
（スタートスイッチ43）
スタートスイッチ43は、回転リール51の回転を開始させるためのものであって、図２に示すように、操作部40の前面左側に設けられている。
また、スタートスイッチ43は、レバー式のスイッチを用いて構成されており、レバーの先端を押し下げると、スタート信号が出力されるようになっている。そして、スタート信号が出力されると、各回転リール51の回転が開始するようになっている。
【００６１】
（ストップスイッチ44）
ストップスイッチ44は、回転リール51の回転を停止させるためのものであって、図２に示すように、操作部40の前面中央に設けられている。また、ストップスイッチ44は、各回転リール51にそれぞれ対応して設けられている。つまり、ストップスイッチ44は、３個設けられており、また、３個のストップスイッチ44は、操作部40の前面中央に横並びに設けられている。
また、各ストップスイッチ44は、それぞれ、押しボタン式のスイッチを用いて構成されており、左側のストップスイッチ44が備えるボタンを押すと、左ストップ信号が出力され、また、中央のストップスイッチ44が備えるボタンを押すと、中ストップ信号が出力され、また、右側のストップスイッチ44が備えるボタンを押すと、右ストップ信号が出力されるようになっている。そして、左ストップ信号が出力されると、左側の回転リール51の回転が停止し、また、中ストップ信号が出力されると、中央の回転リール51の回転が停止し、また、右ストップ信号が出力されると、右側の回転リール51の回転が停止するようになっている。
【００６２】
（ベットスイッチ42）
ベットスイッチ42は、クレジットされているメダルを投入するためのものであって、図２に示すように、操作部40の上面左側に設けられている。
また、本実施の形態では、ベットスイッチ42として、シングルベットスイッチ42aと、マックスベットスイッチ42bとを設けている。また、図２に示すように、シングルベットスイッチ42a及びマックスベットスイッチ42bは、操作部40の上面左側に横並びに設けられている。
また、シングルベットスイッチ42aは、押しボタン式のスイッチを用いて構成されており、ボタンを押すと、１枚ベット信号が出力されるようになっている。そして、ボタンを１回押すと、１枚ベット信号が１回出力されて、クレジットされているメダルが１枚投入され、また、ボタンを２回押すと、１枚ベット信号が２回出力されて、クレジットされているメダルが２枚投入され、また、ボタンを３回押すと、１枚ベット信号が３回出力されて、クレジットされているメダルが３枚投入されるようになっている。
【００６３】
また、マックスベットスイッチ42bも、シングルベットスイッチ42aと同様に、押しボタン式のスイッチを用いて構成されている。ただ、マックスベットスイッチ42bは、ボタンを押すと、マックスベット信号が出力されるようになっている。そして、マックスベット信号が出力されると、クレジットされているメダルが、１回の遊技につき投入可能な最大枚数（本実施の形態では３枚）投入されるようになっている。
（精算スイッチ45）
精算スイッチ45は、クレジットされているメダルを払い出すためのものであって、図２に示すように、操作部40の前面右側に設けられている。
【００６４】
また、精算スイッチ45は、押しボタン式のスイッチを用いて構成されており、ボタンを押すと、精算信号が出力されるようになっている。そして、精算信号が出力されると、クレジットされているメダルがすべてメダル払出口32から払い出されるようになっている。
（メダル投入口41）
図２に示すように、メダル投入口41は、操作部40の上面右側に設けられている。
（メダル払出口32）
図２に示すように、メダル払出口32は、前扉30の下部中央に設けられている。
（メダル返却口33）
図２に示すように、メダル返却口33は、前扉30の下部中央に設けられている。
【００６５】
また、本実施の形態では、メダル払出口32とメダル返却口33とを共用している。
（メダル受け皿34）
メダル受け皿34は、メダル払出口32及びメダル返却口33から排出されたメダルを受け止めて貯留するためのものであって、図２に示すように、メダル払出口32及びメダル返却口33の下方に設けられている。
（リールユニット50）
リールユニット50は、フレームと、このフレームに横並びに固定した３個のステッピングモータと、各ステッピングモータの出力軸に固定した３個の回転リール51とを備えている。
【００６６】
また、各回転リール51の周囲には、「７」「ＢＡＲ」「ベル」「スイカ」「チェリー」「Ｒ」などの複数種類の図柄が所定の配列で合計２１個付されている。
また、本実施の形態では、「７」の図柄は、ビッグボーナス入賞（ＢＢ入賞）に対応した図柄とされ、また、「ＢＡＲ」の図柄は、レギュラーボーナス入賞（ＲＢ入賞）に対応した図柄とされ、また、「ベル」の図柄は、ベル入賞に対応した図柄とされ、また、「スイカ」の図柄は、スイカ入賞に対応した図柄とされ、また、「チェリー」の図柄は、チェリー入賞に対応した図柄とされ、また、「Ｒ」の図柄は、リプレイ入賞に対応した図柄とされている。
【００６７】
（ホッパーユニット70）
ホッパーユニット70は、メダル払出口32からメダルを払い出すためのものであって、筐体20の内部に備えられている。
また、ホッパーユニット70は、図示しないが、メダルを貯留するためのメダルタンクと、メダルタンクに貯留されているメダルを送り出すための送出機構とを備えている。そして、送出機構によって送り出されたメダルは、メダル払出口32から排出されるようになっている。
（メダル処理ユニット60）
メダル処理ユニット60は、メダル投入口41に投入されたメダルを処理するためのものであって、前扉30の裏側に設けられている。
【００６８】
また、図３に示すように、メダル処理ユニット60は、メダル投入口41に投入されたメダルを一定方向へ誘導するためのメダル通路61と、メダル通路61の途中から分岐するメダル返却通路62と、メダル通路61からメダル返却通路62が分岐する分岐部に設けたメダルセレクター63と、メダル通路61の途中であってメダルセレクター63よりも下流側に設けたメダルセンサー65とを備えている。
（メダル通路61）
メダル通路61は、メダル投入口41に投入されたメダルを一定方向へ誘導するためのものである。
【００６９】
図３に示すように、メダル通路61の一端は、メダル投入口41に連通している。また、図示しないが、メダル通路61の他端は、メダルタンクの上方に位置している。また、メダル通路61のメダル投入口41側が、上流側であり、また、メダル通路61のメダルタンク側が、下流側である。また、メダル通路61は、メダル投入口41側からメダルタンク側へ向かうにしたがって、つまり、上流側から下流側へ向かうにしたがって、高さが次第に低くなるように形成されている。これにより、メダル通路61は、メダル投入口41に投入されたメダルを、上流側から下流側へ向けて、一定方向へ誘導するようにしている。また、メダル通路61は、途中で屈曲することにより、ほぼＬ字型に形成されており、メダル投入口41から鉛直下方へ向かう鉛直部61aと、鉛直部61aの下端から斜め下方へ向けて比較的緩やかに傾斜する緩傾斜部61bと、鉛直部61aと緩傾斜部61bとをなめらかにつなぐ屈曲部61cとを有している。また、メダル返却通路62は、メダル通路61の緩傾斜部61bの途中から分岐しており、また、メダルセレクター63及びメダルセンサー65は、メダル通路61の緩傾斜部61bの所定位置に設けられている。また、メダル通路61の緩傾斜部61bにおいては、メダルの流下速度は、比較的遅くなる。本実施の形態では、仮にメダルがメダル投入口41からメダル通路61内に勢いよく押し込まれるようにして投入されたとしても、なめらかにカーブした屈曲部61cと、それに続く緩傾斜部61bとによって、メダルの流下速度が、メダルセンサー63でのメダルの検出に適した所定の範囲内におさまるようにしている。このように、メダル通路61の一部に屈曲部61cと緩傾斜部61bとを設けて、緩傾斜部61bにおいてメダルが比較的遅い速度で流下するようにするとともに、緩傾斜部61bにメダルセレクター63及びメダルセンサー65を設けることにより、メダルセレクター63でのメダルの選別や、メダルセンサー65でのメダルの検出を確実に行えるようにし、更には、後述する不正行為を防止する制御を可能としている。
【００７０】
（メダル返却通路62）
メダル返却通路62は、メダル通路61の途中から分岐する通路である。
図３に示すように、メダル返却通路62の一端は、メダル通路61に連通している。また、図示しないが、メダル返却通路62の他端は、メダル返却口33の上方に位置している。また、メダル返却通路62は、メダル通路61の緩傾斜部61bの途中から鉛直下方へ向けて延びている。これにより、メダル通路61からメダル返却通路62へ誘導されたメダルは、自重で下方へ誘導されて、メダル返却口33から排出されるようになっている。
（メダルセレクター63）
メダルセレクター63は、規格外のメダルを選別してメダル返却通路62へ誘導するとともに、メダル投入不可に設定されているときにメダル投入口41から投入されたメダルをメダル返却通路62へ誘導するためのものである。
【００７１】
図３に示すように、メダルセレクター63は、メダル通路61からメダル返却通路62が分岐する分岐部に設けられている。
また、メダルセレクター63は、規格に適合するメダルを、メダル通路61の分岐部よりも下流側へ誘導するとともに、規格外のメダルを、メダル返却通路62へ誘導する。つまり、メダルセレクター63は、規格に適合するメダルの進路を、メダル通路61の分岐部よりも下流側方向にするとともに、規格外のメダルの進路を、メダル返却通路62方向にする。
メダル投入口41に投入されたメダルはすべて、メダルセレクター63に到達する。規格に適合するメダルは、メダルセレクター63によってメダル通路61の分岐部よりも下流側へ誘導され、メダル通路61をさらに流下するが、規格外のメダルは、メダルセレクター63によってメダル返却通路62へ誘導される。そして、メダル返却通路62へ誘導されたメダルは、自重でメダル返却通路62を流下して、メダル返却口33から排出される。
【００７２】
より具体的には、図４に示すように、メダル通路61は、上流側から下流側へ向けて斜め下方に傾斜するのみならず、上側の縁が遊技機10の前方へ傾くように傾斜している。これにより、メダルは、上側を遊技機10の前方へ傾斜させた状態で、メダル通路61を上流側から下流側へ向けて流下する。また、メダルセレクター63は、規格に適合したメダルの上側の縁と係合する上側係合鍔部63aと、メダルの下側の縁と係合する下側係合鍔部63bと、上側係合鍔部63a及び下側係合鍔部63bの間に形成されている、規格外のメダルを脱落させる脱落用開口63cとを備えている。
そして、メダル投入口41に投入され、メダル通路61を通り、メダルセレクター63に達したメダルのうち、規格に適合するメダルは、その上側の縁が上側係合鍔部63aに係合するとともに、その下側の縁が下側係合鍔部63bに係合することにより、脱落用開口63cから脱落することなく、メダルセレクター63を通過し、メダル通路61の分岐部よりも下流側へ誘導される。一方、直径が規格よりも小さいメダルは、その上側の縁が上側係合鍔部63aに係合せず、これにより、脱落用開口63cから脱落して、メダル返却通路62へ誘導される。
【００７３】
また、メダルセレクター63は、規格に適合するメダルの進路をメダルタンク方向又はメダル返却通路62方向のいずれか一方へ切り換えるための進路切換機構を備えている。
また、進路切換機構は、メダル投入可に設定されているときには、メダル投入口41から投入されたメダルの進路を、メダル通路61の分岐部よりも下流側方向にし、一方、メダル投入不可に設定されているときには、メダル投入口41から投入されたメダルの進路を、メダル返却通路62方向に切り換える。つまり、進路切換機構は、メダル投入可に設定されているときには、メダル投入口41から投入されたメダルを、メダル通路61の分岐部よりも下流側へ誘導するとともに、メダル投入不可に設定されているときには、メダル投入口41から投入されたメダルを、メダル返却通路62へ誘導する。
【００７４】
メダル投入口41に投入されたメダルはすべて、メダルセレクター63に到達する。メダル投入可に設定されているときにメダル投入口41に投入されたメダルは、メダルセレクター63が備える進路切換機構によって、メダル通路61の分岐部よりも下流側へ誘導され、メダル通路61をさらに流下するが、メダル投入不可に設定されているときにメダル投入口41に投入されたメダルは、規格に適合するものであっても、メダルセレクター63が備える進路切換機構によって、メダル返却通路62へ誘導される。そして、メダル返却通路62へ誘導されたメダルは、自重でメダル返却通路62を流下して、メダル返却口33から排出される。
より具体的には、図４に示すように、進路切換機構は、断面がほぼＬ字型の揺動アーム63dと、揺動アーム63dを所定方向へ付勢するスプリング63eと、スプリング63eの付勢力に抗して揺動アーム63dを動かすキャンセルコイル63fとから構成されている。
【００７５】
また、揺動アーム63dの上側の片は、その上端を回動可能に軸支され、また、揺動アーム63dの下側の片は、メダル通路61の下側の縁の一部を構成している。
キャンセルコイル63fに通電しているときには、図４（Ａ）に示すように、キャンセルコイル63fの鉄心が、スプリング63eの付勢力に抗して、揺動アーム63dの上側の片を引き寄せる。そして、揺動アーム63dの上側の片がキャンセルコイル63fの鉄心に引き寄せられて接触した状態では、メダル通路61の上側の縁と下側の縁との間隔が、規格に適合するメダルの直径よりもわずかに大きい寸法となる。これにより、規格に適合するメダルは、その上側の縁が上側係合鍔部63aに係合するとともに、その下側の縁が下側係合鍔部63bに係合して、脱落用開口63cから脱落することなく、メダルセレクター63を通過する。
【００７６】
一方、キャンセルコイル63fに通電していないときには、図４（Ｂ）に示すように、揺動アーム63dの上側の片がキャンセルコイル63fの鉄心に引き寄せられることなく、スプリング63eによって付勢される。そして、揺動アーム63dの上側の片がキャンセルコイル63fの鉄心から離れ、スプリング63eによって付勢された状態では、メダル通路61の上側の縁と下側の縁との間隔が、規格に適合するメダルの直径よりも十分に大きい寸法となる。これにより、規格に適合するメダルであっても、その上側の縁が上側係合鍔部63aに係合せず、これにより、脱落用開口63cから脱落して、メダル返却通路62へ誘導される。
またここで、本実施の形態に係る遊技機10では、スタートスイッチ43の操作からこのスタートスイッチ43の操作により開始された遊技が終了するまでは、メダル投入不可に設定される一方で、１回の遊技が終了してからその次にスタートスイッチ43が操作されるまでは、メダル投入可に設定される。
【００７７】
そして、進路切換機構は、メダル投入可に設定されているときには、キャンセルコイル63fに通電させる。これにより、スプリング63eの付勢力に抗して揺動アーム63dを引き寄せて、図４（Ａ）に示す状態にする。そうすると、規格に適合するメダルは、その上側の縁が上側係合鍔部63aに係合するとともに、その下側の縁が下側係合鍔部63bに係合して、脱落用開口63cから脱落することなく、メダルセレクター63を通過する。
一方、進路切換機構は、メダル投入不可に設定されているときには、キャンセルコイル63fに通電させない。これにより、揺動アーム63dがスプリング63eによって付勢されるようにして、図４（Ｂ）に示す状態にする。そうすると、規格に適合するメダルであっても、その上側の縁が上側係合鍔部63aに係合せず、これにより、脱落用開口63cから脱落して、メダル返却通路62へ誘導される。
【００７８】
（メダルセンサー65）
メダルセンサー65は、メダル通路61の途中に設けられるものであって、メダルの通過を検出してメダル検出信号を出力するためのものである。
図３に示すように、本実施の形態では、メダルセンサー65は、メダルの進行方向に沿って並列に設けた２個のフォトセンサーから構成されている。メダル通路61の上流側に設けられているのが第１フォトセンサー66であり、また、下流側に設けられているのが第２フォトセンサー67である。
また、第１フォトセンサー66は、メダル通路61の途中における、メダルセレクター63よりも下流側の所定位置に設けられている。
【００７９】
また、第２フォトセンサー67は、メダル通路61の途中における、第１フォトセンサー66よりも下流側の所定位置に設けられている。
また、第１フォトセンサー66は、光を発する発光部と、発光部から発せられた光を受ける受光部とを備えている。また、第１フォトセンサー66は、発光部と受光部とでメダル通路61を挟むようにして、メダル通路61の途中の所定位置に設けられている。そして、メダル通路61を通るメダルが、第１フォトセンサー66の発光部と受光部との間を通るようにしている。これにより、第１フォトセンサー66は、メダル通路61を通るメダルによって、発光部から受光部への光路を遮られるようになっている。
【００８０】
また、第１フォトセンサー66は、発光部から発せられた光が途中で遮られることなく受光部に届いているときには、出力端子からＨｉレベルの信号を出力し続け、一方、発光部から発せられた光が途中で遮られて受光部に届かないときには、出力端子からＬｏレベルの信号を出力し続ける。
つまり、第１フォトセンサー66は、発光部から発せられた光を受光部が検出しているときには、出力端子からＨｉレベルの信号を出力し続け、一方、発光部から発せられた光を受光部が検出していないときには、出力端子からＬｏレベルの信号を出力し続ける。
また、第１フォトセンサー66は、受光部による光の検出を可能としたまま、発光部の発光を止めることが可能に形成されている。
【００８１】
また、「発光部の発光を止めることが可能」とは、発光部の光を消すことが可能という意味であり、更に換言すれば、発光部を消灯させることが可能、あるいは発光部の機能をＯＦＦにすることが可能という意味である。
また、「受光部による光の検出を可能としたまま、発光部の発光を止めることが可能」とは、受光部が光を検出し続けるようにしたまま、発光部の光を消すことが可能という意味であり、更に換言すれば、受光部の機能を生かしたまま、発光部の機能を停止させることが可能、あるいは受光部の機能をＯＮにしたまま、発光部の機能をＯＦＦにすることが可能という意味である。
【００８２】
これにより、第１フォトセンサー66は、発光部の発光を止めているときであっても、発光部が発する光と同質の光を受光部が検出すると、出力端子からＨｉレベルの信号を出力し、発光部が発する光と同質の光を受光部が検出している間中ずっと、出力端子からＨｉレベルの信号を出力し続ける。
また、第２フォトセンサー67も、第１フォトセンサー66と同様に、発光部と受光部とを備え、メダル通路61を通るメダルによって、発光部から受光部への光路が遮られるようになっており、更には、発光部から発せられた光が途中で遮られることなく受光部に届いているときには、出力端子からＨｉレベルの信号を出力し続け、一方、発光部から発せられた光が途中で遮られて受光部に届かないときには、出力端子からＬｏレベルの信号を出力し続ける。
【００８３】
ただ、本実施の形態では、第２フォトセンサー67は、受光部による光の検出を可能としたまま、発光部の発光を止めることはできない。つまり、本実施の形態では、第２フォトセンサー67は、発光部の機能をＯＮにすれば、受光部の機能もＯＮになり、また、発光部の機能をＯＦＦにすれば、受光部の機能もＯＦＦになる。
また、本実施の形態では、第１フォトセンサー66の発光部から受光部への光路、及び第２フォトセンサー67の発光部から受光部への光路は、メダル通路61を通る１枚のメダルによって、同時に遮られ得るようになっている。
ここで、第１フォトセンサー66の発光部から受光部への光路を「第１光路」とし、また、第２フォトセンサー67の発光部から受光部への光路を「第２光路」とする。
【００８４】
本実施の形態では、第１フォトセンサー66及び第２フォトセンサー67は、第１光路及び第２光路の位置を、メダル通路61におけるメダルの中心が通る位置からずらして配置されている。これにより、例えば、メダル投入口41から３枚のメダルが連続して投入されて、これら３枚のメダルが切れ目なく連続してメダル通路61を流下したときにも、投入されたメダルが１枚であると誤認することなく、３枚であると正しく検出できるようにしている。つまり、メダルは円形であるから、第１光路及び第２光路の位置を、メダルの中心が通る位置と一致させると、複数枚のメダルが切れ目なく連続してメダル通路61を流下したときに、第１光路及び第２光路が遮られっぱなしの状態となり、投入されたメダルが１枚であると誤認してしまうが、第１光路及び第２光路の位置を、メダルの中心が通る位置からずらすと、複数枚のメダルが切れ目なく連続してメダル通路61を流下しても、第１光路及び第２光路は遮られっぱなしの状態にはならず、複数枚であると正しく検出できるのである。
【００８５】
また、本実施の形態では、第１光路と第２光路との間の距離が、第１光路及び第２光路がある位置におけるメダルの幅よりも小さくなるように、第１フォトセンサー66と第２フォトセンサー67とを配置している。そして、メダル通路61を通る１枚のメダルによって、第１光路及び第２光路が、同時に遮られ得るようにしている。
また、本実施の形態では、メダル通路61を下方へ誘導されるメダルは、まず、第１光路を遮りはじめ、その後、第１光路を遮り続けたまま、第２光路を遮りはじめ、その後しばらくの間、第１光路と第２光路とを双方とも遮り続け、その後、第１光路を遮り終えるが、第２光路を遮り続け、その後、第２光路を遮り終える。
【００８６】
また、図５中の黒丸は、オプティカルセンター68を示すものであり、すなわち、第１光路及び第２光路の位置を示すものである。
また、図５の（ａ）のメダルは、第１光路を遮りはじめた位置にあり、また、図５の（ｂ）のメダルは、第１光路を遮り続けたまま、第２光路を遮りはじめた位置にあり、また、図５の（ｃ）のメダルは、第２光路を遮り続けたまま、第１光路を遮り終えた位置にあり、また、図５の（ｄ）のメダルは、第２光路を遮り終えた位置にある。
また、本実施の形態では、メダル通路61を下方へ誘導されるメダルは、第１光路も第２光路も遮る前の状態と、第１光路は遮りかつ第２光路は遮る前の状態と、第１光路も第２光路も遮る状態と、第１光路は遮り終えかつ第２光路は遮る状態と、第１光路も第２光路も遮り終えた状態と、をつくり出す。
【００８７】
また、本実施の形態では、メダル投入口41に投入されたメダルは、３００ｍｍ／秒程度の速度で、メダル通路61を流下する。また、本実施の形態では、第１光路と第２光路との間の距離を、６ｍｍとしている。このため、本実施の形態では、メダル投入口41に投入されたメダルが、第１光路を遮りはじめる位置から、第２光路を遮りはじめる位置まで移動するのに要する時間は、２０ミリ秒程度である。そして、本実施の形態では、制御装置100は、１ミリ秒間隔で、第１フォトセンサー66及び第２フォトセンサー67を監視するようにしている。つまり、制御装置100は、第１フォトセンサー66及び第２フォトセンサー67の各出力端子から出力されている信号が、Ｈｉレベルの信号か、あるいはＬｏレベルの信号かを、１ミリ秒毎にチェックしている。そして、このチェックの結果を、メダル検出処理や、異常判定処理等に反映させている。
【００８８】
また、本実施の形態では、第１フォトセンサー66及び第２フォトセンサー67の出力端子から出力されるＬｏレベルの信号を、メダル検出信号としている。
なお、第１フォトセンサー66及び第２フォトセンサー67を通過したメダルは、メダル通路61を更に流下して、ホッパーユニット70のメダルタンクに貯留される。
（発光制御手段150）
発光制御手段150は、発光部の発光を制御するためのものである。
本実施の形態では、発光制御手段150は、第１フォトセンサー66の発光部の発光を制御する。つまり、発光制御手段150は、第１フォトセンサー66の発光部について、発光させたり、発光を止めたりする。
【００８９】
また、本実施の形態では、発光制御手段150は、メダル投入待ち状態においては、第１フォトセンサー66の発光を止める。
また、「メダル投入待ち状態」とは、メダル投入口41にメダルが投入されるのを待っている状態をいう。
また、本実施の形態では、発光制御手段150は、第１フォトセンサー66の発光を止めていたときに、第２フォトセンサー67の受光部が光を検出しなくなると、所定時間内に、発光を止めていた第１フォトセンサー66の発光部を発光させる。
また、本実施の形態では、「所定時間」は、メダル通路61を下方へ誘導されるメダルが、第２光路を遮りはじめてから、第１光路を遮り終えるまでの時間である。
【００９０】
つまり、本実施の形態では、メダル通路61を下方へ誘導されるメダルが第１光路も第２光路も遮る状態の継続時間が、所定時間である。
また、本実施の形態では、発光制御手段150は、ひとたび第１フォトセンサー66の発光部を発光させると、メダル１枚カウント処理が終わるまで、第１フォトセンサー66の発光部を発光させ続ける。また、メダル１枚カウント処理が終わると、メダル投入待ち状態になる。そうすると、発光制御手段150は、第１フォトセンサー66の発光部の発光を止める。
（異常判定手段160）
異常判定手段160は、発光制御手段150が発光部の発光を止めているときに、当該発光部に対応する受光部が光を検出すると、異常と判定するためのものである。
【００９１】
本実施の形態では、異常判定手段160は、発光制御手段150が第１フォトセンサー66の発光部の発光を止めているときに、第１フォトセンサー66の受光部が光を検出すると、異常と判定する。
つまり、第１フォトセンサー66の発光部の発光が止められているときには、第１フォトセンサー66の受光部は通常であれば光を検出しないはずであり、第１フォトセンサー66の受光部が光を検出すると、異常である。そして、異常判定手段160は、第１フォトセンサー66の発光部が発光を止められているときに、第１フォトセンサー66の受光部が光を検出すると、不正器具を用いた不正行為が行われているとして、異常と判定する。
【００９２】
より具体的には、本実施の形態では、第１フォトセンサー66の発光部の発光が止められているときには、第１フォトセンサー66の出力端子からは、Ｌｏレベルの信号が出力され続けるはずであり、Ｈｉレベルの信号が出力されると、異常である。そして、異常判定手段160は、第１フォトセンサー66の発光部が発光を止められているときに、第１フォトセンサー66の出力端子からＨｉレベルの信号が出力されると、第１フォトセンサー66の受光部が光を検出したとし、不正器具を用いた不正行為が行われているとして、異常と判定する。
また、本実施の形態では、異常判定手段160は、発光制御手段150が発光を止めていた第１フォトセンサー66の発光部を発光させたときに、第１フォトセンサー66の受光部が光を検出すると、異常と判定する。
【００９３】
つまり、本実施の形態では、メダル通路61を下方へ誘導されるメダルが、第２光路を遮りはじめたときには、第１光路も遮っているはずである。更に、メダル通路61を下方へ誘導されるメダルが、第２光路を遮ることにより、第２フォトセンサー67の受光部が光を検出しなくなると、発光制御手段150が、第１フォトセンサー66の発光部を発光させるが、このとき、当該メダルは、第１光路を遮り終える前であるはずだから、第１フォトセンサー66の受光部は光を検出しないはずであり、このとき、第１フォトセンサー66の受光部が光を検出すると、異常である。そして、異常判定手段160は、第１フォトセンサー66の発光部が発光したときに、第１フォトセンサー66の受光部が光を検出すると、糸を括り付けられたメダルがメダル通路61を上方へ向けて誘導されているなどとして、異常と判定する。
【００９４】
より具体的には、本実施の形態では、メダル通路61を下方へ誘導されるメダルが、第２光路を遮ることにより、第２フォトセンサー67の出力端子から出力される信号がＨｉレベルからＬｏレベルになると、発光制御手段150が、第１フォトセンサー66の発光部を発光させるが、このとき、当該メダルは、第１光路を遮り終える前であるはずだから、第１フォトセンサー66の出力端子からはＬｏレベルの信号が出力され続けるはずであり、Ｈｉレベルの信号が出力されると、異常である。そして、異常判定手段160は、第１フォトセンサー66の発光部が発光したときに、第１フォトセンサー66の出力端子からＨｉレベルの信号が出力されると、第１フォトセンサー66の受光部が光を検出したとし、糸を括り付けられたメダルがメダル通路61を上方へ向けて誘導されているなどとして、異常と判定する。
【００９５】
また、本実施の形態では、異常判定手段160は、異常と判定したときに、異常検出信号を出力する。そして、本実施の形態では、異常検出信号に基づいて、異常報知手段165が、スピーカ36から警報音を鳴らしたり、ランプ35を点滅させて、異常を報知したり、遊技制御手段110が、遊技の進行を停止させたり、払出制御手段が、ホッパーユニット70の駆動を停止させたりする。
（メダルカウント手段170）
メダルカウント手段170は、メダル検出信号に基づいて、メダルの枚数をカウントするためのものである。
【００９６】
メダル投入口41に投入されたメダルが、メダル通路61を流下し、メダルセレクター63及びメダルキャンセラー64を通過して、メダルセンサー65を通過すると、メダル検出信号が出力される。このとき、図６に示すようなパターンのメダル検出信号が出力される。そうすると、メダルカウント手段170は、カウント動作を行う。具体的には、メダルカウント手段170は、図６に示すようなパターンのメダル検出信号が１回出力される毎に、カウント値を１つ加算する。このようにして、メダル投入口41に投入されたメダルの枚数がカウントされる。
また、メダルカウント手段170のカウント値には、上限値が定められている。本実施の形態では、メダルカウント手段170のカウント値の上限値は、「３」と定められている。つまり、メダルカウント手段170のカウント値の上限値は、１回の遊技につき投入可能な最大枚数である。
【００９７】
なお、メダルカウント手段170のカウント値が「３」に達すると、それ以降にメダル投入口41から投入されるメダルは、クレジットメダルカウント手段180によってカウントされる。すなわち、メダル投入口41にメダルを４枚以上投入すると、４枚目以降のメダルは、クレジットメダルカウント手段180によって、クレジットとしてカウントされる。
（クレジットメダルカウント手段180）
クレジットメダルカウント手段180は、クレジットされているメダルの枚数をカウントするためのものである。
本実施の形態では、メダルの投入枚数は、１回の遊技につき最大で３枚である。このため、メダル投入口41にメダルが４枚以上投入されると、４枚目以降のメダルは、クレジットメダルカウント手段180によって、クレジットとしてカウントされる。
【００９８】
また、メダルの枚数のカウントは、メダルカウント手段170と同様である。つまり、メダル投入口41に投入されたメダルが、メダルセンサー65を通過すると、図６に示すようなパターンのメダル検出信号が出力される。クレジットメダルカウント手段180は、図６に示すようなパターンのメダル検出信号が１回出力される毎に、カウント値を１つ加算する。
また、本実施の形態では、メダルのクレジットは、最大で５０枚である。このため、メダルカウント手段170のカウント値が「３」に達し、かつ、クレジットメダルカウント手段180のカウント値が「５０」に達すると、メダル投入不可に設定され、メダルセレクター63の進路切換機構がメダルの進路をメダル返却通路62方向に切り換えることにより、それ以降にメダル投入口41に投入されるメダルは、メダル返却通路62へ誘導されて、メダル返却口33から排出される。
【００９９】
また、本実施の形態では、メダルの払い出しに代えてクレジットが行われることがあり、この場合、クレジットメダルカウント手段180は、クレジットに代えられた分だけ、カウント値を加算する。
また、本実施の形態では、ベットスイッチ42の操作により、クレジットされているメダルの枚数を減じてメダルの投入に代えることが可能であり、この場合、クレジットメダルカウント手段180は、メダルの投入に代えられた分だけ、カウント値を減算する。
（遊技制御手段110）
遊技制御手段110は、遊技を制御するためのものである。
【０１００】
以下、本実施の形態における遊技について説明する。
メダルを投入すると、メダルの投入枚数に応じた本数の入賞ラインが有効になる。具体的には、メダルの投入枚数は、１回の遊技につき最大で３枚とされ、メダルの投入枚数が１枚のときには、第１入賞ラインのみが有効になり、また、メダルの投入枚数が２枚のときには、第１から第３までの３本の入賞ラインが有効になり、また、メダルの投入枚数が３枚のときには、第１から第５までの５本すべての入賞ラインが有効になる。
また、メダルの投入には、メダル投入口41からのメダルの投入と、クレジットされているメダルの投入とがある。また、クレジットされているメダルの投入は、ベットスイッチ42の操作により行われる。
【０１０１】
また、メダルの投入を条件に、スタートスイッチ43を操作すると、スタート信号が出力される。また、スタート信号の入力を契機に、複数の役のいずれかに当選したか又はハズレかの抽選（役抽選）が行われるとともに、３個すべての回転リール51の回転が開始する。また、役抽選では、メダルの投入枚数に応じて、役の当選確率が変動するようにしている。
その後に、３個のストップスイッチ44のうちの１個を操作すると、当該ストップスイッチ44に対応した回転リール51の回転が停止する。そして、３個すべてのストップスイッチ44を操作すると、３個すべての回転リール51の回転が停止する。このとき、有効な入賞ライン上に所定の図柄が所定の配列で揃うと、所定の役の入賞となり、入賞態様に応じた枚数のメダルが払い出される。また、メダルの払い出しには、メダル払出口32からのメダルの払い出しと、クレジットによるメダルの払い出しとがある。また、メダルの払い出しに代えて、あるいはメダルの払い出しとともに、遊技者に対して所定の利益が付与されることもある。
【０１０２】
また、入賞には、ビッグボーナスゲーム（ＢＢゲーム）への移行に係るビッグボーナス入賞（ＢＢ入賞）と、レギュラーボーナスゲーム（ＲＢゲーム）への移行に係るレギュラーボーナス入賞（ＲＢ入賞）と、所定枚数（例えば１２枚）のメダルの払い出しに係るベル入賞と、ベル入賞よりも少ない枚数（例えば８枚）のメダルの払い出しに係るスイカ入賞と、スイカ入賞よりも少ない枚数（例えば２枚又は４枚）のメダルの払い出しに係るチェリー入賞と、再遊技の実行に係るリプレイ入賞とがある。
（役抽選手段120）
役抽選手段120は、複数の役のいずれかに当選したか又はハズレかの抽選（役抽選）を行うためのものである。
【０１０３】
本実施の形態では、役抽選の結果には、ＢＢ入賞の引き当てに係るビッグボーナス当選（ＢＢ当選）と、ＲＢ入賞の引き当てに係るレギュラーボーナス当選（ＲＢ当選）と、ベル入賞の引き当てに係るベル当選と、スイカ入賞の引き当てに係るスイカ当選と、チェリー入賞の引き当てに係るチェリー当選と、リプレイ入賞の引き当てに係るリプレイ当選と、ハズレとがある。
また、役抽選手段120は、図示しないが、乱数発生手段と、乱数抽出手段と、役抽選テーブルと、役抽選判定手段とを備えている。
また、乱数発生手段は、役抽選用の乱数を、所定の範囲内（例えば、１０進数で０〜１６３８３）で発生させるためのものである。
【０１０４】
また、乱数発生手段は、例えば、発振回路と、この発振回路が発生させたクロック信号をカウントするカウンタ回路とによって構成することができる（いわゆるハード乱数）。
また、乱数発生手段は、例えば、平均採中法で乱数を発生させる手段や、あるいは素数の加算によって乱数を発生させる手段によって構成することもできる。また、これらの手段は、例えば、ＣＰＵに所定のプログラムを実行させることによって構成することができる（いわゆるソフト乱数）。
また、乱数抽出手段は、乱数発生手段が発生させた乱数を、所定の契機（例えば、スタートスイッチ43の操作）で抽出するためのものである。
【０１０５】
なお、乱数発生手段は、カウンタ回路などによって構成されるため、乱数発生手段が発生させる数値は、厳密には乱数ではない。ただ、スタートスイッチ43が操作されるタイミングは、ランダムであると考えられるため、乱数抽出手段が抽出する数値は、実質的には乱数として取り扱うことができる。
また、役抽選テーブルは、乱数発生手段が発生させる範囲内の各乱数について、ＢＢ当選にするか、ＲＢ当選にするか、ベル当選にするか、スイカ当選にするか、チェリー当選にするか、リプレイ当選にするか、あるいはハズレにするかを、あらかじめ定めている。
また、役抽選テーブルとして、メダルの投入枚数が１枚のときに用いられる１枚役抽選テーブルと、メダルの投入枚数が２枚のときに用いられる２枚役抽選テーブルと、メダルの投入枚数が３枚のときに用いられる３枚役抽選テーブルとが備えられている。つまり、役抽選テーブルは、メダルの投入枚数毎に備えられている。１枚役抽選テーブルは、役の当選確率を所定の確率で定め、また、２枚役抽選テーブルは、役の当選確率を、１枚役抽選テーブルよりも高い所定の確率で定め、また、３枚役抽選テーブルは、役の当選確率を、２枚役抽選テーブルよりも高い所定の確率で定めている。これにより、役の当選確率は、メダルの投入枚数に応じて変動する。
【０１０６】
また、役抽選判定手段は、乱数抽出手段が抽出した乱数と、役抽選テーブルとを照合して、抽選結果の判定を行うためのものである。
また、役抽選判定手段は、乱数抽出手段が抽出した乱数と、役抽選テーブルとを照合して、ＢＢ当選か、ＲＢ当選か、ベル当選か、スイカ当選か、チェリー当選か、リプレイ当選か、あるいはハズレかの判定を行う。
（停止テーブル）
停止テーブルは、各回転リール51の停止位置を決定するためのものであって、各ストップスイッチ44が操作されたときの対応する回転リール51の回転位置に応じて、各回転リール51の滑りコマ数をあらかじめ定めたものである。
【０１０７】
また、本実施の形態では、役抽選手段120の抽選結果等に対応して、複数種類の停止テーブルが備えられている。
また、本実施の形態では、各停止テーブルは、０以上４以下の範囲内で、各回転リール51の滑りコマ数を定めている。
また、いずれかの役に対応した停止テーブルは、その役に対応した図柄がいずれかの有効な入賞ライン上に３個揃い得るように、かつ、その役以外の図柄についてはいずれの有効な入賞ライン上にも３個揃わないように、各回転リール51の滑りコマ数を定めている。
具体的には、例えば、「ＢＢ入賞」に対応した停止テーブルは、「７」の図柄がいずれかの有効な入賞ライン上に３個揃い得るように、かつ、「７」以外の図柄についてはいずれの有効な入賞ライン上にも３個揃わないように、各回転リール51の滑りコマ数を定めている。これにより、「ＢＢ入賞」に対応した停止テーブルは、ＢＢ入賞を引き当て得るようにするとともに、ＢＢ入賞以外の入賞を引き当て得ないようにしている。「ＲＢ入賞」「ベル入賞」「スイカ入賞」及び「リプレイ入賞」に対応した停止テーブルについても同様である。
【０１０８】
また、例えば、「チェリー入賞」に対応した停止テーブルは、左側の回転リール51に付されている「チェリー」の図柄がいずれかの有効な入賞ライン上に停止するように、かつ、「チェリー」以外の図柄についてはいずれの有効な入賞ライン上にも３個揃わないように、各回転リール51の滑りコマ数を定めている。これにより、「チェリー入賞」に対応した停止テーブルは、チェリー入賞を引き当て得るようにするとともに、チェリー入賞以外の入賞を引き当て得ないようにしている。
また、「入賞なし」に対応した停止テーブルは、いずれの有効な入賞ライン上にも同一種類の図柄が３個揃わないように、かつ、左側の回転リール51に付されている「チェリー」の図柄がいずれの有効な入賞ライン上にも停止しないように、各回転リール51の滑りコマ数を定めている。
【０１０９】
（停止制御手段130）
停止制御手段130は、各回転リール51の停止制御を行うためのものである。
また、停止制御手段130は、停止テーブルと、各ストップスイッチ44が操作されたときの対応する回転リール51の回転位置とに基づいて、各回転リール51の停止制御を行う。
また、各回転リール51の停止制御は、以下に示すようにして行われる。
まず、役抽選の結果等に基づいて、複数の停止テーブルの中から一の停止テーブルが選択される。例えば、役抽選の結果が「ベル当選」の場合には、「ベル入賞」に対応した停止テーブルが選択され、また、役抽選の結果が「ＢＢ当選」の場合には、「ＢＢ入賞」に対応した停止テーブルが選択される。
【０１１０】
次に、この選択された一の停止テーブルと、各ストップスイッチ44が操作されたときの対応する回転リール51の回転位置とから、各回転リール51の滑りコマ数が決定される。
ここで、滑りコマ数が「０」と決定されると、停止制御手段130は、ストップスイッチ44の操作時に図柄透視窓31の上段の直前に位置していた図柄を、図柄透視窓31の上段に停止させるようにして、回転リール51の回転を停止させる。
また、滑りコマ数が「１」と決定されると、停止制御手段130は、ストップスイッチ44の操作時に図柄透視窓31の上段の直前に位置していた図柄を、回転リール51の回転方向に１コマ滑るように移動させ、図柄透視窓31の中段に停止させるようにして、回転リール51の回転を停止させる。
【０１１１】
また、滑りコマ数が「２」と決定されると、停止制御手段130は、ストップスイッチ44の操作時に図柄透視窓31の上段の直前に位置していた図柄を、回転リール51の回転方向に２コマ滑るように移動させ、図柄透視窓31の下段に停止させるようにして、回転リール51の回転を停止させる。
なお、上述したような回転リール51の停止制御は、停止テーブルを用いた制御であることから、「テーブル制御」などと呼ばれる。
（入賞判定手段140）
入賞判定手段140は、すべての回転リール51の回転が停止した際における各入賞ライン上の図柄配列に基づいて、複数の役のいずれかに入賞したか又は入賞なしかの判定を行うためのものである。
【０１１２】
また、入賞判定手段140は、すべての回転リール51の回転が停止した際に、いずれかの有効な入賞ライン上に所定の図柄が所定の配列で揃うと、所定の役に入賞したと判定する。
具体的には、入賞判定手段140は、すべての回転リール51の回転が停止した際に、「７」の図柄がいずれかの有効な入賞ライン上に３個揃うと、「ＢＢ入賞」と判定する。
また、入賞判定手段140は、すべての回転リール51の回転が停止した際に、「ＢＡＲ」の図柄がいずれかの有効な入賞ライン上に３個揃うと、「ＲＢ入賞」と判定する。
また、入賞判定手段140は、すべての回転リール51の回転が停止した際に、「ベル」の図柄がいずれかの有効な入賞ライン上に３個揃うと、「ベル入賞」と判定する。
【０１１３】
また、入賞判定手段140は、すべての回転リール51の回転が停止した際に、「スイカ」の図柄がいずれかの有効な入賞ライン上に３個揃うと、「スイカ入賞」と判定する。
また、入賞判定手段140は、すべての回転リール51の回転が停止した際に、左側の回転リール51に付されている「チェリー」の図柄がいずれかの有効な入賞ライン上に停止すると、中央の回転リール51及び右側の回転リール51に付されている図柄の停止位置にかかわらず、チェリー入賞と判定する。
また、入賞判定手段140は、すべての回転リール51の回転が停止した際に、「Ｒ」の図柄がいずれかの有効な入賞ライン上に３個揃うと、「リプレイ入賞」と判定する。
【０１１４】
また、入賞判定手段140は、すべての回転リール51の回転が停止した際に、いずれの有効な入賞ライン上にも同一種類の図柄が３個揃わず、かつ、左側の回転リール51に付されている「チェリー」の図柄がいずれの有効な入賞ライン上にも停止しないと、「入賞なし」と判定する。
（メダル検出信号）
本実施の形態におけるメダル検出信号を、図６に示すタイムチャートに基づいて説明する。
メダル投入待ち状態では、通常、第１フォトセンサー66の出力端子から、Ｌｏレベルの信号が出力され続けるとともに、第２フォトセンサー67の出力端子から、Ｈｉレベルの信号が出力され続ける（図６中のａよりも前）。
【０１１５】
本実施の形態では、第２フォトセンサー67の出力端子から出力される信号がＨｉレベルからＬｏレベルになるまでは、第１フォトセンサー66の発光部の発光が止められることから、メダル通路61を流下するメダルが、第１光路を遮りはじめても、通常、第１フォトセンサー66の出力端子から、Ｌｏレベルの信号が出力され続けるとともに、第２フォトセンサー67の出力端子から、Ｈｉレベルの信号が出力され続ける（図６中のａ）。この状態は、通常、メダル通路61を流下するメダルが、第２光路を遮る直前まで継続する（図６中のａ−ｂ間）。
メダル通路61を流下するメダルが、第２光路を遮りはじめると、第２フォトセンサー67の出力端子から出力される信号が、ＨｉレベルからＬｏレベルになる。そうすると、発光制御手段150が、第１フォトセンサー66の発光部を発光させる。このとき、当該メダルは、通常、第１光路を遮り終える前であるから、第１フォトセンサー66の出力端子からは、Ｌｏレベルの信号が出力され続ける（図６中のｂ）。この状態は、メダル通路61を流下するメダルが、第１光路を遮り終える直前まで継続する（図６中のｂ−ｃ間）。
【０１１６】
メダル通路61を流下するメダルが、第１光路を遮り終えると、第１フォトセンサー66の出力端子から出力される信号が、ＬｏレベルからＨｉレベルになる。このとき、当該メダルは、通常、第２光路を遮り終える前であるから、第２フォトセンサー67の出力端子からは、Ｌｏレベルの信号が出力され続ける（図６中のｃ）。この状態は、メダル通路61を流下するメダルが、第２光路を遮り終える直前まで継続する（図６中のｃ−ｄ間）。
メダル通路61を流下するメダルが、第２光路を遮り終えると、第２フォトセンサー67の出力端子から出力される信号が、ＬｏレベルからＨｉレベルになる。このとき、当該メダルは、通常、第１光路を遮り終えた後であるから、第１フォトセンサー66の出力端子からは、Ｈｉレベルの信号が出力され続ける（図６中のｄ）。この状態は、メダル１枚カウント処理が終了するまで継続する（図６中のｄよりも後）。
【０１１７】
図６に示す以外のパターンのメダル検出信号が出力されると、異常であり、異常判定手段160により、異常と判定されることとなる。
（メダル検出処理）
本実施の形態におけるメダル検出処理を、図７及び図８に示すフローチャートに基づいて説明する。
本実施の形態では、メダル投入待ち状態では、第１フォトセンサー66の発光部の発光を止めておき、メダルが投入されるなどして、第２フォトセンサー67の受光部が光を検出しなくなると、第１フォトセンサー66の発光部を発光させるようにしたものである。
【０１１８】
ステップ１００において、メダル投入可に設定される。上述したように、本実施の形態に係る遊技機10では、１回の遊技が終了してからその次にスタートスイッチ43が操作されるまでは、メダル投入可に設定される。また、メダル投入可に設定されると、キャンセルコイル63fへの通電が開始される。そうすると、キャンセルコイル63fの鉄心が、スプリング63eの付勢力に抗して、揺動アーム63dの上側の片を引き寄せる。これにより、図４（Ａ）に示す状態になる。つまり、メダル投入口41から投入されたメダルの進路が、メダル通路61の分岐部よりも下流側方向になる。そうすると、メダル投入口41から投入されたメダルが、メダルセレクター63及びメダルセンサー65を通過して、ホッパーユニット70のメダルタンクへ至るようになる。また、メダル投入可に設定されると、メダルセンサー65によるメダルの検出が可能となる。また、メダル投入可に設定されてから、メダルが投入されるまでが、メダル投入待ち状態である。そして、メダル投入可に設定されると、ステップ１０１に進む。
【０１１９】
ステップ１０１において、第１フォトセンサー66の発光部の発光を止める。そして、ステップ１０２に進む。
ステップ１０２において、メダル通過制限時間検知タイマＴＭに０がセットされる。ここで、メダル通過制限時間検知タイマＴＭは、メダル通路61を流下するメダルが、第１フォトセンサー66及び第２フォトセンサー67を通過中であることを確認するとともに、所定時間内に第１フォトセンサー66及び第２フォトセンサー67を通過するかを確認するためのものである。またここで、メダル通過制限時間検知タイマＴＭに０がセットされるということは、メダルがメダル通路61を通過中ではないということを意味するものである。そして、メダル通過制限時間検知タイマＴＭに０がセットされると、ステップ１０３に進む。
【０１２０】
ステップ１０３において、一定時間待ちの後、第１フォトセンサー66及び第２フォトセンサー67の出力端子から出力されている信号がＨｉレベルかＬｏレベルかの確認が行われ、一定時間待ち以前の出力と比較される。具体的には、制御装置100のＲＡＭには、一定時間待ち前の出力に係る情報を記憶するための前回出力情報記憶領域と、一定時間待ち後の出力に係る情報を記憶するための今回出力情報記憶領域とが設けられている。そして、制御装置100は、まず、今回出力情報記憶領域に記憶されている出力に係る情報を前回出力情報記憶領域へ移し、次に、一定時間待ちを行い、その次に、第１フォトセンサー66及び第２フォトセンサー67の出力端子から出力されている信号を確認し、そして、この出力されている信号に係る情報を今回出力情報記憶領域に記憶する。第１フォトセンサー66及び第２フォトセンサー67のそれぞれについて、出力されている信号がＨｉレベルであれば、Ｈｉレベルである旨を示す情報を記憶し、また、出力されている信号がＬｏレベルであれば、Ｌｏレベルである旨を示す情報を記憶する。そして、制御装置100は、前回出力情報記憶領域に記憶されている情報と、今回出力情報記憶領域に記憶されている情報とを比較する。これにより、一定時間待ちの前後で、第１フォトセンサー66の出力端子から出力されている信号がＨｉレベルのまま変化しないか、ＨｉレベルからＬｏレベルに変化したか、Ｌｏレベルのまま変化しないか、あるいはＬｏレベルからＨｉレベルに変化したかがわかる。同様に、一定時間待ちの前後で、第２フォトセンサー67の出力端子から出力されている信号がＨｉレベルのまま変化しないか、ＨｉレベルからＬｏレベルに変化したか、Ｌｏレベルのまま変化しないか、あるいはＬｏレベルからＨｉレベルに変化したかがわかる。そして、ステップ１０４に進む。
【０１２１】
ステップ１０４において、第１フォトセンサー66の出力端子から出力されている信号がＬｏレベルか否かの判断が行われる。つまり、第１フォトセンサー66の受光部が光を検出していないか否かの判断が行われる。ここで、第１フォトセンサー66の出力端子から出力されている信号がＬｏレベルではない（Ｈｉレベルである）と判断されると、つまり、第１フォトセンサー66の受光部が光を検出している判断されると、ステップ１０５に進む。一方、第１フォトセンサー66の出力端子から出力されている信号がＬｏレベルであると判断されると、つまり、第１フォトセンサー66の受光部が光を検出していないと判断されると、ステップ１０６に進む。
【０１２２】
ステップ１０５において、異常判定処理が行われる。具体的には、第１フォトセンサー66の発光部の発光が止められているときには、同出力端子からは、Ｌｏレベルの信号が出力され続けるはずであり、Ｈｉレベルの信号が出力されると、異常である。つまり、第１フォトセンサー66の発光部の発光が止められているときに、同受光部が光を検出すると、異常である。そして、異常判定手段160は、第１フォトセンサー66の発光部の発光が止められているときに、同出力端子からＨｉレベルの信号が出力されると、つまり、同受光部が光を検出すると、不正器具を用いた不正行為が行われているとして、異常と判定する。また、異常判定手段160は、異常と判定したときに、異常検出信号を出力する。そして、異常検出信号に基づいて、異常報知手段165が、スピーカ36から警報音を鳴らしたり、ランプ35を点滅させて、異常を報知したり、遊技制御手段110が、遊技の進行を停止させたり、払出制御手段が、ホッパーユニット70の駆動を停止させたりする。そして、異常判定処理は終了する。
【０１２３】
ステップ１０６において、第２フォトセンサー67の出力端子から出力されている信号がＨｉレベルからＬｏレベルに変化したか否か判断が行われる。具体的には、ステップ１０３における一定時間待ちの前後で、第２フォトセンサー67の出力端子から出力されている信号がＨｉレベルからＬｏレベルに変化したか否かの判断が行われる。また、変化したか否かの判断は、ステップ１０３における確認及び比較の結果に基づいて行われる。ここで、第２フォトセンサー67の出力端子から出力されている信号がＨｉレベルからＬｏレベルに変化した判断されると、ステップ１０７に進む。一方、第２フォトセンサー67の出力端子から出力されている信号がＨｉレベルからＬｏレベルには変化していないと判断されると、ステップ１２１に進む。
【０１２４】
ステップ１０７において、第１フォトセンサー66の発光部を発光させるとともに、一定時間待ちが行われる。また、第１フォトセンサー66の発光部を消灯状態から発光状態へ移行させるには一定の時間を要するところ、次のステップ１０８で第１フォトセンサー66の出力端子から出力されている信号がＬｏレベルか否かの判断を行うにあたって、誤作動が起こらないようにするため、ここで一定時間待ちを行うこととしている。そして、ステップ１０８に進む。
ステップ１０８において、第１フォトセンサー66の出力端子から出力されている信号がＬｏレベルか否かの判断が行われる。つまり、第１フォトセンサー66の受光部が光を検出していないか否かの判断が行われる。ここで、第１フォトセンサー66の出力端子から出力されている信号がＬｏレベルではない（Ｈｉレベルである）と判断されると、つまり、第１フォトセンサー66の受光部が光を検出していると判断されると、ステップ１０９に進む。一方、第１フォトセンサー66の出力端子から出力されている信号がＬｏレベルであると判断されると、つまり、第１フォトセンサー66の受光部が光を検出していないと判断されると、ステップ１１０に進む。
【０１２５】
ステップ１０９において、異常判定処理が行われる。具体的には、メダル通路61を下方へ誘導されるメダルが、第２光路を遮ることにより、第２フォトセンサー67の出力端子から出力される信号がＨｉレベルからＬｏレベルになると、発光制御手段150が、第１フォトセンサー66の発光部を発光させる。このとき、当該メダルが第１光路を遮り終える前であるはずだから、第１フォトセンサー66の出力端子からはＬｏレベルの信号が出力され続けるはずであり、Ｈｉレベルの信号が出力されると、異常である。つまり、このとき、当該メダルが第１光路を遮り終える前であるはずだから、第１フォトセンサー66の受光部は光を検出しないはずであり、同受光部が光を検出すると、異常である。そして、第１フォトセンサー66の発光部が発光したときに、第１フォトセンサー66の出力端子からＨｉレベルの信号が出力されると、つまり、同受光部が光を検出すると、異常判定手段160は、糸を括り付けられたメダルがメダル通路61を上方へ向けて誘導されているなどとして、異常と判定する。また、異常判定後の動作は、上述した通りである。そして、異常判定処理は終了する。
【０１２６】
ステップ１１０において、メダル通過制限時間検知タイマＴＭに所定値がセットされる。ここで、メダル通過制限時間検知タイマＴＭに所定値がセットされるということは、メダルがメダル通路61を通過中であるということ、及びあらかじめ定めた所定時間内であるということを意味するものである。本実施の形態では、第２光路を遮りはじめたメダルが第２光路を遮り終えるまでに必要十分な時間を、所定値としている。つまり、ここでセットされる所定値の時間があれば、第２光路を遮りはじめたメダルは、第２光路を遮り終えるはずである。また、ここでセットされる所定値の時間内であれば、メダルが第２光路を遮っている最中のはずである。そして、メダル通過制限時間検知タイマＴＭに所定値がセットされると、ステップ１１１に進む。
【０１２７】
ステップ１１１において、一定時間待ちの後、第１フォトセンサー66及び第２フォトセンサー67の出力端子から出力されている信号がＨｉレベルかＬｏレベルかの確認が行われ、一定時間待ち以前の出力と比較される。確認及び比較の動作は、ステップ１０３と同様である。また、このステップ１１１で待つ一定時間は、概ね、メダル通過制限時間検知タイマＴＭにおける１単位時間となる。そして、ステップ１１２に進む。
ステップ１１２において、第１フォトセンサー66の出力端子から出力されている信号がＬｏレベルからＨｉレベルに変化したか否かの判断が行われる。具体的には、ステップ１１１における一定時間待ちの前後で、第１フォトセンサー66の出力端子から出力されている信号が、ＬｏレベルからＨｉレベルに変化したか否かの判断が行われる。また、変化したか否かの判断は、ステップ１１１における確認及び比較の結果に基づいて行われる。ここで、第１フォトセンサー66の出力端子から出力されている信号がＬｏレベルからＨｉレベルに変化した判断されると、ステップ１１３に進む。一方、第１フォトセンサー66の出力端子から出力されている信号がＬｏレベルからＨｉレベルには変化しなかった判断されると、ステップ１１５に進む。
【０１２８】
ステップ１１３において、第２フォトセンサー67の出力端子から出力されている信号がＬｏレベルか否かの判断が行われる。つまり、第２フォトセンサー67の受光部が光を検出していないか否かの判断が行われる。ここで、第２フォトセンサー67の出力端子から出力されている信号がＬｏレベルではない（Ｈｉレベルである）と判断されると、つまり、第２フォトセンサー67の受光部が光を検出していると判断されると、ステップ１１４に進む。一方、第２フォトセンサー67の出力端子から出力されている信号がＬｏレベルであると判断されると、つまり、第２フォトセンサー67の受光部が光を検出していないと判断されると、ステップ１１１に戻る。
【０１２９】
ステップ１１４において、異常判定処理が行われる。具体的には、メダル通路61を下方へ誘導されるメダルが、第１光路を遮り終えて、第１フォトセンサー66の出力端子から出力される信号がＬｏレベルからＨｉレベルになったときには、当該メダルは、第２光路を遮り終える前であるはずだから、第２フォトセンサー67の出力端子からはＬｏレベルの信号が出力され続けるはずであり、Ｈｉレベルの信号が出力されると、異常である。つまり、メダル通路61を下方へ誘導されるメダルは、第１光路を遮り終える瞬間には、第２光路を遮り続けているはずであり、第２フォトセンサー67の受光部が光を検出すると、異常である。そして、異常判定手段160は、第１フォトセンサー66の出力端子から出力される信号がＬｏレベルからＨｉレベルになったときに、第２フォトセンサー67の出力端子からＨｉレベルの信号が出力されると、つまり、第２フォトセンサー67の受光部が光を検出すると、異常と判定する。また、異常判定後の動作は、上述した通りである。そして、異常判定処理は終了する。
【０１３０】
ステップ１１５において、第２フォトセンサー67の出力端子から出力されている信号がＬｏレベルからＨｉレベルに変化したか否かの判断が行われる。具体的には、ステップ１１１における一定時間待ちの前後で、第２フォトセンサー67の出力端子から出力されている信号が、ＬｏレベルからＨｉレベルに変化したか否かの判断が行われる。また、変化したか否かの判断は、ステップ１１１における確認及び比較の結果に基づいて行われる。ここで、第２フォトセンサー67の出力端子から出力されている信号がＬｏレベルからＨｉレベルに変化した判断されると、ステップ１１６に進む。一方、第２フォトセンサー67の出力端子から出力されている信号がＬｏレベルからＨｉレベルには変化しなかった判断されると、ステップ１１８に進む。
【０１３１】
ステップ１１６において、第１フォトセンサー66の出力端子から出力されている信号がＨｉレベルか否かの判断が行われる。つまり、第１フォトセンサー66の受光部が光を検出しているか否かの判断が行われる。ここで、第１フォトセンサー66の出力端子から出力されている信号がＨｉレベルではない（Ｌｏレベルである）と判断されると、つまり、第１フォトセンサー66の受光部が光を検出していないと判断されると、ステップ１２０に進む。一方、第１フォトセンサー66の出力端子から出力されている信号がＨｉレベルであると判断されると、つまり、第１フォトセンサー66の受光部が光を検出していると判断されると、ステップ１１７に進む。
【０１３２】
ステップ１１７において、メダル１枚カウント処理が行われる。具体的には、ステップ１１７に進むときには、図６に示すようなパターンのメダル検出信号が出力される。そうすると、メダルカウント手段170が、カウント値を１つ加算する。また、メダルカウント手段170のカウント値が上限値の「３」に達しているときには、クレジットメダルカウント手段180が、カウント値を１つ加算する。そして、メダル１枚カウント処理は終了する。
ステップ１１８において、メダル通過制限時間検知タイマＴＭの値が１減算される。そして、ステップ１１９に進む。
【０１３３】
ステップ１１９において、ステップ１１８で減算された後のメダル通過制限時間検知タイマＴＭの値が０より大きいか否かの判断が行われる。ここで、ステップ１１８でメダル通過制限時間検知タイマＴＭの値が１減算されてもなお、メダル通過制限時間検知タイマＴＭの値が０より大きいと判断されると、ステップ１１１に戻る。一方、ステップ１１８でメダル通過制限時間検知タイマＴＭの値が１減算された結果、メダル通過制限時間検知タイマＴＭの値が０になったと判断されると、ステップ１２０に進む。
ステップ１２０において、異常判定処理が行われる。具体的には、メダル通路61を下方へ誘導されるメダルが、第２光路を遮り終えて、第２フォトセンサー67の出力端子から出力される信号がＬｏレベルからＨｉレベルになったときには、当該メダルは、第１光路を既に遮り終えているはずだから、第１フォトセンサー66の出力端子からはＨｉレベルの信号が出力され続けるはずであり、Ｌｏレベルの信号が出力されると、異常である。つまり、メダル通路61を下方へ誘導されるメダルが、第２光路を遮り終えて、第２フォトセンサー67の受光部が光を再び検出するようになったときには、第１フォトセンサー66の受光部も光を検出しているはずであり、光を検出しないと、異常である。そして、異常判定手段160は、第２フォトセンサー67の出力端子から出力される信号がＬｏレベルからＨｉレベルになったときに、第１フォトセンサー66の出力端子からＬｏレベルの信号が出力されると、異常と判定する。つまり、第２フォトセンサー67の受光部が光を再び検出するようになったときに、第１フォトセンサー66の受光部が光を検出していないと、異常判定手段160は、異常と判定する。また、メダル通過制限時間検知タイマＴＭの値が０になると、タイムオーバーである。そして、異常判定手段160は、メダル通過制限時間検知タイマＴＭの値が０になると、タームオーバーであるとして、異常と判定する。また、異常判定後の動作は、上述した通りである。そして、異常判定処理は終了する。
【０１３４】
ステップ１２１において、スタート信号が出力されたか否かの判断が行われる。ここで、スタート信号が出力されたと判断されると、ステップ１２２に進む。一方、スタート信号が出力されていないと判断されると、ステップ１０３に戻る。
ステップ１２２において、メダル投入不可に設定される。また、メダル投入不可に設定されると、キャンセルコイル63fへの通電が停止し、揺動アーム63dが、図４（Ｂ）に示す状態になる。つまり、メダル投入口41から投入されたメダルの進路が、メダル返却通路62方向になる。そうすると、メダル投入口41から投入されたメダルが、メダル返却通路62へ誘導されて、メダル返却口33から排出されるようになる。また、メダル投入不可に設定されると、メダルセンサー65によるメダルの検出が不可となる。そして、メダル検出処理は終了する。
【０１３５】
このように、本実施の形態では、第１フォトセンサー66について、受光部による光の検出を可能としたまま、発光部の発光を止めるとともに、同発光部の発光を止めているときに、同受光部が光を検出すると、異常と判定する。これにより、不正器具を用いた不正行為を防止できる。
また、本実施の形態では、第１フォトセンサー66の発光部の発光を止めていたときに、第２フォトセンサー67の受光部が光を検出しなくなると、所定時間内に、第１フォトセンサー66の発光部を発光させ、このとき、第１フォトセンサー66の受光部が光を検出すると、異常と判定する。これにより、不正器具を用いた不正行為と、糸を括り付けたメダルでクレジット数を不正に増加させる不正行為とを同時に防止できる。
【０１３６】
また、本実施の形態では、第１フォトセンサー66の発光部の発光を止めることから、第１フォトセンサー66が主として不正行為を検知する役割を担うとともに、第２フォトセンサー67が主としてメダルの枚数をカウントする役割を担うこととなる。そうすると、メダルがメダル通路61を上流側から下流側へ向けて流下したときに、まず主として第１フォトセンサー66の信号によって不正行為でないことが確認され、その後に主として第２フォトセンサー67の信号によってメダルの枚数がカウントされるので、複雑な制御や構成を要することなく、上記２つの不正行為を同時に防止しつつ、メダル投入口41から投入されたメダルの枚数をカウントできる。
【０１３７】
また、本実施の形態では、発光制御手段150は、第１フォトセンサー66の発光部の発光を止め、かつ、第２フォトセンサー67の発光部を発光させた状態で、メダル投入口41からのメダルの投入を待つ制御を、常時、実行する。つまり、本実施の形態では、メダル投入待ち状態においては、第１フォトセンサー66の発光部は、常時、発光しておらず、かつ、第２フォトセンサー67の発光部は、常時、発光している。もちろん、メダル投入口41からメダルが投入され、当該メダルによって第２光路が遮られて、第２フォトセンサー67の受光部が光を検出しなくなると、上述したように、第１フォトセンサー66の発光部が発光する。このように、第１フォトセンサー66の発光部の発光を止め、かつ、第２フォトセンサー67の発光部を発光させた状態で、メダル投入口41からのメダルの投入を待つ制御を、常時、実行することにより、不正行為の防止を図りつつも、制御装置の負担を軽減できる。
【０１３８】
（第２の実施の形態）
（図面の説明）
図９は、第２の実施の形態における、メダル検出信号のタイムチャート、図１０ないし図１２は、第２の実施の形態における、メダル検出処理のフローチャートである。
（遊技機10）
第２の実施の形態に係る遊技機10は、ハードウエア構成は、第１の実施の形態に係る遊技機10と同様である。
第２の実施の形態に係る遊技機10は、第１フォトセンサー66の発光部の発光を止め、かつ、第２フォトセンサー67の発光部を発光させた状態でメダル投入口41からのメダルの投入を待つ制御、又は第１フォトセンサー66及び第２フォトセンサー67の双方の発光部を発光させた状態でメダル投入口41からのメダルの投入を待つ制御のいずれか一方を、遊技が１回行われる毎に、乱数値に基づいて、選択して実行するようにしたものである。
【０１３９】
（メダル検出信号）
第１フォトセンサー66及び第２フォトセンサー67の双方の発光部を発光させた状態におけるメダル検出信号を、図９に示すタイムチャートに基づいて説明する。
メダル投入待ち状態では、通常、第１フォトセンサー66の出力端子から、Ｈｉレベルの信号が出力され続けるとともに、第２フォトセンサー67の出力端子からも、Ｈｉレベルの信号が出力され続ける（図９中のａよりも前）。
メダル通路61を流下するメダルが、第１光路を遮りはじめると、第１フォトセンサー66の出力端子から出力される信号が、ＨｉレベルからＬｏレベルになる。このとき、第２フォトセンサー67の出力端子から出力される信号は、Ｈｉレベルである（図９中のａ）。また、第１フォトセンサー66の出力端子から、Ｌｏレベルの信号が出力され続け、かつ、第２フォトセンサー67の出力端子から、Ｈｉレベルの信号が出力され続ける状態は、メダル通路61を流下するメダルが、第２光路を遮る直前まで継続する（図９中のａ−ｂ間）。
【０１４０】
メダル通路61を流下するメダルが、第２光路を遮りはじめると、第２フォトセンサー67の出力端子から出力される信号が、ＨｉレベルからＬｏレベルになる。このとき、当該メダルは、通常、第１光路を遮り終える前であるから、第１フォトセンサー66の出力端子から出力される信号は、Ｌｏレベルである（図９中のｂ）。また、第１フォトセンサー66の出力端子から、Ｌｏレベルの信号が出力され続け、かつ、第２フォトセンサー67の出力端子からも、Ｌｏレベルの信号が出力され続ける状態は、メダル通路61を流下するメダルが、第１光路を遮り終える直前まで継続する（図９中のｂ−ｃ間）。
メダル通路61を流下するメダルが、第１光路を遮り終えると、第１フォトセンサー66の出力端子から出力される信号が、ＬｏレベルからＨｉレベルになる。このとき、当該メダルは、通常、第２光路を遮り終える前であるから、第２フォトセンサー67の出力端子から出力される信号は、Ｌｏレベルである（図９中のｃ）。また、第１フォトセンサー66の出力端子から、Ｈｉレベルの信号が出力され続け、かつ、第２フォトセンサー67の出力端子から、Ｌｏレベルの信号が出力され続ける状態は、メダル通路61を流下するメダルが、第２光路を遮り終える直前まで継続する（図９中のｃ−ｄ間）。
【０１４１】
メダル通路61を流下するメダルが、第２光路を遮り終えると、第２フォトセンサー67の出力端子から出力される信号が、ＬｏレベルからＨｉレベルになる。このとき、当該メダルは、通常、第１光路を遮り終えた後であるから、第１フォトセンサー66の出力端子から出力される信号は、Ｈｉレベルである（図９中のｄ）。
なお、第１フォトセンサー66の発光部の発光を止め、かつ、第２フォトセンサー67の発光部を発光させた状態におけるメダル検出信号は、図６に示すパターンと同じである。
また、本実施の形態では、図６及び図９に示す以外のパターンのメダル検出信号が出力されると、異常であり、異常判定手段160により、異常と判定されることとなる。
【０１４２】
（メダル検出処理）
本実施の形態におけるメダル検出処理を、図１０ないし図１２に示すフローチャートに基づいて説明する。
上述したように、本実施の形態では、第１フォトセンサー66の発光部の発光を止め、かつ、第２フォトセンサー67の発光部を発光させた状態でメダル投入口41からのメダルの投入を待つ制御、又は第１フォトセンサー66及び第２フォトセンサー67の双方の発光部を発光させた状態でメダル投入口41からのメダルの投入を待つ制御のいずれか一方を、発光制御手段150が、遊技が１回行われる毎に、乱数値に基づいて、選択して実行するようにしたものである。
【０１４３】
また、第１フォトセンサー66の発光部の発光を止め、かつ、第２フォトセンサー67の発光部を発光させた状態でメダル投入口41からのメダルの投入を待つ制御を選択したときには、第１の実施の形態と同様に、メダル投入待ち状態では、第１フォトセンサー66の発光部の発光を止めておき、メダルが投入されるなどして、第２フォトセンサー67の受光部が光を検出しなくなると、発光制御手段150が、第１フォトセンサー66の発光部を発光させるようにしている。
ステップ２００において、発光パターン選択用カウンタＮの下位１ビットをＳに格納する。ここで、発光パターン選択用カウンタＮは、上述した２つの状態の選択・切り換えに用いる乱数を生成するためのものであり、所定時に値が１ずつ加算されるものであって、制御装置100を構成するマイクロコンピュータ上に設けられる。また、Ｓは、発光パターン選択用カウンタＮの下位１ビットを記憶するためのものであって、制御装置100を構成するマイクロコンピュータのＲＡＭ上の所定領域に設けられる。そして、発光パターン選択用カウンタＮの下位１ビットがＳに格納されると、ステップ２０１に進む。
【０１４４】
ステップ２０１において、メダル投入可に設定される。また、メダル投入可に設定されると、キャンセルコイル63fへの通電が開始される。そうすると、キャンセルコイル63fの鉄心が、スプリング63eの付勢力に抗して、揺動アーム63dの上側の片を引き寄せる。これにより、図４（Ａ）に示す状態になる。つまり、メダル投入口41から投入されたメダルの進路が、メダル通路61の分岐部よりも下流側方向になる。そうすると、メダル投入口41から投入されたメダルが、メダルセレクター63及びメダルセンサー65を通過して、ホッパーユニット70のメダルタンクへ至るようになる。また、メダル投入可に設定されると、メダルセンサー65によるメダルの検出が可能となる。また、メダル投入可に設定されてから、メダルが投入されるまでが、メダル投入待ち状態である。そして、メダル投入可に設定されると、ステップ２０２に進む。
【０１４５】
ステップ２０２において、メダル通過制限時間検知タイマＴＭに０がセットされる。そして、メダル通過制限時間検知タイマＴＭに０がセットされると、ステップ２０３に進む。
ステップ２０３において、Ｓ＝０か否かの判断が行われる。本実施の形態では、Ｓは、０又は１のいずれかであり、Ｓ＝０のときには、第１フォトセンサー66の発光部の発光を止め、かつ、第２フォトセンサー67の発光部を発光させた状態でメダル投入口41からのメダルの投入を待つ制御を選択し、一方、Ｓ＝１のときには、第１フォトセンサー66及び第２フォトセンサー67の双方の発光部を発光させた状態でメダル投入口41からのメダルの投入を待つ制御を選択するようにしている。ここで、Ｓ＝０であると判断されると、ステップ２０４に進む。一方、Ｓ＝０ではないと判断されると、すなわち、Ｓ＝１であると判断されると、ステップ２１３に進む。
【０１４６】
ステップ２０４において、第１フォトセンサー66の発光部の発光を止める。そして、ステップ２０５に進む。
ステップ２０５において、一定時間待ちの後、第１フォトセンサー66及び第２フォトセンサー67の出力端子から出力されている信号がＨｉレベルかＬｏレベルかの確認が行われ、一定時間待ち以前の出力と比較される。確認及び比較の動作は、ステップ１０３と同様である。また、ステップ２０４において、第１フォトセンサー66の発光部の発光を止めるが、第１フォトセンサー66の発光部を発光状態から消灯状態へ移行させるには一定の時間を要するところ、ステップ２０７で第１フォトセンサー66の出力端子から出力されている信号がＬｏレベルか否かの判断を行うにあたって、誤作動が起こらないようにするため、ここで一定時間待ちを行うこととしている。そして、ステップ２０６に進む。
【０１４７】
ステップ２０６において、発光パターン選択用カウンタＮの値に１が加算される。そして、ステップ２０７に進む。
ステップ２０７において、第１フォトセンサー66の出力端子から出力されている信号がＬｏレベルの信号であるか否かの判断が行われる。つまり、第１フォトセンサー66の受光部が光を検出していないか否かの判断が行われる。ここで、第１フォトセンサー66の出力端子から出力されている信号がＬｏレベルの信号ではないと判断されると、すなわち、第１フォトセンサー66の出力端子から出力されている信号がＨｉレベルの信号であると判断されると、ステップ２０８に進む。つまり、第１フォトセンサー66の受光部が光を検出すると、ステップ２０８に進む。一方、第１フォトセンサー66の出力端子から出力されている信号がＬｏレベルの信号であると判断されると、ステップ２０９に進む。つまり、第１フォトセンサー66の受光部が光を検出していないと、ステップ２０９に進む。
【０１４８】
ステップ２０８において、異常判定処理が行われる。具体的には、第１フォトセンサー66の発光部の発光が止められているときには、同出力端子からは、Ｌｏレベルの信号が出力され続けるはずであり、Ｈｉレベルの信号が出力されると、異常である。つまり、第１フォトセンサー66の発光部の発光が止められているときに、同受光部が光を検出すると、異常である。そして、異常判定手段160は、第１フォトセンサー66の発光部の発光が止められているときに、同出力端子からＨｉレベルの信号が出力されると、不正器具を用いた不正行為が行われているとして、異常と判定する。つまり、第１フォトセンサー66の発光部の発光が止められているときに、同受光部が光を検出すると、異常であり、異常判定手段160は、不正器具を用いた不正行為が行われているとして、異常と判定する。また、異常判定後の動作は、第１の実施の形態と同様である。そして、異常判定処理は終了する。
【０１４９】
ステップ２０９において、第２フォトセンサー67の出力端子から出力されている信号がＨｉレベルからＬｏレベルに変化したか否かの判断が行われる。具体的には、ステップ２０５における一定時間待ちの前後で、第２フォトセンサー67の出力端子から出力されている信号が、ＨｉレベルからＬｏレベルに変化したか否かの判断が行われる。また、変化したか否かの判断は、ステップ２０５における確認及び比較の結果に基づいて行われる。ここで、第２フォトセンサー67の出力端子から出力されている信号がＨｉレベルからＬｏレベルに変化したと判断されると、ステップ２１０に進む。一方、第２フォトセンサー67の出力端子から出力されている信号がＨｉレベルからＬｏレベルには変化していないと判断されると、ステップ２０４に戻る。
【０１５０】
ステップ２１０において、第１フォトセンサー66の発光部を発光させるとともに、一定時間待ちが行われる。第１フォトセンサー66の発光部を消灯状態から発光状態へ移行させるには一定の時間を要するところ、ステップ２１１で第１フォトセンサー66の出力端子から出力されている信号がＬｏレベルか否かの判断を行うにあたって、誤作動が起こらないようにするため、ここで一定時間待ちを行うこととしている。そして、ステップ２１１に進む。
ステップ２１１において、第１フォトセンサー66の出力端子から出力されている信号がＬｏレベルの信号か否かの判断が行われる。つまり、第１フォトセンサー66の受光部が光を検出していないか否かの判断が行われる。ここで、第１フォトセンサー66の出力端子から出力されている信号がＬｏレベルの信号ではないと判断されると、すなわち、第１フォトセンサー66の出力端子から出力されている信号がＨｉレベルの信号であると判断されると、ステップ２１２に進む。つまり、第１フォトセンサー66の受光部が光を検出していると判断されると、ステップ２１２に進む。一方、第１フォトセンサー66の出力端子から出力されている信号がＬｏレベルの信号であると判断されると、ステップ２１８に進む。つまり、第１フォトセンサー66の受光部が光を検出していないと判断されると、ステップ２１８に進む。
【０１５１】
ステップ２１２において、異常判定処理が行われる。具体的には、メダル通路61を下方へ誘導されるメダルが、第２光路を遮ることにより、第２フォトセンサー67の出力端子から出力される信号がＨｉレベルからＬｏレベルになると、発光制御手段150が、第１フォトセンサー66の発光部を発光させる。このとき、当該メダルが第１光路を遮り終える前であるはずだから、第１フォトセンサー66の出力端子からはＬｏレベルの信号が出力され続けるはずであり、Ｈｉレベルの信号が出力されると、異常である。つまり、このとき、当該メダルが第１光路を遮り終える前であるはずだから、第１フォトセンサー66の受光部は光を検出しないはずであり、同受光部が光を検出すると、異常である。そして、第１フォトセンサー66の発光部が発光したときに、第１フォトセンサー66の出力端子からＨｉレベルの信号が出力されると、異常判定手段160は、糸を括り付けられたメダルがメダル通路61を上方へ向けて誘導されているなどとして、異常と判定する。つまり、第１フォトセンサー66の発光部が発光したときに、同受光部が光を検出すると、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０１５２】
ステップ２１３において、第１フォトセンサー66の発光部を発光させる。そして、ステップ２１４に進む。
ステップ２１４において、一定時間待ちの後、第１フォトセンサー66及び第２フォトセンサー67の出力端子から出力されている信号がＨｉレベルかＬｏレベルかの確認が行われ、一定時間待ち以前の出力と比較される。確認及び比較の動作は、ステップ１０３と同様である。また、ステップ２１３において、第１フォトセンサー66の発光部を発光させるが、第１フォトセンサー66の発光部を消灯状態から発光状態へ移行させるには一定の時間を要するところ、ステップ２２１で第１フォトセンサー66の出力端子から出力されている信号がＬｏレベルか否かの判断を行うにあたって、誤作動が起こらないようにするため、ここで一定時間待ちを行うこととしている。また、このステップ２１４で待つ一定時間は、概ね、メダル通過制限時間検知タイマＴＭにおける１単位時間となる。そして、ステップ２１５に進む。
【０１５３】
ステップ２１５において、発光パターン選択用カウンタＮの値に１が加算される。そして、ステップ２１６に進む。
ステップ２１６において、第１フォトセンサー66の出力端子から出力されている信号がＨｉレベルからＬｏレベルに変化したか否かの判断が行われる。具体的には、ステップ２１４における一定時間待ちの前後で、第１フォトセンサー66の出力端子から出力されている信号が、ＨｉレベルからＬｏレベルに変化したか否かの判断が行われる。また、変化したか否かの判断は、ステップ２１４における確認及び比較の結果に基づいて行われる。ここで、第１フォトセンサー66の出力端子から出力されている信号がＨｉレベルからＬｏレベルに変化したと判断されると、ステップ２１７に進む。一方、第１フォトセンサー66の出力端子から出力されている信号がＨｉレベルからＬｏレベルには変化していないと判断されると、ステップ２２０に進む。
【０１５４】
ステップ２１７において、第２フォトセンサー67の出力端子から出力されている信号が、Ｈｉレベルであるか否かの判断が行われる。つまり、第２フォトセンサー67の受光部が光を検出しているか否かの判断が行われる。ここで、第２フォトセンサー67の出力端子から出力されている信号がＨｉレベルであると判断されると、つまり、第２フォトセンサー67の受光部が光を検出していると判断されると、ステップ２１８に進む。一方、第２フォトセンサー67の出力端子から出力されている信号がＨｉレベルではない（Ｌｏレベルである）と判断されると、つまり、第２フォトセンサー67の受光部が光を検出していないと判断されると、ステップ２１９に進む。
【０１５５】
ステップ２１８において、メダル通過制限時間検知タイマＴＭに所定値がセットされる。そして、ステップ２１４に戻る。
ステップ２１９において、異常判定処理が行われる。具体的には、第１フォトセンサー66の出力端子から出力される信号がＨｉレベルからＬｏレベルに変化するということは、メダル通路61を流下するメダルが、第１光路を遮りはじめる位置にあることを意味し、第２光路を遮る位置にあるはずはないので、このとき、第２フォトセンサー67の出力端子から出力される信号がＨｉレベルではないと（Ｌｏレベルだと）、つまり、第２フォトセンサー67の受光部が光を検出しないと、異常である。そして、第１フォトセンサー66の出力端子から出力される信号がＨｉレベルからＬｏレベルに変化するときに、第２フォトセンサー67の出力端子から出力される信号がＨｉレベルではないと（Ｌｏレベルだと）、つまり、第２フォトセンサー67の受光部が光を検出しないと、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０１５６】
ステップ２２０において、第２フォトセンサー67の出力端子から出力されている信号がＨｉレベルからＬｏレベルに変化したか否かの判断が行われる。具体的には、ステップ２１４における一定時間待ちの前後で、第２フォトセンサー67の出力端子から出力されている信号が、ＨｉレベルからＬｏレベルに変化したか否かの判断が行われる。また、変化したか否かの判断は、ステップ２１４における確認及び比較の結果に基づいて行われる。ここで、第２フォトセンサー67の出力端子から出力されている信号がＨｉレベルからＬｏレベルに変化したと判断されると、ステップ２２１に進む。一方、第２フォトセンサー67の出力端子から出力されている信号がＨｉレベルからＬｏレベルには変化しなかったと判断されると、ステップ２２３に進む。
【０１５７】
ステップ２２１において、第１フォトセンサー66の出力端子から出力されている信号が、Ｌｏレベルであるか否かの判断が行われる。つまり、第１フォトセンサー66の受光部が光を検出していないか否かの判断が行われる。ここで、第１フォトセンサー66の出力端子から出力されている信号がＬｏレベルであると判断されると、つまり、第１フォトセンサー66の受光部が光を検出していないと判断されると、ステップ２１４に戻る。一方、第１フォトセンサー66の出力端子から出力されている信号がＬｏレベルではない（Ｈｉレベルである）と判断されると、つまり、第１フォトセンサー66の受光部が光を検出していると判断されると、ステップ２２２に進む。
【０１５８】
ステップ２２２において、異常判定処理が行われる。具体的には、第２フォトセンサー67の出力端子から出力される信号がＨｉレベルからＬｏレベルに変化するということは、メダル通路61を流下するメダルが、第２光路を遮りはじめる位置にあることを意味し、第１光路をも遮る位置にあるはずなので、このとき、第１フォトセンサー66の出力端子から出力される信号がＬｏレベルではないと（Ｈｉレベルだと）、つまり、第１フォトセンサー66の受光部が光を検出すると、異常である。そして、第２フォトセンサー67の出力端子から出力される信号がＨｉレベルからＬｏレベルに変化するときに、第１フォトセンサー66の出力端子から出力される信号がＬｏレベルではないと（Ｈｉレベルだと）、つまり、第１フォトセンサー66の受光部が光を検出すると、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０１５９】
ステップ２２３において、第１フォトセンサー66の出力端子から出力されている信号がＬｏレベルからＨｉレベルに変化したか否かの判断が行われる。具体的には、ステップ２１４における一定時間待ちの前後で、第１フォトセンサー66の出力端子から出力されている信号が、ＬｏレベルからＨｉレベルに変化したか否かの判断が行われる。また、変化したか否かの判断は、ステップ２１４における確認及び比較の結果に基づいて行われる。ここで、第１フォトセンサー66の出力端子から出力されている信号がＬｏレベルからＨｉレベルに変化したと判断されると、ステップ２２４に進む。一方、第１フォトセンサー66の出力端子から出力されている信号がＬｏレベルからＨｉレベルには変化していないと判断されると、ステップ２２６に進む。
【０１６０】
ステップ２２４において、第２フォトセンサー67の出力端子から出力されている信号が、Ｌｏレベルであるか否かの判断が行われる。つまり、第２フォトセンサー67の受光部が光を検出していないか否かの判断が行われる。ここで、第２フォトセンサー67の出力端子から出力されている信号がＬｏレベルであると判断されると、つまり、第２フォトセンサー67の受光部が光を検出していないと判断されると、ステップ２１４に戻る。一方、第２フォトセンサー67の出力端子から出力されている信号がＬｏレベルではない（Ｈｉレベルである）と判断されると、つまり、第２フォトセンサー67の受光部が光を検出していると判断されると、ステップ２２５に進む。
【０１６１】
ステップ２２５において、異常判定処理が行われる。具体的には、第１フォトセンサー66の出力端子から出力される信号がＬｏレベルからＨｉレベルに変化するということは、メダル通路61を流下するメダルが、第１光路を遮り終える位置にあることを意味し、第２光路はまだ遮り続けている位置にあるはずなので、このとき、第２フォトセンサー67の出力端子から出力される信号がＬｏレベルではないと（Ｈｉレベルだと）、つまり、第２フォトセンサー67の受光部が光を検出すると、異常である。そして、第１フォトセンサー66の出力端子から出力される信号がＬｏレベルからＨｉレベルに変化するときに、第２フォトセンサー67の出力端子から出力される信号がＬｏレベルではないと（Ｈｉレベルだと）、つまり、第２フォトセンサー67の受光部が光を検出すると、異常判定手段160は、糸を括り付けられたメダルがメダル通路61を上方へ向けて誘導されているとして、異常と判定する。また、異常判定後の動作は、第１の実施の形態と同様である。そして、異常判定処理は終了する。
【０１６２】
ステップ２２６において、第２フォトセンサー67の出力端子から出力されている信号がＬｏレベルからＨｉレベルに変化したか否かの判断が行われる。具体的には、ステップ２１４における一定時間待ちの前後で、第２フォトセンサー67の出力端子から出力されている信号が、ＬｏレベルからＨｉレベルに変化したか否かの判断が行われる。また、変化したか否かの判断は、ステップ２１４における確認及び比較の結果に基づいて行われる。ここで、第２フォトセンサー67の出力端子から出力されている信号がＬｏレベルからＨｉレベルに変化したと判断されると、ステップ２２７に進む。一方、第２フォトセンサー67の出力端子から出力されている信号がＬｏレベルからＨｉレベルには変化していないと判断されると、ステップ２３０に進む。
【０１６３】
ステップ２２７において、第１フォトセンサー66の出力端子から出力されている信号がＨｉレベルであるか否かの判断が行われる。つまり、第１フォトセンサー66の受光部が光を検出しているか否かの判断が行われる。ここで、第１フォトセンサー66の出力端子から出力されている信号がＨｉレベルであると判断されると、つまり、第１フォトセンサー66の受光部が光を検出していると判断されると、ステップ２２８に進む。一方、第１フォトセンサー66の出力端子から出力されている信号がＨｉレベルではない（Ｌｏレベルである）と判断されると、つまり、第１フォトセンサー66の受光部が光を検出していないと判断されると、ステップ２３５に進む。
【０１６４】
ステップ２２８において、メダル１枚カウント処理が行われる。具体的には、ステップ２２８に進むときには、図６又は図９に示すようなパターンのメダル検出信号が出力される。そうすると、メダルカウント手段170が、カウント値を１つ加算する。また、メダルカウント手段170のカウント値が上限値の「３」に達しているときには、クレジットメダルカウント手段180が、カウント値を１つ加算する。そして、メダル１枚カウント処理は終了する。そして、ステップ２２９に進む。
ステップ２２９において、メダル通過制限時間検知タイマＴＭに０がセットされる。また、上述したように、メダル通過制限時間検知タイマＴＭに０がセットされるということは、メダルがメダル通路61を通過中ではないということを意味するものである。そして、ステップ２３３に進む。
【０１６５】
ステップ２３０において、メダル通過制限時間検知タイマＴＭの値が０より大きいか否かの判断が行われる。ステップ２３０でメダル通過制限時間検知タイマＴＭの値が０より大きいか否かの判断を行うのは、メダルが第１フォトセンサー66及び第２フォトセンサー67を通過中か否かの判断を行うためである。ここで、メダル通過制限時間検知タイマＴＭの値が０より大きいと判断されると、ステップ２３１に進む。一方、メダル通過制限時間検知タイマＴＭの値が０になったと判断されると、ステップ２３３に進む。
ステップ２３１において、メダル通過制限時間検知タイマＴＭの値が１減算される。そして、ステップ２３２に進む。
【０１６６】
ステップ２３２において、ステップ２３１で減算された後のメダル通過制限時間検知タイマＴＭの値が０より大きいか否かの判断が行われる。ステップ２３２でメダル通過制限時間検知タイマＴＭの値が０より大きいか否かの判断を行うのは、タイムオーバーか否かの判断を行うためである。ここで、ステップ２３１でメダル通過制限時間検知タイマＴＭの値が１減算されてもなお、メダル通過制限時間検知タイマＴＭの値が０より大きいと判断されると、ステップ２１４に戻る。一方、ステップ２３１でメダル通過制限時間検知タイマＴＭの値が１減算された結果、メダル通過制限時間検知タイマＴＭの値が０になったと判断されると、ステップ２３５に進む。
【０１６７】
ステップ２３３において、スタート信号が出力されたか否かの判断が行われる。ここで、スタート信号が出力されたと判断されると、ステップ２３４に進む。一方、スタート信号が出力されていないと判断されると、ステップ２０３に戻る。
ステップ２３４において、メダル投入不可に設定される。また、メダル投入不可に設定されると、キャンセルコイル63fへの通電が停止し、揺動アーム63dが、図４（Ｂ）に示す状態になる。つまり、メダル投入口41から投入されたメダルの進路が、メダル返却通路62方向になる。そうすると、メダル投入口41から投入されたメダルが、メダル返却通路62へ誘導されて、メダル返却口33から排出されるようになる。また、メダル投入不可に設定されると、メダルセンサー65によるメダルの検出が不可となる。そして、メダル検出処理は終了する。
【０１６８】
ステップ２３５において、異常判定処理が行われる。具体的には、第２フォトセンサー67の出力端子から出力される信号がＬｏレベルからＨｉレベルに変化するということは、メダル通路61を流下するメダルが、第２光路を遮り終える位置にあることを意味し、第１光路は既に遮り終えた位置にあるはずなので、このとき、第１フォトセンサー66の出力端子から出力される信号がＨｉレベルではないと（Ｌｏレベルだと）、つまり、第１フォトセンサー66の受光部が光を検出しないと、異常である。そして、第２フォトセンサー67の出力端子から出力される信号がＬｏレベルからＨｉレベルに変化するときに、第１フォトセンサー66の出力端子から出力される信号がＨｉレベルではないと（Ｌｏレベルだと）、つまり、第１フォトセンサー66の受光部が光を検出しないと、異常判定手段160は、糸を括り付けられたメダルがメダル通路61を上方へ向けて誘導されているなどとして、異常と判定する。また、ステップ２３２において、メダル通過制限時間検知タイマＴＭの値が０になると、タイムオーバーである。そして、異常判定手段160は、ステップ２３２において、メダル通過制限時間検知タイマＴＭの値が０になると、タームオーバーであるとして、異常と判定する。また、異常判定後の動作は、第１の実施の形態と同様である。そして、異常判定処理は終了する。
【０１６９】
このように、本実施の形態では、第１フォトセンサー66の発光部の発光を止め、かつ、第２フォトセンサー67の発光部を発光させた状態でメダル投入口41からのメダルの投入を待つ制御、又は第１フォトセンサー66及び第２フォトセンサー67の双方の発光部を発光させた状態でメダル投入口41からのメダルの投入を待つ制御のいずれか一方を、発光制御手段150が、遊技が１回行われる毎に、乱数値に基づいて、選択して実行する。
そして、本実施の形態では、第１フォトセンサー66及び第２フォトセンサー67の双方の発光部を発光させた状態でメダル投入口41からのメダルの投入を待つ制御では、従来の遊技機10と同様のパターンのメダル検出信号が出力されることから、従来の遊技機10と同様に、メダル検出処理を行う。
【０１７０】
また、本実施の形態では、第１フォトセンサー66の発光部の発光を止めていたときに、同受光部が光を検出すると、異常と判定する。これにより、不正器具を用いた不正行為を防止できる。
また、本実施の形態では、第１フォトセンサー66の発光部の発光を止めていたときに、第２フォトセンサー67の受光部が光を検出しなくなると、所定時間内に、第１フォトセンサー66の発光部を発光させ、このとき、第１フォトセンサー66の受光部が光を検出すると、異常と判定する。これにより、不正器具を用いた不正行為と、糸を括り付けたメダルでクレジット数を不正に増加させる不正行為とを同時に防止できる。
【０１７１】
（第３の実施の形態）
（図面の説明）
図１３ないし図１５は、第３の実施の形態における、メダル検出処理のフローチャートである。
（遊技機10）
第３の実施の形態に係る遊技機10は、ハードウエア構成は、第１の実施の形態に係る遊技機10と同様である。
また、第３の実施の形態に係る遊技機10は、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、メダルが１枚検出される毎に、交互に切り換えて実行するようにしたものである。
【０１７２】
（メダル検出処理）
本実施の形態におけるメダル検出処理を、図１３ないし図１５に示すフローチャートに基づいて説明する。
ステップ３００において、発光パターン選択用カウンタＮの下位１ビットが０か否かの判断が行われる。本実施の形態では、メダル検知処理が１回行われる毎に、発光パターン選択用カウンタＮの値に１が加算されるようになっている。ここで、発光パターン選択用カウンタＮの下位１ビットが０であると判断されると、ステップ３０１に進む。一方、発光パターン選択用カウンタＮの下位１ビットが０ではない（１である）と判断されると、ステップ３０２に進む。
【０１７３】
ステップ３０１において、第１フォトセンサー66の発光部を発光させる。そして、ステップ３０３に進む。
ステップ３０２において、第１フォトセンサー66の発光部の発光を止める。そして、ステップ３０３に進む。
ステップ３０３において、メダル投入可に設定される。また、メダル投入可に設定されると、キャンセルコイル63fへの通電が開始される。そうすると、キャンセルコイル63fの鉄心が、スプリング63eの付勢力に抗して、揺動アーム63dの上側の片を引き寄せる。これにより、図４（Ａ）に示す状態になる。つまり、メダル投入口41から投入されたメダルの進路が、メダル通路61の分岐部よりも下流側方向になる。そうすると、メダル投入口41から投入されたメダルが、メダルセレクター63及びメダルセンサー65を通過して、ホッパーユニット70のメダルタンクへ至るようになる。また、メダル投入可に設定されると、メダルセンサー65によるメダルの検出が可能となる。また、メダル投入可に設定されてから、メダルが投入されるまでが、メダル投入待ち状態である。そして、メダル投入可に設定されると、ステップ３０４に進む。
【０１７４】
ステップ３０４において、メダル通過制限時間検知タイマＴＭに０がセットされる。そして、ステップ３０５に進む。
ステップ３０５において、第１フォトセンサー66の発光部は発光しているか否かの判断が行われる。ここで、第１フォトセンサー66の発光部が発光していると判断されると、ステップ３０６に進む。一方、第１フォトセンサー66の発光部が発光していないと判断されると、ステップ３１５に進む。
ステップ３０６において、一定時間待ちの後、第１フォトセンサー66及び第２フォトセンサー67の出力端子から出力されている信号がＨｉレベルかＬｏレベルかの確認が行われ、一定時間待ち以前の出力と比較される。また、確認及び比較の動作は、ステップ１０３と同様である。また、ステップ３０１において、第１フォトセンサー66の発光部を発光させ、また、ステップ３０２において、第１フォトセンサー66の発光部の発光を止めるが、第１フォトセンサー66の発光部を消灯状態から発光状態へ移行させたり、逆に発光状態から消灯状態へ移行させるには一定の時間を要するところ、ステップ３０８で第１フォトセンサー66の出力端子から出力されている信号がＬｏレベルか否かの判断を行うにあたって、誤作動が起こらないようにするため、ここで一定時間待ちを行うこととしている。そして、ステップ３０７に進む。
【０１７５】
ステップ３０７において、発光パターン選択用カウンタＮの値に１が加算される。そして、ステップ３０８に進む。
ステップ３０８において、第１フォトセンサー66の出力端子から出力されている信号がＬｏレベルか否かの判断が行われる。つまり、第１フォトセンサー66の受光部が光を検出していないか否かの判断が行われる。ここで、第１フォトセンサー66の出力端子から出力されている信号がＬｏレベルではない（Ｈｉレベルである）と判断されると、つまり、第１フォトセンサー66の受光部が光を検出していると判断されると、ステップ３０９に進む。一方、第１フォトセンサー66の出力端子から出力されている信号がＬｏレベルであると判断されると、つまり、第１フォトセンサー66の受光部が光を検出していないと判断されると、ステップ３１０に進む。
【０１７６】
ステップ３０９において、異常判定処理が行われる。具体的には、第１フォトセンサー66の発光部の発光が止められているときには、同出力端子からは、Ｌｏレベルの信号が出力され続けるはずであり、Ｈｉレベルの信号が出力されると、異常である。つまり、第１フォトセンサー66の発光部の発光が止められているときに、同受光部が光を検出すると、異常である。そして、異常判定手段160は、第１フォトセンサー66の発光部の発光が止められているときに、同出力端子からＨｉレベルの信号が出力されると、不正器具を用いた不正行為が行われているとして、異常と判定する。つまり、第１フォトセンサー66の発光部の発光が止められているときに、同受光部が光を検出すると、異常であり、異常判定手段160は、不正器具を用いた不正行為が行われているとして、異常と判定する。また、異常判定後の動作は、第１の実施の形態と同様である。そして、異常判定処理は終了する。
【０１７７】
ステップ３１０において、第２フォトセンサー67の出力端子から出力されている信号がＨｉレベルからＬｏレベルに変化したか否かの判断が行われる。具体的には、ステップ３０６における一定時間待ちの前後で、第２フォトセンサー67の出力端子から出力されている信号がＨｉレベルからＬｏレベルに変化したか否かの判断が行われる。また、変化したか否かの判断は、ステップ３０６における確認及び比較の結果に基づいて行われる。ここで、第２フォトセンサー67の出力端子から出力されている信号がＨｉレベルからＬｏレベルに変化したと判断されると、ステップ３１１に進む。一方、第２フォトセンサー67の出力端子から出力されている信号がＨｉレベルからＬｏレベルには変化していないと判断されると、ステップ３１４に進む。
【０１７８】
ステップ３１１において、第１フォトセンサー66の発光部を発光させるとともに、一定時間待ちが行われる。ステップ３１２で第１フォトセンサー66の出力端子から出力されている信号がＬｏレベルか否かの判断を行うにあたって、誤作動が起こらないようにするため、ここで一定時間待ちを行うこととしている。そして、ステップ３１２に進む。
ステップ３１２において、第１フォトセンサー66の出力端子から出力されている信号が、Ｌｏレベルか否かの判断が行われる。つまり、第１フォトセンサー66の受光部が光を検出していないか否かの判断が行われる。ここで、第１フォトセンサー66の出力端子から出力されている信号がＬｏレベルではない（Ｈｉレベルである）と判断されると、つまり、第１フォトセンサー66の受光部が光を検出していると判断されると、ステップ３１３に進む。一方、第１フォトセンサー66の出力端子から出力されている信号がＬｏレベルの信号であると判断されると、つまり、第１フォトセンサー66の受光部が光を検出していないと判断されると、ステップ３１９に進む。
【０１７９】
ステップ３１３において、異常判定処理が行われる。具体的には、メダル通路61を下方へ誘導されるメダルが、第２光路を遮ることにより、第２フォトセンサー67の出力端子から出力される信号がＨｉレベルからＬｏレベルになると、発光制御手段150が、第１フォトセンサー66の発光部を発光させる。このとき、当該メダルが第１光路を遮り終える前であるはずだから、第１フォトセンサー66の出力端子からはＬｏレベルの信号が出力され続けるはずであり、Ｈｉレベルの信号が出力されると、異常である。つまり、このとき、当該メダルが第１光路を遮り終える前であるはずだから、第１フォトセンサー66の受光部は光を検出しないはずであり、同受光部が光を検出すると、異常である。そして、第１フォトセンサー66の発光部が発光したときに、同出力端子からＨｉレベルの信号が出力されると、つまり、同受光部が光を検出すると、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０１８０】
ステップ３１４において、スタート信号が出力されたか否かの判断が行われる。ここで、スタート信号が出力されたと判断されると、ステップ３３４に進む。一方、スタート信号が出力されていないと判断されると、ステップ３０６に戻る。
ステップ３１５において、一定時間待ちの後、第１フォトセンサー66及び第２フォトセンサー67の出力端子から出力されている信号がＨｉレベルかＬｏレベルかの確認が行われ、一定時間待ち以前の出力と比較される。また、確認及び比較の動作は、ステップ１０３と同様である。また、ステップ３０１において、第１フォトセンサー66の発光部を発光させ、また、ステップ３０２において、第１フォトセンサー66の発光部の発光を止めるが、第１フォトセンサー66の発光部を消灯状態から発光状態へ移行させたり、逆に発光状態から消灯状態へ移行させるには一定の時間を要するところ、ステップ３２２で第１フォトセンサー66の出力端子から出力されている信号がＬｏレベルか否かの判断を行うにあたって、誤作動が起こらないようにするため、ここで一定時間待ちを行うこととしている。また、このステップ３１５で待つ一定時間は、概ね、メダル通過制限時間検知タイマＴＭにおける１単位時間となる。そして、ステップ３１６に進む。
【０１８１】
ステップ３１６において、発光パターン選択用カウンタＮの値に１が加算される。そして、ステップ３１７に進む。
ステップ３１７において、第１フォトセンサー66の出力端子から出力されている信号がＨｉレベルからＬｏレベルに変化したか否かの判断が行われる。具体的には、ステップ３１５における一定時間待ちの前後で、第１フォトセンサー66の出力端子から出力されている信号が、ＨｉレベルからＬｏレベルに変化したか否かの判断が行われる。また、変化したか否かの判断は、ステップ３１５における確認及び比較の結果に基づいて行われる。ここで、第１フォトセンサー66の出力端子から出力されている信号がＨｉレベルからＬｏレベルに変化したと判断されると、ステップ３１８に進む。一方、第１フォトセンサー66の出力端子から出力されている信号がＨｉレベルからＬｏレベルには変化していないと判断されると、ステップ３２１に進む。
【０１８２】
ステップ３１８において、第２フォトセンサー67の出力端子から出力されている信号がＨｉレベルか否かの判断が行われる。つまり、第２フォトセンサー67の受光部が光を検出しているか否かの判断が行われる。ここで、第２フォトセンサー67の出力端子から出力されている信号がＨｉレベルであると判断されると、つまり、第２フォトセンサー67の受光部が光を検出していると判断されると、ステップ３１９に進む。一方、第２フォトセンサー67の出力端子から出力されている信号がＨｉレベルではない（Ｌｏレベルである）と判断されると、つまり、第２フォトセンサー67の受光部が光を検出していないと判断されると、ステップ３２０に進む。
【０１８３】
ステップ３１９において、メダル通過制限時間検知タイマＴＭに所定値がセットされる。そして、ステップ３１５に戻る。
ステップ３２０において、異常判定処理が行われる。具体的には、第１フォトセンサー66の出力端子から出力される信号がＨｉレベルからＬｏレベルに変化するということは、メダル通路61を流下するメダルが、第１光路を遮りはじめる位置にあることを意味し、第２光路を遮る位置にあるはずはないので、このとき、第２フォトセンサー67の出力端子から出力される信号がＨｉレベルではないと（Ｌｏレベルだと）、つまり、第２フォトセンサー67の受光部が光を検出しないと、異常である。そして、第１フォトセンサー66の出力端子から出力される信号がＨｉレベルからＬｏレベルに変化するときに、第２フォトセンサー67の出力端子から出力される信号がＨｉレベルではないと（Ｌｏレベルだと）、つまり、第２フォトセンサー67の受光部が光を検出しないと、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０１８４】
ステップ３２１において、第２フォトセンサー67の出力端子から出力されている信号がＨｉレベルからＬｏレベルに変化したか否かの判断が行われる。具体的には、ステップ３１５における一定時間待ちの前後で、第２フォトセンサー67の出力端子から出力されている信号がＨｉレベルからＬｏレベルに変化したか否かの判断が行われる。また、変化したか否かの判断は、ステップ３１５における確認及び比較の結果に基づいて行われる。ここで、第２フォトセンサー67の出力端子から出力されている信号がＨｉレベルからＬｏレベルに変化したと判断されると、ステップ３２２に進む。一方、第２フォトセンサー67の出力端子から出力されている信号がＨｉレベルからＬｏレベルには変化していないと判断されると、ステップ３２４に進む。
【０１８５】
ステップ３２２において、第１フォトセンサー66の出力端子から出力されている信号が、Ｌｏレベルか否かの判断が行われる。つまり、第１フォトセンサー66の受光部が光を検出していないか否かの判断が行われる。ここで、第１フォトセンサー66の出力端子から出力されている信号がＬｏレベルであると判断されると、つまり、第１フォトセンサー66の受光部が光を検出していないと判断されると、ステップ３１５に戻る。一方、第１フォトセンサー66の出力端子から出力されている信号がＬｏレベルではない（Ｈｉレベルである）と判断されると、つまり、第１フォトセンサー66の受光部が光を検出していると判断されると、ステップ３２３に進む。
【０１８６】
ステップ３２３において、異常判定処理が行われる。具体的には、第２フォトセンサー67の出力端子から出力される信号がＨｉレベルからＬｏレベルに変化するということは、メダル通路61を流下するメダルが、第２光路を遮りはじめる位置にあることを意味し、第１光路をも遮る位置にあるはずなので、このとき、第１フォトセンサー66の出力端子から出力される信号がＬｏレベルではないと（Ｈｉレベルだと）、つまり、第１フォトセンサー66の受光部が光を検出すると、異常である。そして、第２フォトセンサー67の出力端子から出力される信号がＨｉレベルからＬｏレベルに変化するときに、第１フォトセンサー66の出力端子から出力される信号がＬｏレベルではないと（Ｈｉレベルだと）、つまり、第１フォトセンサー66の受光部が光を検出すると、異常判定手段160は、糸を括り付けられたメダルがメダル通路61を上方へ向けて誘導されているとして、異常と判定する。また、異常判定後の動作は、第１の実施の形態と同様である。そして、異常判定処理は終了する。
【０１８７】
ステップ３２４において、第１フォトセンサー66の出力端子から出力されている信号がＬｏレベルからＨｉレベルに変化したか否かの判断が行われる。具体的には、ステップ３１５における一定時間待ちの前後で、第１フォトセンサー66の出力端子から出力されている信号がＬｏレベルからＨｉレベルに変化したか否かの判断が行われる。また、変化したか否かの判断は、ステップ３１５における確認及び比較の結果に基づいて行われる。ここで、第１フォトセンサー66の出力端子から出力されている信号がＬｏレベルからＨｉレベルに変化したと判断されると、ステップ３２５に進む。一方、第１フォトセンサー66の出力端子から出力されている信号がＬｏレベルからＨｉレベルには変化していないと判断されると、ステップ３２７に進む。
【０１８８】
ステップ３２５において、第２フォトセンサー67の出力端子から出力されている信号が、Ｌｏレベルか否かの判断が行われる。つまり、第２フォトセンサー67の受光部が光を検出していないか否かの判断が行われる。ここで、第２フォトセンサー67の出力端子から出力されている信号がＬｏレベルであると判断されると、つまり、第２フォトセンサー67の受光部が光を検出していないと判断されると、ステップ３１５に戻る。一方、第２フォトセンサー67の出力端子から出力されている信号がＬｏレベルではない（Ｈｉレベルである）と判断されると、つまり、第２フォトセンサー67の受光部が光を検出していると判断されると、ステップ３２６に進む。
【０１８９】
ステップ３２６において、異常判定処理が行われる。具体的には、第１フォトセンサー66の出力端子から出力される信号がＬｏレベルからＨｉレベルに変化するということは、メダル通路61を流下するメダルが、第１光路を遮り終える位置にあることを意味し、第２光路はまだ遮り続けている位置にあるはずなので、このとき、第２フォトセンサー67の出力端子から出力される信号がＬｏレベルではないと（Ｈｉレベルだと）、つまり、第２フォトセンサー67の受光部が光を検出すると、異常である。そして、第１フォトセンサー66の出力端子から出力される信号がＬｏレベルからＨｉレベルに変化するときに、第２フォトセンサー67の出力端子から出力される信号がＬｏレベルではないと（Ｈｉレベルだと）、つまり、第２フォトセンサー67の受光部が光を検出すると、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０１９０】
ステップ３２７において、第２フォトセンサー67の出力端子から出力されている信号がＬｏレベルからＨｉレベルに変化したか否かの判断が行われる。具体的には、ステップ３１５における一定時間待ちの前後で、第２フォトセンサー67の出力端子から出力されている信号がＬｏレベルからＨｉレベルに変化したか否かの判断が行われる。また、変化したか否かの判断は、ステップ３１５における確認及び比較の結果に基づいて行われる。ここで、第２フォトセンサー67の出力端子から出力されている信号がＬｏレベルからＨｉレベルに変化したと判断されると、ステップ３２８に進む。一方、第２フォトセンサー67の出力端子から出力されている信号がＬｏレベルからＨｉレベルには変化していないと判断されると、ステップ３３０に進む。
【０１９１】
ステップ３２８において、第１フォトセンサー66の出力端子から出力されている信号が、Ｈｉレベルか否かの判断が行われる。つまり、第１フォトセンサー66の受光部が光を検出しているか否かの判断が行われる。ここで、第１フォトセンサー66の出力端子から出力されている信号がＨｉレベルであると判断されると、つまり、第１フォトセンサー66の受光部が光を検出していると判断されると、ステップ３２９に進む。一方、第１フォトセンサー66の出力端子から出力されている信号がＨｉレベルではない（Ｌｏレベルである）と判断されると、つまり、第１フォトセンサー66の受光部が光を検出していないと判断されると、ステップ３３５に進む。
【０１９２】
ステップ３２９において、メダル１枚カウント処理が行われる。具体的には、ステップ３２９に進むときには、図６又は図９に示すようなパターンのメダル検出信号が出力される。そうすると、メダルカウント手段170が、カウント値を１つ加算する。また、メダルカウント手段170のカウント値が上限値の「３」に達しているときには、クレジットメダルカウント手段180が、カウント値を１つ加算する。そして、メダル１枚カウント処理は終了する。そして、ステップ３００に戻る。
ステップ３３０において、メダル通過制限時間検知タイマＴＭの値が０より大きいか否かの判断が行われる。ステップ３３０でメダル通過制限時間検知タイマＴＭの値が０より大きいか否かの判断を行うのは、メダルが第１フォトセンサー66及び第２フォトセンサー67を通過中か否かの判断を行うためである。ここで、メダル通過制限時間検知タイマＴＭの値が０より大きいと判断されると、ステップ３３１に進む。一方、メダル通過制限時間検知タイマＴＭの値が０であると判断されると、ステップ３３３に進む。
【０１９３】
ステップ３３１において、メダル通過制限時間検知タイマＴＭの値が１減算される。そして、ステップ３３２に進む。
ステップ３３２において、ステップ３３１で減算された後のメダル通過制限時間検知タイマＴＭの値が０より大きいか否かの判断が行われる。ステップ３３２でメダル通過制限時間検知タイマＴＭの値が０より大きいか否かの判断を行うのは、タイムオーバーか否かの判断を行うためである。ここで、ステップ３３１でメダル通過制限時間検知タイマＴＭの値が１減算されてもなお、メダル通過制限時間検知タイマＴＭの値が０より大きいと判断されると、ステップ３１５に戻る。一方、ステップ３３１でメダル通過制限時間検知タイマＴＭの値が１減算された結果、メダル通過制限時間検知タイマＴＭの値が０になったと判断されると、ステップ３３５に進む。
【０１９４】
ステップ３３３において、スタート信号が出力されたか否かの判断が行われる。ここで、スタート信号が出力されたと判断されると、ステップ３３４に進む。一方、スタート信号が出力されていないと判断されると、ステップ３１５に戻る。
ステップ３３４において、メダル投入不可に設定される。また、メダル投入不可に設定されると、キャンセルコイル63fへの通電が停止し、揺動アーム63dが、図４（Ｂ）に示す状態になる。つまり、メダル投入口41から投入されたメダルの進路が、メダル返却通路62方向になる。そうすると、メダル投入口41から投入されたメダルが、メダル返却通路62へ誘導されて、メダル返却口33から排出されるようになる。また、メダル投入不可に設定されると、メダルセンサー65によるメダルの検出が不可となる。そして、メダル検出処理は終了する。
【０１９５】
ステップ３３５において、異常判定処理が行われる。具体的には、第２フォトセンサー67の出力端子から出力される信号がＬｏレベルからＨｉレベルに変化するということは、メダル通路61を流下するメダルが、第２光路を遮り終える位置にあることを意味し、第１光路は既に遮り終えた位置にあるはずなので、このとき、第１フォトセンサー66の出力端子から出力される信号がＨｉレベルではないと（Ｌｏレベルだと）、つまり、第１フォトセンサー66の受光部が光を検出しないと、異常である。そして、第２フォトセンサー67の出力端子から出力される信号がＬｏレベルからＨｉレベルに変化するときに、第１フォトセンサー66の出力端子から出力される信号がＨｉレベルではないと（Ｌｏレベルだと）、つまり、第１フォトセンサー66の受光部が光を検出しないと、異常判定手段160は、糸を括り付けられたメダルがメダル通路61を上方へ向けて誘導されているなどとして、異常と判定する。また、ステップ３３２において、メダル通過制限時間検知タイマＴＭの値が０になると、タイムオーバーである。そして、異常判定手段160は、ステップ３３２において、メダル通過制限時間検知タイマＴＭの値が０になると、タームオーバーであるとして、異常と判定する。また、異常判定後の動作は、第１の実施の形態と同様である。そして、異常判定処理は終了する。
【０１９６】
このように、本実施の形態では、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、発光制御手段150が、メダルが１枚検出される毎に、交互に切り換えて実行する。
そして、本実施の形態では、第１フォトセンサー66及び第２フォトセンサー67の双方の発光部を発光させた状態でメダル投入口41からのメダルの投入を待つ制御では、従来の遊技機10と同様のパターンのメダル検出信号が出力されることから、従来の遊技機10と同様に、メダル検出処理を行う。
【０１９７】
また、本実施の形態では、第１フォトセンサー66の発光部の発光を止めていたときに、同受光部が光を検出すると、異常と判定する。これにより、不正器具を用いた不正行為を防止できる。
また、本実施の形態では、第１フォトセンサー66の発光部の発光を止めていたときに、第２フォトセンサー67の受光部が光を検出しなくなると、所定時間内に、第１フォトセンサー66の発光部を発光させ、このとき、第１フォトセンサー66の受光部が光を検出すると、異常と判定する。これにより、不正器具を用いた不正行為と、糸を括り付けたメダルでクレジット数を不正に増加させる不正行為とを同時に防止できる。
【０１９８】
（第４の実施の形態）
（図面の説明）
図１６ないし図１８は、第４の実施の形態における、メダル検出処理のフローチャートである。
（遊技機10）
第４の実施の形態に係る遊技機10は、ハードウエア構成は、第１の実施の形態に係る遊技機10と同様である。
また、第４の実施の形態に係る遊技機10は、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、メダル１枚の検出に要する時間よりも短い間隔で、交互に切り換えて実行することを特徴とするようにしたものである。
【０１９９】
（メダル検出処理）
本実施の形態におけるメダル検出処理を、図１６ないし図１８に示すフローチャートに基づいて説明する。
ステップ４００において、メダル投入可に設定される。また、メダル投入可に設定されると、キャンセルコイル63fへの通電が開始される。そうすると、キャンセルコイル63fの鉄心が、スプリング63eの付勢力に抗して、揺動アーム63dの上側の片を引き寄せる。これにより、図４（Ａ）に示す状態になる。つまり、メダル投入口41から投入されたメダルの進路が、メダル通路61の分岐部よりも下流側方向になる。そうすると、メダル投入口41から投入されたメダルが、メダルセレクター63及びメダルセンサー65を通過して、ホッパーユニット70のメダルタンクへ至るようになる。また、メダル投入可に設定されると、メダルセンサー65によるメダルの検出が可能となる。また、メダル投入可に設定されてから、メダルが投入されるまでが、メダル投入待ち状態である。そして、メダル投入可に設定されると、ステップ４０１に進む。
【０２００】
ステップ４０１において、メダル通過制限時間検知タイマＴＭに０がセットされる。また、上述したように、メダル通過制限時間検知タイマＴＭに０がセットされるということは、メダルがメダル通路61を通過中ではないということを意味するものである。そして、ステップ４０２に進む。
ステップ４０２において、第１フォトセンサー66の発光部を発光させる。そして、ステップ４０３に進む。
ステップ４０３において、一定時間待ちの後、第１フォトセンサー66及び第２フォトセンサー67の出力端子から出力されている信号がＨｉレベルかＬｏレベルかの確認が行われ、一定時間待ち以前の出力と比較される。また、確認及び比較の動作は、ステップ１０３と同様である。また、ステップ４０２及びステップ４２９において、第１フォトセンサー66の発光部を発光させ、また、ステップ４２８において、第１フォトセンサー66の発光部の発光を止めるが、第１フォトセンサー66の発光部を消灯状態から発光状態へ移行させたり、逆に発光状態から消灯状態へ移行させるには一定の時間を要するところ、ステップ４０８及びステップ４１２で第１フォトセンサー66の出力端子から出力されている信号がＬｏレベルか否かの判断を行ったり、ステップ４１８で第１フォトセンサー66の出力端子から出力されている信号がＨｉレベルか否かの判断を行うにあたって、誤作動が起こらないようにするため、ここで一定時間待ちを行うこととしている。また、このステップ４０３で待つ一定時間は、概ね、メダル通過制限時間検知タイマＴＭにおける１単位時間となる。そして、ステップ４０４に進む。
【０２０１】
ステップ４０４において、第１フォトセンサー66の発光部は発光しているか否かの判断が行われる。ここで、第１フォトセンサー66の発光部が発光していると判断されると、ステップ４０５に進む。一方、第１フォトセンサー66の発光部が発光していないと判断されると、ステップ４０８に進む。
ステップ４０５において、第１フォトセンサー66の出力端子から出力されている信号がＨｉレベルからＬｏレベルに変化したか否かの判断が行われる。具体的には、ステップ４０３における一定時間待ちの前後で、第１フォトセンサー66の出力端子から出力されている信号が、ＨｉレベルからＬｏレベルに変化したか否かの判断が行われる。また、変化したか否かの判断は、ステップ４０３における確認及び比較の結果に基づいて行われる。ここで、第１フォトセンサー66の出力端子から出力されている信号がＨｉレベルからＬｏレベルに変化したと判断されると、ステップ４０６に進む。一方、第１フォトセンサー66の出力端子から出力されている信号がＨｉレベルからＬｏレベルには変化していないと判断されると、ステップ４１１に進む。
【０２０２】
ステップ４０６において、第２フォトセンサー67の出力端子から出力されている信号が、Ｈｉレベルか否かの判断が行われる。つまり、第２フォトセンサー67の受光部が光を検出しているか否かの判断が行われる。ここで、第２フォトセンサー67の出力端子から出力されている信号がＨｉレベルであると判断されると、つまり、第２フォトセンサー67の受光部が光を検出していると判断されると、ステップ４０７に進む。一方、第２フォトセンサー67の出力端子から出力されている信号がＨｉレベルではない（Ｌｏレベルである）と判断されると、つまり、第２フォトセンサー67の受光部が光を検出していないと判断されると、ステップ４１０に進む。
【０２０３】
ステップ４０７において、メダル通過制限時間検知タイマＴＭに所定値がセットされる。そして、ステップ４２７に進む。
ステップ４０８において、第１フォトセンサー66の出力端子から出力されている信号が、Ｌｏレベルか否かの判断が行われる。つまり、第１フォトセンサー66の受光部が光を検出していないか否かの判断が行われる。ここで、第１フォトセンサー66の出力端子から出力されている信号がＬｏレベルではない（Ｈｉレベルである）と判断されると、つまり、第１フォトセンサー66の受光部が光を検出していると判断されると、ステップ４０９に進む。一方、第１フォトセンサー66の出力端子から出力されている信号がＬｏレベルであると判断されると、つまり、第１フォトセンサー66の受光部が光を検出していないと判断されると、ステップ４２１に進む。
【０２０４】
ステップ４０９において、異常判定処理が行われる。具体的には、第１フォトセンサー66の発光部の発光が止められているときには、同出力端子からは、Ｌｏレベルの信号が出力され続けるはずであり、Ｈｉレベルの信号が出力されると、異常である。つまり、第１フォトセンサー66の発光部の発光が止められているときに、同受光部が光を検出すると、異常である。そして、異常判定手段160は、第１フォトセンサー66の発光部の発光が止められているときに、同出力端子からＨｉレベルの信号が出力されると、つまり、同受光部が光を検出すると、不正器具を用いた不正行為が行われているとして、異常と判定する。また、異常判定後の動作は、第１の実施の形態と同様である。そして、異常判定処理は終了する。
【０２０５】
ステップ４１０において、異常判定処理が行われる。具体的には、第１フォトセンサー66の出力端子から出力される信号がＨｉレベルからＬｏレベルに変化するということは、メダル通路61を流下するメダルが、第１光路を遮りはじめる位置にあることを意味し、第２光路を遮る位置にあるはずはないので、このとき、第２フォトセンサー67の出力端子から出力される信号がＨｉレベルではないと（Ｌｏレベルだと）、つまり、第２フォトセンサー67の受光部が光を検出しないと、異常である。そして、第１フォトセンサー66の出力端子から出力される信号がＨｉレベルからＬｏレベルに変化するときに、第２フォトセンサー67の出力端子から出力される信号がＨｉレベルではないと（Ｌｏレベルだと）、つまり、第２フォトセンサー67の受光部が光を検出しないと、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０２０６】
ステップ４１１において、第２フォトセンサー67の出力端子から出力されている信号がＨｉレベルからＬｏレベルに変化したか否かの判断が行われる。具体的には、ステップ４０３における一定時間待ちの前後で、第２フォトセンサー67の出力端子から出力されている信号が、ＨｉレベルからＬｏレベルに変化したか否かの判断が行われる。また、変化したか否かの判断は、ステップ４０３における確認及び比較の結果に基づいて行われる。ここで、第２フォトセンサー67の出力端子から出力されている信号がＨｉレベルからＬｏレベルに変化したと判断されると、ステップ４１２に進む。一方、第２フォトセンサー67の出力端子から出力されている信号がＨｉレベルからＬｏレベルには変化しなかったと判断されると、ステップ４１４に進む。
【０２０７】
ステップ４１２において、第１フォトセンサー66の出力端子から出力されている信号が、Ｌｏレベルか否かの判断が行われる。つまり、第１フォトセンサー66の受光部が光を検出していないか否かの判断が行われる。ここで、第１フォトセンサー66の出力端子から出力されている信号がＬｏレベルではない（Ｈｉレベルである）と判断されると、つまり、第１フォトセンサー66の受光部が光を検出していると判断されると、ステップ４１３に進む。一方、第１フォトセンサー66の出力端子から出力されている信号がＬｏレベルの信号であると判断されると、つまり、第１フォトセンサー66の受光部が光を検出していないと判断されると、ステップ４２７に進む。
【０２０８】
ステップ４１３において、異常判定処理が行われる。具体的には、メダル通路61を下方へ誘導されるメダルが、第２光路を遮ることにより、第２フォトセンサー67の出力端子から出力される信号がＨｉレベルからＬｏレベルになると、発光制御手段150が、第１フォトセンサー66の発光部を発光させる。このとき、当該メダルが第１光路を遮り終える前であるはずだから、第１フォトセンサー66の出力端子からはＬｏレベルの信号が出力され続けるはずであり、Ｈｉレベルの信号が出力されると、異常である。つまり、第１フォトセンサー66の受光部は光を検出しないはずであり、同受光部が光を検出すると、異常である。そして、第１フォトセンサー66の発光部が発光したときに、同出力端子からＨｉレベルの信号が出力されると、つまり、同受光部が光を検出すると、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０２０９】
ステップ４１４において、第１フォトセンサー66の出力端子から出力されている信号がＬｏレベルからＨｉレベルに変化したか否かの判断が行われる。具体的には、ステップ４０３における一定時間待ちの前後で、第１フォトセンサー66の出力端子から出力されている信号が、ＬｏレベルからＨｉレベルに変化したか否かの判断が行われる。また、変化したか否かの判断は、ステップ４０３における確認及び比較の結果に基づいて行われる。ここで、第１フォトセンサー66の出力端子から出力されている信号がＬｏレベルからＨｉレベルに変化したと判断されると、ステップ４１５に進む。一方、第１フォトセンサー66の出力端子から出力されている信号がＬｏレベルからＨｉレベルには変化しなかったと判断されると、ステップ４１７に進む。
【０２１０】
ステップ４１５において、第２フォトセンサー67の出力端子から出力されている信号がＬｏレベルか否かの判断が行われる。つまり、第２フォトセンサー67の受光部が光を検出していないか否かの判断が行われる。ここで、第２フォトセンサー67の出力端子から出力されている信号がＬｏレベルであると判断されると、つまり、第２フォトセンサー67の受光部が光を検出していないと判断されると、ステップ４２７に進む。一方、第２フォトセンサー67の出力端子から出力されている信号がＬｏレベルではない（Ｈｉレベルである）と判断されると、つまり、第２フォトセンサー67の受光部が光を検出していると判断されると、ステップ４１６に進む。
【０２１１】
ステップ４１６において、異常判定処理が行われる。具体的には、第１フォトセンサー66の出力端子から出力される信号がＬｏレベルからＨｉレベルに変化するということは、メダル通路61を流下するメダルが、第１光路を遮り終える位置にあることを意味し、第２光路はまだ遮り続けている位置にあるはずなので、このとき、第２フォトセンサー67の出力端子から出力される信号がＬｏレベルではないと（Ｈｉレベルだと）、つまり、第２フォトセンサー67の受光部が光を検出すると、異常である。そして、第１フォトセンサー66の出力端子から出力される信号がＬｏレベルからＨｉレベルに変化するときに、第２フォトセンサー67の出力端子から出力される信号がＬｏレベルではないと（Ｈｉレベルだと）、つまり、第２フォトセンサー67の受光部が光を検出すると、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０２１２】
ステップ４１７において、第２フォトセンサー67の出力端子から出力されている信号がＬｏレベルからＨｉレベルに変化したか否かの判断が行われる。具体的には、ステップ４０３の一定時間待ちの前後で、第２フォトセンサー67の出力端子から出力されている信号がＬｏレベルからＨｉレベルに変化したか否かの判断が行われる。また、変化したか否かの判断は、ステップ４０３における確認及び比較の結果に基づいて行われる。ここで、第２フォトセンサー67の出力端子から出力されている信号がＬｏレベルからＨｉレベルに変化したと判断されると、ステップ４１８に進む。一方、第２フォトセンサー67の出力端子から出力されている信号がＬｏレベルからＨｉレベルには変化しなかったと判断されると、ステップ４２１に進む。
【０２１３】
ステップ４１８において、第１フォトセンサー66の出力端子から出力されている信号が、Ｈｉレベルか否かの判断が行われる。つまり、第１フォトセンサー66の受光部が光を検出しているか否かの判断が行われる。ここで、第１フォトセンサー66の出力端子から出力されている信号がＨｉレベルであると判断されると、つまり、第１フォトセンサー66の受光部が光を検出していると判断されると、ステップ４１９に進む。一方、第１フォトセンサー66の出力端子から出力されている信号がＨｉレベルではない（Ｌｏレベルである）と判断されると、つまり、第１フォトセンサー66の受光部が光を検出していないと判断されると、ステップ４２０に進む。
【０２１４】
ステップ４１９において、メダル１枚カウント処理が行われる。具体的には、ステップ４１９に進むときには、図６又は図９に示すようなパターンのメダル検出信号が出力される。そうすると、メダルカウント手段170が、カウント値を１つ加算する。また、メダルカウント手段170のカウント値が上限値の「３」に達しているときには、クレジットメダルカウント手段180が、カウント値を１つ加算する。そして、メダル１枚カウント処理は終了する。そして、ステップ４２７に進む。
ステップ４２０において、異常判定処理が行われる。具体的には、第２フォトセンサー67の出力端子から出力される信号がＬｏレベルからＨｉレベルに変化するということは、メダル通路61を流下するメダルが、第２光路を遮り終える位置にあることを意味し、第１光路は既に遮り終えた位置にあるはずなので、このとき、第１フォトセンサー66の出力端子から出力される信号がＨｉレベルではないと（Ｌｏレベルだと）、つまり、第１フォトセンサー66の受光部が光を検出しないと、異常である。そして、第２フォトセンサー67の出力端子から出力される信号がＬｏレベルからＨｉレベルに変化するときに、第１フォトセンサー66の出力端子から出力される信号がＨｉレベルではないと（Ｌｏレベルだと）、つまり、第１フォトセンサー66の受光部が光を検出しないと、異常判定手段160は、糸を括り付けられたメダルがメダル通路61を上方へ向けて誘導されているなどとして、異常と判定する。また、異常判定後の動作は、第１の実施の形態と同様である。そして、異常判定処理は終了する。
【０２１５】
ステップ４２１において、メダル通過制限時間検知タイマＴＭの値が０より大きいか否かの判断が行われる。また、ステップ４２１でメダル通過制限時間検知タイマＴＭの値が０より大きいか否かの判断を行うのは、メダルが第１フォトセンサー66及び第２フォトセンサー67を通過中か否かの判断を行うためである。ここで、メダル通過制限時間検知タイマＴＭの値が０より大きいと判断されると、ステップ４２２に進む。一方、メダル通過制限時間検知タイマＴＭの値が０であると判断されると、ステップ４２４に進む。
ステップ４２２において、メダル通過制限時間検知タイマＴＭの値が１減算される。そして、ステップ４２３に進む。
【０２１６】
ステップ４２３において、ステップ４２２で減算された後のメダル通過制限時間検知タイマＴＭの値が０より大きいか否かの判断が行われる。また、ステップ４２３でメダル通過制限時間検知タイマＴＭの値が０より大きいか否かの判断を行うのは、タイムオーバーか否かの判断を行うためである。ここで、ステップ４２２でメダル通過制限時間検知タイマＴＭの値が１減算されてもなお、メダル通過制限時間検知タイマＴＭの値が０より大きいと判断されると、ステップ４２７に進む。一方、ステップ４２２でメダル通過制限時間検知タイマＴＭの値が１減算された結果、メダル通過制限時間検知タイマＴＭの値が０になったと判断されると、ステップ４２６に進む。
【０２１７】
ステップ４２４において、スタート信号が出力されたか否かの判断が行われる。ここで、スタート信号が出力されたと判断されると、ステップ４２５に進む。一方、スタート信号が出力されていないと判断されると、ステップ４２７に進む。
ステップ４２５において、メダル投入不可に設定される。また、メダル投入不可に設定されると、キャンセルコイル63fへの通電が停止し、揺動アーム63dが、図４（Ｂ）に示す状態になる。つまり、メダル投入口41から投入されたメダルの進路が、メダル返却通路62方向になる。そうすると、メダル投入口41から投入されたメダルが、メダル返却通路62へ誘導されて、メダル返却口33から排出されるようになる。また、メダル投入不可に設定されると、メダルセンサー65によるメダルの検出が不可となる。そして、メダル検出処理は終了する。
【０２１８】
ステップ４２６において、異常判定処理が行われる。具体的には、ステップ４２３において、メダル通過制限時間検知タイマＴＭの値が０になると、タイムオーバーである。そして、異常判定手段160は、ステップ４２３において、メダル通過制限時間検知タイマＴＭの値が０になると、タームオーバーであるとして、異常と判定する。また、異常判定後の動作は、第１の実施の形態と同様である。そして、異常判定処理は終了する。
ステップ４２７において、第１フォトセンサー66の発光部が発光しているか否かの判断が行われる。ここで、第１フォトセンサー66の発光部が発光していると判断されると、ステップ４２８に進む。一方、第１フォトセンサー66の発光部が発光していないと判断されると、ステップ４２９に進む。
【０２１９】
ステップ４２８において、第１フォトセンサー66の発光部の発光が止められる。そして、ステップ４０３に戻る。
ステップ４２９において、第１フォトセンサー66の発光部が発光させられる。そして、ステップ４０３に戻る。
このように、本実施の形態では、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、発光制御手段150が、メダル１枚の検出に要する時間よりも短い間隔で、交互に切り換えて実行する。
【０２２０】
そして、本実施の形態では、第１フォトセンサー66及び第２フォトセンサー67の双方の発光部を発光させた状態でメダル投入口41からのメダルの投入を待つ制御では、従来の遊技機10と同様のパターンのメダル検出信号が出力されることから、従来の遊技機10と同様に、メダル検出処理を行う。
また、本実施の形態では、第１フォトセンサー66の発光部の発光を止めていたときに、同受光部が光を検出すると、異常と判定する。これにより、不正器具を用いた不正行為を防止できる。
（第５の実施の形態）
（図面の説明）
図１９は、第５の実施の形態における、メダル検出信号のタイムチャートである。
【０２２１】
（遊技機10）
第１ないし第４の実施の形態に係る遊技機10は、第１フォトセンサー66についてのみ、受光部による光の検出を可能としたまま、発光部の発光を止めることができるようにし、第２フォトセンサー67については、受光部による光の検出を可能としたまま、発光部の発光を止めることはできないようにしたが、第５の実施の形態に係る遊技機10は、第１ないし第４の実施の形態に係る遊技機10とは逆に、第２フォトセンサー67についてのみ、受光部による光の検出を可能としたまま、発光部の発光を止めることができるようにし、第１フォトセンサー66については、受光部による光の検出を可能としたまま、発光部の発光を止めることはできないようにしたものである。
【０２２２】
また、第５の実施の形態に係る遊技機10は、第１フォトセンサー66及び第２フォトセンサー67の発光部以外のハードウエア構成については、第１ないし第４の実施の形態に係る遊技機10と同様である。
（メダルセンサー65）
上述したように、本実施の形態では、第２フォトセンサー67は、受光部による光の検出を可能としたまま、発光部の発光を止めることができるようにしているが、第１フォトセンサー66は、受光部による光の検出を可能としたまま、発光部の発光を止めることはできないようにしている。
【０２２３】
（発光制御手段150）
本実施の形態では、発光制御手段150は、第２フォトセンサー67の発光部の発光を制御する。つまり、発光制御手段150は、第２フォトセンサー67の発光部について、発光させたり、発光を止めたりする。
また、本実施の形態では、発光制御手段150は、メダル投入待ち状態においては、第２フォトセンサー67の発光部の発光を止める。
また、本実施の形態では、発光制御手段150は、第２フォトセンサー67の発光部の発光を止めていたときに、第１フォトセンサー66の受光部が光を検出しなくなると、所定時間内に、発光を止めていた第２フォトセンサー67の発光部を発光させる。
【０２２４】
また、本実施の形態では、「所定時間」は、メダル通路61を下方へ誘導されるメダルが、第１光路を遮りはじめてから、第２光路を遮りはじめる直前までの時間である。
つまり、本実施の形態では、第１光路の遮断開始後、第２光路の遮断開始直前までが、所定時間である。
更に換言すれば、本実施の形態では、メダル通路61を流下するメダルが、第１光路は遮るが第２光路は遮らない状態の継続時間が、所定時間である。
また、所定時間は、メダル通路61の傾斜角度や、メダルの大きさや、第１フォトセンサー66及び第２フォトセンサー67の取付位置などの諸条件によって変動する。
【０２２５】
また、本実施の形態では、発光制御手段150は、ひとたび第２フォトセンサー67の発光部を発光させると、メダル１枚カウント処理が終わるまで、第２フォトセンサー67の発光部を発光させ続ける。また、メダル１枚カウント処理が終わると、メダル投入待ち状態になる。そうすると、発光制御手段150は、第２フォトセンサー67の発光部の発光を止める。
（メダル検出信号）
メダル投入待ち状態においては、第１フォトセンサー66の発光部を発光させておくとともに、第２フォトセンサー67の発光部の発光を止めておき、第１フォトセンサー66の受光部が光を検出しなくなると、第２フォトセンサー67の発光部を発光させる制御を行ったときのメダル検出信号を、図１９に示すタイムチャートに基づいて説明する。
【０２２６】
メダル投入待ち状態では、第１フォトセンサー66の出力端子からは、Ｈｉレベルの信号が出力され続けるが、第２フォトセンサー67の出力端子からは、Ｌｏレベルの信号が出力され続ける（図１９中のａよりも前）。
メダル通路61を流下するメダルが、第１光路を遮りはじめると、第１フォトセンサー66の出力端子から出力される信号が、ＨｉレベルからＬｏレベルになる。このとき、第２フォトセンサー67の発光部が発光するが、当該メダルは、通常、第２光路を遮りはじめる前であるから、第２フォトセンサー67の出力端子から出力される信号は、ＬｏレベルからＨｉレベルになる（図１９中のａ）。また、第１フォトセンサー66の出力端子から、Ｌｏレベルの信号が出力され続け、かつ、第２フォトセンサー67の出力端子から、Ｈｉレベルの信号が出力され続ける状態は、通常、メダル通路61を流下するメダルが、第２光路を遮る直前まで継続する（図１９中のａ−ｂ間）。
【０２２７】
メダル通路61を流下するメダルが、第２光路を遮りはじめると、第２フォトセンサー67の出力端子から出力される信号が、ＨｉレベルからＬｏレベルになる。このとき、当該メダルは、通常、第１光路を遮り終える前であるから、第１フォトセンサー66の出力端子から出力される信号は、Ｌｏレベルである（図１９中のｂ）。また、第１フォトセンサー66の出力端子から、Ｌｏレベルの信号が出力され続け、かつ、第２フォトセンサー67の出力端子からも、Ｌｏレベルの信号が出力され続ける状態は、メダル通路61を流下するメダルが、第１光路を遮り終える直前まで継続する（図１９中のｂ−ｃ間）。
メダル通路61を流下するメダルが、第１光路を遮り終えると、通常、第１フォトセンサー66の出力端子から出力される信号が、ＬｏレベルからＨｉレベルになる。このとき、当該メダルは、通常、第２光路を遮り終える前であるから、第２フォトセンサー67の出力端子から出力される信号は、Ｌｏレベルである（図１９中のｃ）。また、第１フォトセンサー66の出力端子から、Ｈｉレベルの信号が出力され続け、かつ、第２フォトセンサー67の出力端子から、Ｌｏレベルの信号が出力され続ける状態は、メダル通路61を流下するメダルが、第２光路を遮り終える直前まで継続する（図１９中のｃ−ｄ間）。
【０２２８】
メダル通路61を流下するメダルが、第２光路を遮り終えると、通常、第２フォトセンサー67の出力端子から出力される信号が、ＬｏレベルからＨｉレベルになる。このとき、当該メダルは、通常、第１光路を遮り終えた後であるから、第１フォトセンサー66の出力端子から出力される信号は、Ｈｉレベルである（図１９中のｄ）。また、第１フォトセンサー66の出力端子から、Ｈｉレベルの信号が出力され続け、かつ、第２フォトセンサー67の出力端子からも、Ｈｉレベルの信号が出力され続ける状態は、メダル１枚カウント処理が終了するまで継続する（図１９中のｄよりも後）。
（メダルカウント手段170）
本実施の形態では、メダル投入口41に投入されたメダルが、メダル通路61を流下し、メダルセレクター63を通過して、メダルセンサー65を通過すると、メダル検出信号が出力される。このとき、図１９に示すようなパターンのメダル検出信号が出力される。そうすると、メダルカウント手段170は、カウント動作を行う。具体的には、メダルカウント手段170は、図１９に示すようなパターンのメダル検出信号が１回出力される毎に、カウント値を１つ加算する。このようにして、メダル投入口41に投入されたメダルの枚数がカウントされる。
【０２２９】
また、本実施の形態では、メダルカウント手段170のカウント値の上限値は、「３」と定められている。
（クレジットメダルカウント手段180）
クレジットメダルカウント手段180は、クレジットされているメダルの枚数をカウントするためのものである。
本実施の形態では、メダルの投入枚数は、１回の遊技につき最大で３枚である。このため、メダル投入口41にメダルが４枚以上投入されると、４枚目以降のメダルは、クレジットメダルカウント手段180によって、クレジットとしてカウントされる。
【０２３０】
また、メダルの枚数のカウントは、メダルカウント手段170と同様である。つまり、本実施の形態では、メダル投入口41に投入されたメダルが、メダルセンサー65を通過すると、図１９に示すようなパターンのメダル検出信号が出力される。クレジットメダルカウント手段180は、図１９に示すようなパターンのメダル検出信号が１回出力される毎に、カウント値を１つ加算する。
また、本実施の形態では、メダルのクレジットは、最大で５０枚である。このため、メダルカウント手段170のカウント値が「３」に達し、かつ、クレジットメダルカウント手段180のカウント値が「５０」に達すると、それ以降にメダル投入口41に投入されるメダルは、メダルキャンセラー64によってメダル返却通路62へ誘導され、メダル返却口33から排出される。
【０２３１】
（異常判定手段160）
異常判定手段160は、発光制御手段150が発光部の発光を止めているときに、当該発光部に対応する受光部が光を検出すると、異常と判定するためのものである。
本実施の形態では、異常判定手段160は、発光制御手段150が第２フォトセンサー67の発光部の発光を止めているときに、第２フォトセンサー67の受光部が光を検出すると、異常と判定する。
つまり、第２フォトセンサー67の発光部の発光が止められているときには、第２フォトセンサー67の受光部は通常であれば光を検出しないはずであり、第２フォトセンサー67の受光部が光を検出すると、異常である。そして、異常判定手段160は、第２フォトセンサー67の発光部が発光を止められているときに、第２フォトセンサー67の受光部が光を検出すると、不正器具を用いた不正行為が行われているとして、異常と判定する。
【０２３２】
より具体的には、本実施の形態では、第２フォトセンサー67の発光部の発光が止められているときには、第２フォトセンサー67の出力端子からは、Ｌｏレベルの信号が出力され続けるはずであり、Ｈｉレベルの信号が出力されると、異常である。そして、異常判定手段160は、第２フォトセンサー67の発光部が発光を止められているときに、第２フォトセンサー67の出力端子からＨｉレベルの信号が出力されると、第２フォトセンサー67の受光部が光を検出したとし、不正器具を用いた不正行為が行われているとして、異常と判定する。
また、本実施の形態では、異常判定手段160は、発光制御手段150が発光を止めていた第２フォトセンサー67の発光部を発光させたときに、第２フォトセンサー67の受光部が光を検出しないと、異常と判定する。
【０２３３】
つまり、本実施の形態では、メダル通路61を下方へ誘導されるメダルが、第１光路を遮りはじめたときには、第２光路は遮らないはずである。更に、メダル通路61を下方へ誘導されるメダルが、第１光路を遮ることにより、第１フォトセンサー66の受光部が光を検出しなくなると、発光制御手段150が、第２フォトセンサー67の発光部を発光させるが、このとき、当該メダルは、第２光路を遮りはじめる前であるはずだから、第２フォトセンサー67の受光部は光を検出するはずであり、このとき、第２フォトセンサー67の受光部が光を検出しないと、異常である。そして、異常判定手段160は、第２フォトセンサー67の発光部が発光したときに、第２フォトセンサー67の受光部が光を検出しないと、糸を括り付けられたメダルがメダル通路61を上方へ向けて誘導されているとして、異常と判定する。
【０２３４】
より具体的には、本実施の形態では、メダル通路61を下方へ誘導されるメダルが、第１光路を遮ることにより、第１フォトセンサー66の出力端子から出力される信号がＨｉレベルからＬｏレベルになると、発光制御手段150が、第２フォトセンサー67の発光部を発光させるが、このとき、当該メダルは、第２光路を遮りはじめる前であるはずだから、第２フォトセンサー67の出力端子からはＨｉレベルの信号が出力され続けるはずであり、Ｌｏレベルの信号が出力されると、異常である。そして、異常判定手段160は、第２フォトセンサー67の発光部が発光したときに、第２フォトセンサー67の出力端子からＬｏレベルの信号が出力されると、第２フォトセンサー67の受光部が光を検出しなかったとし、糸を括り付けられたメダルがメダル通路61を上方へ向けて誘導されているとして、異常と判定する。
【０２３５】
また、異常判定後の動作については、第１ないし第４の実施の形態と同様である。
このように、本実施の形態では、第２フォトセンサー67について、受光部による光の検出を可能としたまま、発光部の発光を止めるとともに、同発光部の発光を止めているときに、同受光部が光を検出すると、異常と判定する。これにより、不正器具を用いた不正行為を防止できる。
また、本実施の形態では、第２フォトセンサー67の発光部の発光を止めていたときに、第１フォトセンサー66の受光部が光を検出しなくなると、所定時間内に、第２フォトセンサー67の発光部を発光させ、このとき、第２フォトセンサー67の受光部が光を検出しないと、異常と判定する。これにより、不正器具を用いた不正行為と、糸を括り付けたメダルでクレジット数を不正に増加させる不正行為とを同時に防止できる。
【０２３６】
なお、第５の実施の形態では、第１の実施の形態のように、第１フォトセンサー66の発光部を発光させ、かつ、第２フォトセンサー67の発光部の発光を止める状態と、第１フォトセンサー66及び第２フォトセンサー67の双方の発光部を発光させた状態との切り換えを行わないようにしてもよく、また、第２の実施の形態のように、第１フォトセンサー66の発光部を発光させ、かつ、第２フォトセンサー67の発光部の発光を止める状態と、第１フォトセンサー66及び第２フォトセンサー67の双方の発光部を発光させた状態とを、メダル検出処理開始時に取得した乱数に基づいて択一的に選択して切り換えるようにしてもよく、また、第３の実施の形態のように、第１フォトセンサー66の発光部を発光させ、かつ、第２フォトセンサー67の発光部の発光を止める状態と、第１フォトセンサー66及び第２フォトセンサー67の双方の発光部を発光させた状態とを、メダル検出処理が１回行われる毎に交互に切り換えるようにしてもよく、また、第４の実施の形態のように、第１フォトセンサー66の発光部を発光させ、かつ、第２フォトセンサー67の発光部の発光を止める状態と、第１フォトセンサー66及び第２フォトセンサー67の双方の発光部を発光させた状態とを、１回のメダル検出処理中に高速で何度も交互に切り換えるようにしてもよい。
【０２３７】
（第６の実施の形態）
第６の実施の形態に係る遊技機10は、第１フォトセンサー66も第２フォトセンサー67も双方とも、受光部による光の検出を可能としたまま、発光部の発光を止めることができるようにしたものである。
また、第６の実施の形態に係る遊技機10は、第１フォトセンサー66及び第２フォトセンサー67の発光部以外のハードウエア構成については、第１ないし第５の実施の形態に係る遊技機10と同様である。
（メダルセンサー65）
上述したように、本実施の形態では、第１フォトセンサー66も第２フォトセンサー67も双方とも、受光部による光の検出を可能としたまま、発光部の発光を止めることができるようにしている。
【０２３８】
（発光制御手段150）
本実施の形態では、発光制御手段150は、第１フォトセンサー66及び第２フォトセンサー67の双方の発光部の発光を制御する。つまり、発光制御手段150は、第１フォトセンサー66及び第２フォトセンサー67の双方の発光部について、発光させたり、発光を止めたりする。
また、本実施の形態では、発光制御手段150は、第１フォトセンサー66の発光部の発光を止めるときには、第２フォトセンサー67の発光部は発光させ、第２フォトセンサー67の発光部の発光を止めるときには、第１フォトセンサー66の発光部は発光させる。つまり、発光制御手段150は、一方の発光部の発光を止めるときには、他方の発光部は発光させる。したがって、発光制御手段150は、第１フォトセンサー66の発光部の発光と第２フォトセンサー67の発光部の発光とを同時に止めることはない。すなわち、発光制御手段150は、双方の発光部の光を同時に消すことはない。
【０２３９】
また、本実施の形態では、発光制御手段150は、メダル投入待ち状態において、第１フォトセンサー66の発光部の発光を止めていたときに、第２フォトセンサー67の受光部が光を検出しなくなると、所定時間内に、発光を止めていた第２フォトセンサー67の発光部を発光させる。また、この場合の所定時間は、第１の実施の形態で示した所定時間である。
また、本実施の形態では、発光制御手段150は、メダル投入待ち状態において、第２フォトセンサー67の発光部の発光を止めていたときに、第１フォトセンサー66の受光部が光を検出しなくなると、所定時間内に、発光を止めていた第２フォトセンサー67の発光部を発光させる。また、この場合の所定時間は、第５の実施の形態で示した所定時間である。
【０２４０】
また、本実施の形態では、発光制御手段150は、メダル投入待ち状態において、第１フォトセンサー66及び第２フォトセンサー67の双方の発光部を発光させるときもある。
また、メダル投入待ち状態において、第１フォトセンサー66の発光部の発光を止めておくとともに、第２フォトセンサー67の発光部を発光させておき、第２フォトセンサー67の受光部が光を検出しなくなると、第１フォトセンサー66の発光部を発光させる制御と、メダル投入待ち状態において、第１フォトセンサー66の発光部を発光させておくとともに、第２フォトセンサー67の発光部の発光を止めておき、第１フォトセンサー66の受光部が光を検出しなくなると、第２フォトセンサー67の発光部を発光させる制御と、メダル投入待ち状態において、第１フォトセンサー66及び第２フォトセンサー67の双方の発光部を発光させておく制御とは、例えば、メダル検出処理が１回行われる毎に、ランダムに、あるいは所定のパターンで、切り換えることができる。
【０２４１】
（メダル検出信号）
本実施の形態では、メダル投入待ち状態において、第１フォトセンサー66の発光部の発光を止めておくとともに、第２フォトセンサー67の発光部を発光させておき、第２フォトセンサー67の受光部が光を検出しなくなると、第１フォトセンサー66の発光部を発光させる制御が行われるときがあるが、このときには、図６のタイムチャートに示すようなメダル検出信号が出力される。
また、本実施の形態では、メダル投入待ち状態において、第１フォトセンサー66の発光部を発光させておくとともに、第２フォトセンサー67の発光部の発光を止めておき、第１フォトセンサー66の受光部が光を検出しなくなると、第２フォトセンサー67の発光部を発光させる制御が行われるときがあるが、このときには、図１９のタイムチャートに示すようなメダル検出信号が出力される。
【０２４２】
また、本実施の形態では、メダル投入待ち状態において、第１フォトセンサー66及び第２フォトセンサー67の双方の発光部を発光させておく制御が行われるときがあるが、このときには、図９のタイムチャートに示すようなメダル検出信号が出力される。
（メダルカウント手段170、クレジットメダルカウント手段180）
本実施の形態では、メダル投入待ち状態において、第１フォトセンサー66の発光部の発光を止めておくとともに、第２フォトセンサー67の発光部を発光させておき、第２フォトセンサー67の受光部が光を検出しなくなると、第１フォトセンサー66の発光部を発光させる制御が行われるときに、図６のタイムチャートに示すようなメダル検出信号が出力されると、メダルカウント手段170が、カウント値が上限値の「３」未満であることを条件に、カウント値を１つ加算し、メダルカウント手段170のカウント値が「３」に達しているときには、クレジットメダルカウント手段180が、カウント値が上限値の「５０」未満であることを条件に、カウント値を１つ加算する。
【０２４３】
また、本実施の形態では、メダル投入待ち状態において、第１フォトセンサー66の発光部を発光させておくとともに、第２フォトセンサー67の発光部の発光を止めておき、第１フォトセンサー66の受光部が光を検出しなくなると、第２フォトセンサー67の発光部を発光させる制御が行われるときに、図１９のタイムチャートに示すようなメダル検出信号が出力されると、メダルカウント手段170が、カウント値が上限値の「３」未満であることを条件に、カウント値を１つ加算し、メダルカウント手段170のカウント値が「３」に達しているときには、クレジットメダルカウント手段180が、カウント値が上限値の「５０」未満であることを条件に、カウント値を１つ加算する。
【０２４４】
また、本実施の形態では、メダル投入待ち状態において、第１フォトセンサー66及び第２フォトセンサー67の双方の発光部を発光させておく制御が行われるときに、図９のタイムチャートに示すようなメダル検出信号が出力されると、メダルカウント手段170が、カウント値が上限値の「３」未満であることを条件に、カウント値を１つ加算し、メダルカウント手段170のカウント値が「３」に達しているときには、クレジットメダルカウント手段180が、カウント値が上限値の「５０」未満であることを条件に、カウント値を１つ加算する。
（異常判定手段160）
本実施の形態では、異常判定手段160は、発光制御手段150が第１フォトセンサー66の発光部の発光を止めているときに、第１フォトセンサー66の受光部が光を検出すると、異常と判定する。
【０２４５】
また、本実施の形態では、異常判定手段160は、発光制御手段150が第２フォトセンサー67の発光部の発光を止めているときに、第２フォトセンサー67の受光部が光を検出すると、異常と判定する。
また、本実施の形態では、異常判定手段160は、発光制御手段150が発光を止めていた第１フォトセンサー66の発光部を発光させたときに、第１フォトセンサー66の受光部が光を検出すると、異常と判定する。
また、本実施の形態では、異常判定手段160は、発光制御手段150が発光を止めていた第２フォトセンサー67の発光部を発光させたときに、第２フォトセンサー67の受光部が光を検出しないと、異常と判定する。
【０２４６】
このように、本実施の形態では、第１フォトセンサー66について、受光部による光の検出を可能としたまま、発光部の発光を止めるとともに、同発光部の発光を止めているときに、同受光部が光を検出すると、異常と判定し、また、第２フォトセンサー67について、受光部による光の検出を可能としたまま、発光部の発光を止めるとともに、同発光部の発光を止めているときに、同受光部が光を検出すると、異常と判定する。これにより、不正器具を用いた不正行為を防止できる。
また、本実施の形態では、第１フォトセンサー66の発光部の発光を止めていたときに、第２フォトセンサー67の受光部が光を検出しなくなると、所定時間内に、第１フォトセンサー66の発光部を発光させ、このとき、第１フォトセンサー66の受光部が光を検出すると、異常と判定し、また、第２フォトセンサー67の発光部の発光を止めていたときに、第１フォトセンサー66の受光部が光を検出しなくなると、所定時間内に、第２フォトセンサー67の発光部を発光させ、このとき、第２フォトセンサー67の受光部が光を検出しないと、異常と判定する。これにより、不正器具を用いた不正行為と、糸を括り付けたメダルでクレジット数を不正に増加させる不正行為とを同時に防止できる。
【０２４７】
（他の実施の形態）
第２の実施の形態では、第１フォトセンサー66の発光部の発光を止め、かつ、第２フォトセンサー67の発光部を発光させた状態でメダル投入口41からのメダルの投入を待つ制御、又は第１フォトセンサー66及び第２フォトセンサー67の双方の発光部を発光させた状態でメダル投入口41からのメダルの投入を待つ制御のいずれか一方を、発光制御手段150が、遊技が１回行われる毎に、乱数値に基づいて、選択して実行するようにし、また、第３の実施の形態では、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、メダルが１枚検出される毎に、交互に切り換えて実行するようにした。
【０２４８】
ここで、第２の実施の形態と第３の実施の形態とを適宜組み合わせるあるいは組み替えることにより、例えば、第１フォトセンサー66の発光部の発光を止め、かつ、第２フォトセンサー67の発光部を発光させた状態でメダル投入口41からのメダルの投入を待つ制御、又は第１フォトセンサー66及び第２フォトセンサー67の双方の発光部を発光させた状態でメダル投入口41からのメダルの投入を待つ制御のいずれか一方を、メダルが１枚検出される毎に、乱数値に基づいて、選択して実行するようにすることができるし、また、第１フォトセンサー66の発光部の発光を止め、かつ、第２フォトセンサー67の発光部を発光させた状態で、メダル投入口41からのメダルの投入を待つ制御と、第１フォトセンサー66及び第２フォトセンサー67の双方の発光部を発光させた状態で、メダル投入口41からのメダルの投入を待つ制御とを、遊技が１回行われる毎に、交互に切り換えて実行するようにすることもできる。
【０２４９】
このようにしても、不正器具を用いた不正行為と、糸を括り付けたメダルでクレジット数を不正に増加させる不正行為とを同時に防止できる。
【図面の簡単な説明】
【０２５０】
【図１】本発明の第１の実施の形態に係る遊技機のブロック図。
【図２】本発明の第１の実施の形態に係る遊技機の正面図。
【図３】本発明の第１の実施の形態に係る遊技機のメダル処理ユニットの正面図。
【図４】本発明の第１の実施の形態に係る遊技機のメダルセレクターの断面図。
【図５】本発明の第１の実施の形態に係る遊技機においてメダルがメダルセンサーを通過する様子を示す概念図。
【図６】本発明の第１の実施の形態に係る遊技機のメダル検出信号を示すタイムチャート。
【図７】本発明の第１の実施の形態に係る遊技機の動作の概略を示すフローチャート。
【図８】本発明の第１の実施の形態に係る遊技機の動作の概略を示すフローチャート。
【図９】本発明の第２の実施の形態に係る遊技機のメダル検出信号を示すタイムチャート。
【図１０】本発明の第２の実施の形態に係る遊技機の動作の概略を示すフローチャート。
【図１１】本発明の第２の実施の形態に係る遊技機の動作の概略を示すフローチャート。
【図１２】本発明の第２の実施の形態に係る遊技機の動作の概略を示すフローチャート。
【図１３】本発明の第３の実施の形態に係る遊技機の動作の概略を示すフローチャート。
【図１４】本発明の第３の実施の形態に係る遊技機の動作の概略を示すフローチャート。
【図１５】本発明の第３の実施の形態に係る遊技機の動作の概略を示すフローチャート。
【図１６】本発明の第４の実施の形態に係る遊技機の動作の概略を示すフローチャート。
【図１７】本発明の第４の実施の形態に係る遊技機の動作の概略を示すフローチャート。
【図１８】本発明の第４の実施の形態に係る遊技機の動作の概略を示すフローチャート。
【図１９】本発明の第５の実施の形態に係る遊技機のメダル検出信号を示すタイムチャート。
【符号の説明】
【０２５１】
10  遊技機                           20  筐体
30  前扉                             31  図柄透視窓
32  メダル払出口                     33  メダル返却口
34  メダル受け皿                     35  ランプ
36  スピーカ                         40  操作部
41  メダル投入口                     42  ベットスイッチ
42a  シングルベットスイッチ          42b  マックスベットスイッチ
43  スタートスイッチ                 44  ストップスイッチ
45  精算スイッチ                     50  リールユニット
51  回転リール                       60  メダル処理ユニット
61  メダル通路                      61a  鉛直部
61b  緩傾斜部                        61c  屈曲部
62  メダル返却通路
63  メダルセレクター                63a  上側係合鍔部
63b  下側係合鍔部                    63c  脱落用開口
63d  揺動アーム                      63e  スプリング
63f  キャンセルコイル                 65  メダルセンサー
66  第１フォトセンサー               67  第２フォトセンサー
68  オプティカルセンター             70  ホッパーユニット
100  制御装置                        110  遊技制御手段
120  役抽選手段                      130  停止制御手段
140  入賞判定手段                    150  発光制御手段
160  異常判定手段                    165  異常報知手段
170  メダルカウント手段              180  クレジットメダルカウント手段
【図１】
2006068342.tif 000003
【図２】
2006068342.tif 000004
【図３】
2006068342.tif 000005
【図４】
2006068342.tif 000006
【図５】
2006068342.tif 000007
【図６】
2006068342.tif 000008
【図７】
2006068342.tif 000009
【図８】
2006068342.tif 000010
【図９】
2006068342.tif 000011
【図１０】
2006068342.tif 000012
【図１１】
2006068342.tif 000013
【図１２】
2006068342.tif 000014
【図１３】
2006068342.tif 000015
【図１４】
2006068342.tif 000016
【図１５】
2006068342.tif 000017
【図１６】
2006068342.tif 000018
【図１７】
2006068342.tif 000019
【図１８】
2006068342.tif 000020
【図１９】
2006068342.tif 000021